(57)【要約】  少なくとも１つの有機蛍光着色剤Ｂを含む発光集光器（発光検出器）を含む受信機、当該受信機を含む光データ通信システム、および光データ通信システムの受信機における高速光検出器としての発光集光器の使用に対する。【特許請求の範囲】
【請求項１】
発光集光器を含む受信機であって、発光集光器が
ｉ）少なくとも１つの波長シフト材料と、
ｉｉ）少なくとも１つの検出器と、を含み、
ここで、前記波長シフト材料は、
ｉａ）高分子マトリックス材料と、
ｉｂ）
（Ｂ１）式（Ｉ）
【化１】
2022500707.tif 000098
のナフトイルベンゾイミダゾール化合物であって、式中、
ラジカルＲ１、Ｒ２、Ｒ３、Ｒ４、Ｒ５、Ｒ６、Ｒ７、Ｒ８、Ｒ９およびＲ１０の少なくとも１つは、互いに独立して１、２または３つのシアノ基および０、１、２、３または４つの置換基ＲＡｒを有するアリールであり、残りのラジカルＲ１、Ｒ２、Ｒ３、Ｒ４、Ｒ５、Ｒ６、Ｒ７、Ｒ８、Ｒ９およびＲ１０基は、互いに独立して水素および非置換または１、２、３、４もしくは５の置換基ＲＡｒを有するアリールから選択され、
ここで、
ＲＡｒは、互いに独立して、かつ各出現において独立して、ハロゲン、
Ｃ１〜Ｃ３０−アルキル、Ｃ２〜Ｃ３０−アルケニル、Ｃ２〜Ｃ３０−アルキニル（後者の３つのラジカルは非置換であるか、１つ以上のＲａ基を有する）、
Ｃ３〜Ｃ８−シクロアルキル、３〜８員のヘテロシクリル（後者の２つのラジカルは非置換であるか、１つ以上のＲｂ基を有する）、
アリールおよびヘテロアリール（後者の２つのラジカルは、非置換であるか、１つ以上のＲｃ基を有する）から選択され、
ここで、
Ｒａは、互いに独立して、かつ各出現において独立して、シアノ、ハロゲン、Ｃ３〜Ｃ８−シクロアルキル、３〜８員のヘテロシクリル、アリールおよびヘテロアリールから選択され、ここで、Ｃ３〜Ｃ８−シクロアルキル、３〜８員のヘテロシクリルは非置換であるか１つ以上のＲｂ１基を有し、アリールおよびヘテロアリールは非置換であるか１つ以上のＲｃ１基を有し、
Ｒｂは、互いに独立して、かつ各出現において独立して、シアノ、ハロゲン、Ｃ１〜Ｃ１８−アルキル、Ｃ３〜Ｃ８−シクロアルキル、３〜８員のヘテロシクリル、アリールおよびヘテロアリールから選択され、ここで、Ｃ３〜Ｃ８−シクロアルキル、３〜８員のヘテロシクリルは非置換であるか、１つ以上のＲｂ１基を有し、アリールおよびヘテロアリールは非置換であるか、または１つ以上のＲｃ１基を有し、
Ｒｃは、互いに独立して、かつ各出現において独立して、シアノ、ハロゲン、Ｃ１〜Ｃ１８−アルキル、Ｃ３〜Ｃ８−シクロアルキル、３〜８員のヘテロシクリル、アリールおよびヘテロアリールから選択され、ここで、Ｃ３〜Ｃ８−シクロアルキル、３〜８員のヘテロシクリルは非置換であるか、１つ以上のＲｂ１基を有し、アリールおよびヘテロアリールは非置換であるか、１つ以上のＲｃ１基を有し、
Ｒｂ１は、互いに独立して、かつ各出現において独立して、ハロゲン、Ｃ１〜Ｃ１８−アルキルおよびＣ１〜Ｃ１８−ハロアルキルから選択され、
Ｒｃ１は、互いに独立して、かつ各出現において独立して、ハロゲン、Ｃ１〜Ｃ１８−アルキルおよびＣ１〜Ｃ１８−ハロアルキルから選択される、
ナフトイルベンゾイミダゾール化合物、ならびにそれらの混合物；
（Ｂ２）式（ＩＩ）
【化２】
2022500707.tif 000099
のシアン化ナフトイルベンゾイミダゾール化合物であって、式中、
Ｒ２１、Ｒ２２、Ｒ２３、Ｒ２４、Ｒ２５、Ｒ２６、Ｒ２７、Ｒ２８、Ｒ２９およびＲ２１０は、それぞれ独立して、水素、シアノまたは非置換であるか、１つ以上の同一のもしくは異なる置換基Ｒ２Ａｒを有するアリールであり、
ここで、
各Ｒ２Ａｒは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２Ｒ２Ａｒ３、
−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、
−ＣＯＯＲ２Ａｒ２、−ＳＯ３Ｒ２Ａｒ２、
Ｃ１〜Ｃ３０−アルキル、Ｃ２〜Ｃ３０−アルケニル、Ｃ２〜Ｃ３０−アルキニル（後者の３つのラジカルは非置換であるか、１つ以上のＲ２ａ基を有する）、
Ｃ３〜Ｃ８−シクロアルキル、３〜８員のヘテロシクリル、（後者の２つのラジカルは非置換であるか、１つ以上のＲ２ｂ基を有する）、
アリール、Ｕ−アリール、ヘテロアリールおよびＵ−ヘテロアリール（後者の４つのラジカルは非置換であるか、１つ以上のＲ２ｂ基を有する）、から独立して選択され、
ここで、
各Ｒ２ａは、シアノ、ヒドロキシル、オキソ、メルカプト、ハロゲン、Ｃ１〜Ｃ２０−アルコキシ、Ｃ１〜Ｃ２０−アルキルチオ、ニトロ、
−ＮＲ２Ａｒ２ＲＡｒ３、−ＮＲ２Ａｒ２ＣＯＲ２Ａｒ３、−ＣＯＮＲ２Ａｒ２ＲＡｒ３、−ＳＯ２ＮＲ２Ａｒ２ＲＡｒ３、
−ＣＯＯＲ２Ａｒ２、−ＳＯ３Ｒ２Ａｒ２、Ｃ３〜Ｃ８−シクロアルキル、３〜８員のヘテロシクリル、アリールおよびヘテロアリールから独立して選択され、ここで、前記シクロアルキル、ヘテロシクリル、アリールおよびヘテロアリールラジカルは非置換であるか、１つ以上のＲ２ｂ基を有し、
各Ｒ２ｂは、シアノ、ヒドロキシル、オキソ、メルカプト、ハロゲン、Ｃ１〜Ｃ２０−アルコキシ、Ｃ１〜Ｃ２０−アルキルチオ、ニトロ、
−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、
−ＣＯＯＲ２Ａｒ２、−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ３〜Ｃ８−シクロアルキル、３〜８員のヘテロシクリル、アリールおよびヘテロアリールから独立して選択され、ここで後者の４つのラジカルは非置換であるか、１つ以上のＲ２ｂ１基を有し、
各Ｒ２ｂ１は、シアノ、ヒドロキシル、メルカプト、オキソ、ニトロ、ハロゲン、−ＮＲ２Ａｒ２Ｒ２Ａｒ３、−ＮＲ２Ａｒ２ＣＯＲ２Ａｒ３、
−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、
−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ１〜Ｃ１２−アルコキシ、およびＣ１〜Ｃ１２−アルキルチオから独立して選択され、
Ｕは−Ｏ−、−Ｓ−、−ＮＲ２Ａｒ１−、−ＣＯ−、−ＳＯ−または−ＳＯ２−部分であり、
Ｒ２Ａｒ１、Ｒ２Ａｒ２、Ｒ２Ａｒ３は、それぞれ独立して水素、Ｃ１〜Ｃ１８−アルキル、３〜８員のシクロアルキル、３〜８員のヘテロシクリル、アリールまたはヘテロアリールであり、ここでアルキルは非置換または１つ以上のＲ２ａ基を有し、ここで３〜８員のシクロアルキル、３〜８員のヘテロシクリル、アリールおよびヘテロアリールは、非置換であるか、または１つ以上のＲ２ｂ基を有するシアン化ナフトイルベンゾイミダゾール化合物を有する
（ただし、式ＩＩの前記化合物が少なくとも１つのシアノ基を含む）、シアン化ナフトイルベンゾイミダゾール化合物、
ならびにそれらの混合物；
（Ｂ３）式（ＩＩＩ）
【化３】
2022500707.tif 000100
のシアン化ペリレン化合物であって、
Ｚ３置換基の１つは、シアノであり、他のＺ３の置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリールであり、ここで
Ｃ１〜Ｃ１８−アルキル、Ｃ２〜Ｃ１８−アルケニル、Ｃ２〜Ｃ１８−アルキニルは非置換であるか、１つ以上の同一のまたは異なるＺ３ａ置換基を有し、
Ｃ３〜Ｃ１２−シクロアルキルは、非置換であるか１つ以上の同一のまたは異なるＺ３ｂ置換基を有し、
Ｃ６〜Ｃ１４−アリールは、非置換であるか、または１つ以上の同一のまたは異なるＺ３Ａｒ置換基を有し、
Ｚ３＊置換基の１つは、シアノであり、他のＺ３＊置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリールであり、ここで
Ｃ１〜Ｃ１８−アルキル、Ｃ２〜Ｃ１８−アルケニル、Ｃ２〜Ｃ１８−アルキニルは非置換であるか、１つ以上の同一のまたは異なるＺ３ａ置換基を有し、
Ｃ３〜Ｃ１２−シクロアルキルは、非置換であるか、１つ以上の同一のまたは異なるＺ３ｂ置換基を有し、
Ｃ６〜Ｃ１４−アリールは、非置換であるか、または１つ以上の同一のまたは異なるＺ３Ａｒ置換基を有し、
Ｒ３１、Ｒ３２、Ｒ３３、Ｒ３４、Ｒ３５、Ｒ３６、Ｒ３７、およびＲ３８は、それぞれ独立して、水素、シアノ、臭素、および塩素から選択され
（ただし、前記Ｒ３１、Ｒ３２、Ｒ３３、Ｒ３４、Ｒ３５、Ｒ３６、Ｒ３７またはＲ３８置換基の１、２、３、４、５、６、７または８つはシアノである）、
ここで、
Ｒ３９は、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり、
Ｃ１〜Ｃ１０−アルキル、Ｃ２〜Ｃ１０−アルケニル、Ｃ２〜Ｃ１０−アルキニルは、非置換であるか、１つ以上の同一のまたは異なるＲ３ａ置換基を有し、
Ｃ３〜Ｃ１２−シクロアルキルは、非置換であるか、１つ以上の同一のまたは異なるＲ３ｂ置換基を有し、
Ｃ６〜Ｃ１４−アリールは、非置換であるか、または１つ以上の同一のまたは異なるＲ３Ａｒ置換基を有し、
Ｒ３１０およびＲ３１１は、それぞれ独立して水素，Ｃ１〜Ｃ１０−アルキル，Ｃ２〜Ｃ１０−アルケニル、Ｃ２〜Ｃ１０−アルキニル、Ｃ３〜Ｃ１２−シクロアルキルまたはＣ６〜Ｃ１４−アリールであり、ここで、
Ｃ１〜Ｃ１０−アルキル、Ｃ２〜Ｃ１０−アルケニル、Ｃ２〜Ｃ１０−アルキニルは、非置換であるか、１つ以上の同一のまたは異なるＲ３ａ置換基を有し、
Ｃ３〜Ｃ１２−シクロアルキルは、非置換であるか１つ以上の同一のまたは異なるＲ３ｂ置換基を有し、
Ｃ６〜Ｃ１４−アリールは、非置換であるか、または１つ以上の同一のまたは異なるＲ３Ａｒ置換基を有し、
各Ｚ３ａは、独立してハロゲン、ヒドロキシル、ＮＲ３１０ａＲ３１１ａ、Ｃ１〜Ｃ１０−アルコキシ、Ｃ１〜Ｃ１０−ハロアルコキシ、Ｃ１〜Ｃ１０−アルキルチオ、Ｃ３〜Ｃ１２−シクロアルキル、Ｃ６〜Ｃ１４−アリール、Ｃ（＝Ｏ）Ｒ３９ａ、Ｃ（＝Ｏ）ＯＲ３９ａまたはＣ（Ｏ）ＮＲ３１０ａＲ３１１ａであり、ここで
Ｃ３〜Ｃ１２−シクロアルキルは、非置換であるか、１つ以上の同一のまたは異なるＲ３ｂ置換基を有し、
Ｃ６〜Ｃ１４−アリールは、非置換であるか、または１つ以上の同一のまたは異なるＲ３Ａｒ置換基を有し、
各Ｚ３ｂおよび各Ｚ３Ａｒは、独立して、ハロゲン、ヒドロキシル、ＮＲ３１０ＡＲ３１１Ａ、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ（＝Ｏ）Ｒ３９ａ、Ｃ（＝Ｏ）ＯＲ３９ａまたはＣ（Ｏ）ＮＲ３１０ａＲ３１１ａであり、
各Ｒ３ａは、独立して、ハロゲン、ヒドロキシル、Ｃ１〜Ｃ１０アルコキシ、Ｃ３〜Ｃ１２−シクロアルキルまたはＣ６〜Ｃ１４−アリールであり、
各Ｒ３ｂは、独立して、ハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０アルキニル、Ｃ３〜Ｃ１２−シクロアルキルまたはＣ６〜Ｃ１４アリールであり、
各Ｒ３Ａｒは、独立してハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０アルキニル、Ｃ３〜Ｃ１２−シクロアルキルまたはＣ６〜Ｃ１４アリールであり、
Ｒ３９ａは、水素、Ｃ１〜Ｃ１０−アルキル、Ｃ２〜Ｃ１０−アルケニル、Ｃ２〜Ｃ１０アルキニル、Ｃ３−Ｃ１２−シクロアルキルまたはＣ６〜Ｃ１４アリールであり、
Ｒの３１０ａ、Ｒ３１１ａは、それぞれ独立して、水素、Ｃ１〜Ｃ１０−アルキル、Ｃ２〜Ｃ１０−アルケニル、Ｃ２〜Ｃ１０アルキニル、Ｃ３〜Ｃ１２−シクロアルキルまたはＣ６〜Ｃ１４−アリールである、シアン化ペリレン化合物、
ならびにそれらの混合物；
（Ｂ４）式（ＩＶ）
【化４】
2022500707.tif 000101
のシアン化化合物であって、式中、
ｍ４は０、１、２、３、または４であり、
各Ｒ４１は、互いに独立して、臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンから選択され、ここで最後に述べた６つのラジカル中のシクロアルキル、ヘテロシクロアルキル、ヘテロアリール、アリール、アリールオキシの環は、非置換であるか、１、２、３、４または５つの同一のまたは異なるラジカルＲ４１ａで置換されており、ここでＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲ４ｃから選択される１つ以上の基によって中断されてもよく、
ラジカルＲ４２、Ｒ４３、Ｒ４４およびＲ４５のうちの少なくとも１つはＣＮであり、残りのラジカルは、互いに独立して、水素、塩素および臭素から選択され、
Ｘ４０は、Ｏ、Ｓ、ＳＯまたはＳＯ２であり、
Ａは、一般式（Ａ．１）、（Ａ．２）、（Ａ．３）、および（Ａ．４）
のジラジカルから選択されるジラジカルであり、
【化５】
2022500707.tif 000102
＊はいずれの場合も、分子の残りの部分への付着点を示し、
ｎ４は０、１、２、３、または４であり、
ｏ４は０、１、２、または３であり、
ｐ４は０、１、２、または３であり、
Ｒ４６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリールまたはＣ６〜Ｃ２４−アリール、Ｃ１〜Ｃ１０−アルキレンであって、最後に述べた３つのラジカル中のシクロアルキル、アリール、およびアリール−アルキレンの環は、非置換であるか、１、２、３、４、または５つの同一のまたは異なるラジカルＲ４６ａで置換されており、Ｃ１〜Ｃ２４アルキル、Ｃ１〜Ｃ２４−ハロアルキルおよびＣ６〜Ｃ２４−アリール−Ｃ１〜Ｃ１０−アルキレンのアルキレン部分は、１つ以上のヘテロ原子またはＯ、Ｓから選択されるヘテロ原子基およびＮＲ４ｃによって中断されてもよく、
各Ｒ４７は、互いに独立に臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンから選択され、６つの最後に述べたラジカル中のシクロアルキル、ヘテロシクロアルキル、ヘテロアリール、アリールおよびアリール−アルキレンの環は非置換であるか、または１、２、３、４または５つの同一または異なるラジカルＲ４７ａで置換され、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分はＯ、ＳおよびＮＲ４ｃから選択される１つ以上の基で中断されてもよく、
各Ｒ４８は、臭素、塩素、シアノ、ＮＲ４ＡＲ４Ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンから互いに独立にから選択され、最後に述べた６つのラジカル内のシクロアルキル、ヘテロシクロアルキル、ヘテロアリール、アリールおよびアリール−アルキレンの環は、非置換または１、２、３、４のまたは５つの同一または異なるラジカルＲ４８ａで置換され、ここでＣ１〜Ｃ２４−アルキル、１〜Ｃ２４−ハロアルキル、Ｃ１〜Ｃ２４−アルコキシ、Ｃ１〜Ｃ２４−ハロアルコキシ、および、Ｃ６〜Ｃ２４−アリール−Ｃ１〜Ｃ１０−アルキレンのアルキレン部分はＯ、ＳおよびＮＲ４ｃから選択される１つ以上の基によって中断されてもよく、
各Ｒ４９は、臭素、塩素、シアノ、ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンから互いに独立にから選択され、最後に述べた６つのラジカル中のシクロアルキル、ヘテロシクロアルキル、ヘテロアリール、アリールおよびアリール−アルキレンの環は、非置換または１、２、３、４または５つの同一のまたは異なるラジカルＲ４９ａで置換され、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分はＯ、ＳおよびＮＲ４ｃから選択される１つ以上の基によって中断されてもよく、
Ｒ４１ａ、Ｒ４６ａ、Ｒ４７ａ、Ｒ４８ａ、Ｒ４９ａは、Ｃ２４〜アルキル、Ｃ１〜Ｃ２４−フルオロアルキル、Ｃ１〜Ｃ２４−アルコキシ、フッ素、塩素および臭素から互いに独立して選択され、
Ｒ４ａとＲ４ｂと、Ｒ４ｃは、互いに独立して、水素、Ｃ１〜Ｃ２０−アルキル、Ｃ３〜Ｃ２４−シクロアルキル、ヘテロシクロアルキル、ヘテロアリールおよびＣ６〜Ｃ２４アリールから選択される、シアン化化合物、
ならびにそれらの混合物；
（Ｂ５）式（Ｖ）
【化６】
2022500707.tif 000103
のベンゾ（チオ）キサンテン化合物であって、式中、
Ｘ５は、酸素または硫黄であり、
Ｒ５１は、非置換であるか、１つ以上のＲ５１ａ基によって置換されているＣ１−Ｃ２４−アルキルであるか、あるいはＲ５１は、非置換であるか、またはハロゲン、Ｒ５１１、ＯＲ５５２、ＮＨＲ５５２およびＮＲ５５２Ｒ５５７から選択される１、２、３、４、もしくは５つの置換基を有するフェニルであり、
Ｒ５１ａは、互いに独立して、かつ各出現において独立して、シアノ、ハロゲン、Ｃ３〜Ｃ８−シクロアルキル、３から８員のヘテロシクリル、アリールおよびヘテロアリールから選択され、ここで、Ｃ３〜Ｃ８−シクロアルキル、３から８員のヘテロシクリル、アリールおよびヘテロアリールは、非置換であるか、またはハロゲン、Ｃ１〜Ｃ１８−アルキルおよびＣ１〜Ｃ１８−ハロアルキルから選択される１つ以上の置換基を有し、
Ｒ５２、Ｒ５３、Ｒ５４、Ｒ５５、Ｒ５６、Ｒ５７、Ｒ５８およびＲ５９は、互いに独立して、水素、ハロゲン、Ｒ５５３、ＯＲ５５３、ＮＨＲ５５３およびＮＲ５５３Ｒ５５４から選択され、
式中、
Ｒ５１１は、Ｃ１〜Ｃ２０−アルキル、Ｃ６〜Ｃ２４−アリールおよびヘテロアリールから選択され、
Ｒ５５２およびＲ５５７は、互いに独立して、Ｃ１〜Ｃ１８−アルキル、Ｃ６〜Ｃ２４−アリールおよびヘテロアリールから選択され、
Ｒ５５３およびＲ５５４は、互いに独立して、Ｃ１〜Ｃ１８−アルキル、Ｃ６〜Ｃ２４−アリールおよびヘテロアリールから選択される、ベンゾ（チオ）キサンテン化合物、
ならびにそれらの混合物；
（Ｂ６）式（ＶＩＡ）または（ＶＩＢ）
【化７】
2022500707.tif 000104
のベンゾイミダゾキサンテンイソキノリン化合物であって、式中、
Ｘ６は、酸素または硫黄であり、
Ｒ６１、Ｒ６２、Ｒ６３、Ｒ６４、Ｒ６５、Ｒ６６、Ｒ６７、Ｒ６８、Ｒ６９、Ｒ６１０、Ｒ６１１、およびＲ６１２は、互いに独立して、水素、ハロゲン、Ｒ６６１ＯＲ６６１、ＮＨＲ６６１およびＮＲ６６１Ｒ６６２、から選択され、
式中、
各Ｒ６６１は、Ｃ１〜Ｃ１８−アルキル、Ｃ６〜Ｃ２４−アリールおよびヘテロアリールから選択され、および
各Ｒ６６２は、Ｃ１〜Ｃ１８−アルキル、Ｃ６〜Ｃ２４−アリールおよびヘテロアリールから選択される、ベンゾイミダゾキサンテンイソキノリン化合物、
ならびにそれらの混合物；
（Ｂ７）式（ＶＩＩ）
【化８】
2022500707.tif 000105
の少なくとも１つの構造単位を含む蛍光化合物であって、ここで、示されているベンゾイミダゾール構造の６員環の１つ以上のＣＨ基は窒素で置き換えてもよく、ここで記号はそれぞれ
ｎ７は、式（ＶＩＩ）の各構造単位の０から（１０−ｐ７）までの数値であり；ここで、ｐ７は、示されるベンゾイミダゾール構造の６員環で窒素に置き換えられたＣＨ単位の数であり；
Ｘ７は、化学結合、Ｏ、Ｓ、ＳＯ、ＳＯ２、ＮＲ７１であるように定義され、および
Ｒは脂肪族ラジカル、脂環式ラジカル、アリール、ヘテロアリールであり、それぞれが置換基を有してもよく、
式（ＶＩＩ）の構造単位の他の芳香族環にそれぞれが融合している芳香族環またはヘテロ芳香族環または環系は、
Ｘ７が化学結合でない場合、Ｆ、Ｃｌ、Ｂｒ、ＣＮ、Ｈであり、
ここで、２つのＲラジカルを結合して、１つの環状ラジカルを生じ得、
ここで、Ｘ７とＲは、ｎ７＞１の場合、同じでも異なってもよく、
Ｒ７１は、それぞれ独立して、水素、Ｃ１〜Ｃ１８−アルキルまたはシクロアルキルであって、その炭素鎖は１つ以上の−Ｏ−、−Ｓ−、−ＣＯ−、−ＳＯ−および／または−ＳＯ２部分を含むことができ、一置換または多置換され得、
アリールまたはヘテロアリールは一置換または多置換され得る、蛍光化合物、
ならびにそれらの混合物；
（Ｂ８）式（ＶＩＩＩ）または（ＩＸ）
【化９】
2022500707.tif 000106
のペリレン化合物であって、ここで、
Ｒ８１、Ｒ８２は、それぞれ独立して、１つ以上の酸素、Ｃ３−Ｃ８−シクロアルキル、Ｃ６〜Ｃ１０−アリール、ヘテロアリール、Ｃ６〜Ｃ１０−アリール−Ｃ１〜Ｃ１０−アルキレン（３つの後者のラジカル中の芳香環は、非置換であるかまたはＣ１〜Ｃ１０−アルキルによって一置換または多置換されている）で中断される、Ｃ１〜Ｃ３０−アルキル、Ｃ２−Ｃ３０−アルキルであり、
Ｒ９２は、Ｃ１〜Ｃ３０−アルキル、Ｃ３〜Ｃ８−シクロアルキル、アリール、ヘテロアリール、アリール−Ｃ１〜Ｃ１０−アルキレンであり、ここで後者の３つのラジカル中の芳香族環は非置換であるか、または一置換もしくは多置換Ｃ１〜Ｃ１０−アルキルである、ペリレン化合物；
（Ｂ９）式（Ｘ）
【化１０】
2022500707.tif 000107
のナフタレンモノイミド化合物であって、式中、
各Ｒ１０１は、互いに独立して、１つ以上の酸素、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（後者の３つのラジカル中の芳香環は、非置換であるかまたは一置換または多置換された、Ｃ１〜Ｃ１０−アルキルである）によって中断される、水素、Ｃ１〜Ｃ３０−アルキル、Ｃ２〜Ｃ３０−アルキルであり、
Ｒ１０２は、水素または１つ以上の酸素、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（後者の３つのラジカル中の芳香族環は非置換であるか、またはＣ１〜Ｃ１０−アルキルによって一置換または多置換される）、によって中断された、Ｃ１〜Ｃ３０−アルキル、Ｃ２〜Ｃ３０−アルキルである、ナフタレンモノイミド化合物；
（Ｂ１０）７−（ジエチルアミノ）−３−（６−メチルベンゾ［ｄ］オキサゾール−２−イル）−２Ｈ−クロメン−２−オン；
（Ｂ１１）式（ＸＩＡ）または（ＸＩＢ）
【化１１】
2022500707.tif 000108
のペリレン化合物であって、式中、
各Ｒ１１１は、互いに独立して、ハロゲンまたは直鎖もしくは分岐Ｃ１〜Ｃ１８アルキルによって一置換または多置換される、またはハロゲンまたは直鎖もしくは分岐Ｃ１〜Ｃ１８アルキルによって一置換または多置換されるフェニルまたはナフチルである、Ｃ１〜Ｃ１８アルキル、Ｃ４〜Ｃ８シクロアルキルである、ペリレン化合物、
ならびにそれらの混合物；
（Ｂ１２）式（ＸＩＩＡ）または（ＸＩＩＢ）
【化１２】
2022500707.tif 000109
のシアン化ペリレン化合物であって、式中、
各Ｒ１２１は、互いに独立して、ハロゲンまたは直鎖もしくは分岐Ｃ１〜Ｃ１８アルキルによって一置換または多置換される、またはハロゲンまたは直鎖もしくは分岐Ｃ１〜Ｃ１８アルキルによって一置換または多置換されるフェニルまたはナフチルであるＣ１〜Ｃ１８アルキル、Ｃ４〜Ｃ８シクロアルキルである、シアン化ペリレン化合物、
ならびにそれらの混合物；
（Ｂ１３）式（ＸＩＩＩ）
【化１３】
2022500707.tif 000110
のペリレンビスイミド化合物であって、
ｐ１３は、１、２、３、または４であり、
Ｒ１３１およびＲ１３２は、互いに独立して、非置換またはＣ６〜Ｃ１０−アリール［これはまた非置換または１、２または３つのＣ１〜Ｃ１０−アルキル、
Ｃ２〜Ｃ２０−アルキル（これは１つ以上の酸素原子で中断されている）、
Ｃ３〜Ｃ８−シクロアルキル（非置換であるか、１、２、または３つのＣ１〜Ｃ１０−アルキルで置換されている）、
Ｃ６〜Ｃ１０−アリール（非置換であるか、または１、２もしくは３つのＣ１〜Ｃ１０−アルキルで置換されている）により置換されている］、により置換されているＣ１〜Ｃ１０−アルキルであり、
各Ｒ１３３は、互いに独立して、フッ素、塩素、１つ以上の酸素で中断されるＣ１〜Ｃ１６−アルキル、Ｃ２〜Ｃ１６−アルキル、非置換またはフッ素、塩素により一置換または多置換されるＣ１〜Ｃ１６アルコキシ、Ｃ６〜Ｃ１０−アリールオキシ、１つ以上の酸素で中断されるＣ１〜Ｃ１６−アルキル、Ｃ２〜Ｃ１６−アルキル、非置換またはＣ１〜Ｃ６−アルキル、Ｃ１〜Ｃ６−アルコキシ−Ｃ１〜Ｃ６−アルキルおよびＣ１〜Ｃ６−アルコキシから選択される１、２または３つのラジカルによって置換されるＣ１〜Ｃ１６−アルコキシまたはＣ６〜Ｃ１０−アリールであり、
ここで、Ｒ１３３ラジカルは＊で示された位置にある、ペリレンビスイミド化合物、
ならびにそれらの混合物；
（Ｂ１４）式（ＸＩＶ）
【化１４】
2022500707.tif 000111
のペリレン化合物であって、式中、
Ｒ１４１とＲ１４２は、互いに独立して、水素、
各場合において、非置換または置換Ｃ１〜Ｃ３０−アルキル、ポリアルキレンオキシ、Ｃ１〜Ｃ３０−アルコキシ、Ｃ１〜Ｃ３０アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４アリールオキシから選択され、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７、Ｒ１４１８は、互いに独立して、水素、ハロゲン、シアノ、ヒドロキシル、メルカプト、ニトロ、−ＮＥ１４１Ｅ１４２、−ＮＲＡｒ１４１ＣＯＲＡ１４２、
−ＣＯＮＲＡｒ１４１ＲＡｒ１４２、−ＳＯ２ＮＲＡ１４１ＲＡ１４２、−ＣＯＯＲＡｒ１４１、−ＳＯ３ＲＡｒ１４２、
各場合において非置換または置換Ｃ１〜Ｃ３０−アルキル、ポリアルキレンオキシ、Ｃ１〜Ｃ３０−アルコキシ、Ｃ１〜Ｃ３０アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４アリールオキシおよびＣ６〜Ｃ２４−アリールチオから選択され、
ここで、Ｒ１４３およびＲ１４４、Ｒ１４４およびＲ１４５、Ｒ１４５およびＲ１４６、Ｒ１４６およびＲ１４７、Ｒ１４７およびＲ１４８、Ｒ１４８およびＲ１４９、Ｒ１４９およびＲ１４１０、Ｒ１４１１およびＲ１４１２、Ｒ１４１２およびＲ１４１３、Ｒ１４１３およびＲ１４１４、Ｒ１４１４およびＲ１４１５、Ｒ１４１５およびＲ１４１６、Ｒ１４１６およびＲ１４１７ならびに／またはＲ１４１７およびＲ１４１８は、それらが結合されるビフェニリル部分の炭素原子と共にさらなる融合芳香族または非芳香族環系を形成し得（式中、融合環系が非置換または置換されている）、
ここで、
Ｅ１４１およびＥ１４２は、互いに独立して、水素、非置換または置換Ｃ１〜Ｃ１８−アルキル、非置換または置換Ｃ２〜Ｃ１８−アルケニル、非置換または置換Ｃ２〜Ｃ１８−アルキニル、非置換または置換Ｃ３〜Ｃ２０−シクロアルキルまたは非置換もしくは置換Ｃ６〜Ｃ１０−アリールであり、
ＲＡｒ１４１およびＲＡｒ１４２は、それぞれ互いに独立して、水素、非置換または置換Ｃ１〜Ｃ１８−アルキル、非置換または置換Ｃ３〜Ｃ２０−シクロアルキル、非置換または置換ヘテロシクリル、非置換または置換Ｃ６〜Ｃ２０−アリールまたは非置換または置換ヘテロアリールである、ペリレン化合物、
ならびにそれらの混合物；
（Ｂ１５）式（ＸＶ）
【化１５】
2022500707.tif 000112
の化合物；
（Ｂ１６）式（ＸＶＩ）
【化１６】
2022500707.tif 000113
のテリレンビスイミド化合物であって、式中、
ｐ１６は０、１、２、３、または４であり、
Ｒ１６１およびＲ１６２は、互いに独立して、非置換、またはＣ６〜Ｃ１０−アリール（これは、次いで、非置換であるか、１、２または３つのＣ１〜Ｃ１０−アルキルで置換されている）で置換されているＣ１〜Ｃ１０−アルキル、
１つ以上の酸素で中断されたＣ２〜Ｃ２０−アルキル、
非置換であるか、１、２、または３つのＣ１〜Ｃ１０−アルキルで置換されている、Ｃ３〜Ｃ８−シクロアルキル、または
非置換であるか、または１、２または３つのＣ１〜Ｃ１０−アルキルで置換されたＣ６〜Ｃ１０−アリールであり、
Ｒ１６３が存在する場合、互いに独立して、フッ素、塩素、１つ以上の酸素によって中断されるＣ１〜Ｃ１６−アルキル、Ｃ２〜Ｃ１６−アルキル、非置換またはフッ素、塩素で一置換または多置換されるＣ１〜Ｃ１６−アルコキシ、Ｃ６〜Ｃ１６−アリールオキシ、１つ以上の酸素によって中断されるＣ１〜Ｃ６−アルキル、Ｃ２〜Ｃ１６−アルキル、非置換またはＣ１〜Ｃ６−アルキル、Ｃ１〜Ｃ６−アルコキシ−Ｃ１〜Ｃ６−アルキルおよびＣ１−Ｃ６−アルコキシから選択される１、２または３つのラジカルにより置換されるＣ１〜Ｃ１６−アルコキシまたはＣ６〜Ｃ１０アリールであり、
ここで、Ｒ１６３ラジカルは＊で示された位置にある、テリレンビスイミド化合物、
ならびにそれらの混合物；
（Ｂ１７）式（ＸＶＩＩ）
【化１７】
2022500707.tif 000114
のシアノアリール置換ベンゾ（チオ）キサンテン化合物であって、式中、
ｍは０、１、２、３、または４であり、
各Ｒ１は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシＣ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０からなる群から選択され、６つの最後に述べたラジカル中のシクロアルキル、ヘテロシクロアルキル、ヘテロアリール、アリール、アリールオキシおよびアリール−アルキレンの環は非置換であるか、または１、２、３、４または５つの同一のまたは異なるラジカルＲ１ａで置換され、ここでＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分はＯ、ＳおよびＮＲｃのからなる群から選択される１つ以上の基によって中断されてもよく、
Ｒ２、Ｒ３、Ｒ４およびＲ５は、水素、塩素、臭素および１、２または３つのシアノ基を有するＣ６〜Ｃ２４−アリールからなる群から選択され
（ただし、前記ラジカルＲ１、Ｒ２、Ｒ３、Ｒ４およびＲ５のうちの少なくとも１つは、１、２、または３つのシアノ基を有するＣ６〜Ｃ２４−アリールである）、
ＸはＯ、Ｓ、ＳＯまたはＳＯ２であり、
Ａは、一般式（Ａ．１）、（Ａ．２）、（Ａ．３）、および（Ａ．４）
【化１８】
2022500707.tif 000115
のジラジカルからなる群から選択されるジラジカルであり、式中、
＊いずれの場合も、分子の残りの部分への付着点を示しており、
ｎは０、１、２、３、または４であり、
ｏは０、１、２、または３であり、
ｐは、０または３であり、
Ｒ６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリール−Ｃ１〜Ｃ１０−アルキレンであり、最後に述べた３つのラジカルの中のシクロアルキル、アリール、およびアリール−アルキレンの環は非置換であるか、１、２、３、４、または５つの同一のまたは異なるラジカルＲ６ａで置換されており、Ｃ１〜Ｃ２４アルキル、Ｃ１〜Ｃ２４−ハロアルキル、およびＣ６〜Ｃ２４−アリール−Ｃ１〜Ｃ１０−アルキレンのアルキレン部分は、１つ以上のヘテロ原子またはＯ、ＳおよびＮＲｃからなる群から選択されるヘテロ原子基によって中断されてもよく、
各Ｒ７は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンからなる群から選択され、ここで、最後に述べた６つのラジカル中のシクロアルキル、ヘテロシクロアルキル、ヘテロアリール、アリール、およびアリール−アルキレンの環は、非置換であるか、１、２、３、４、または５つの同一のまたは異なるラジカルＲ７ａで置換されており、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１つ以上の基により中断されてもよく、
各Ｒ８は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンからなる群から選択され、６つの最後に述べたラジカル中のシクロアルキル、ヘテロシクロアルキル、ヘテロアリール、アリールおよびアリール−アルキレンの環は、非置換または１、２、３、４または５つの同一のまたは異なる基Ｒ８ａに置換され、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分はＯ、ＳおよびＮＲｃのからなる群から選択される１つ以上の基によって中断されてもよく、
各Ｒ９は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３−Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール、Ｃ１〜Ｃ１０−アルキレンからなる群から選択され、最後に述べた６つのラジカル中のシクロアルキル、ヘテロシクロアルキル、ヘテロアリール、アリールおよびアリール−アルキレンの環は、非置換または、１、２、３、４または５つの同一または異なるラジカルＲ９ａで置換され、ここでＣ１−Ｃ２４アルキル、Ｃ１〜Ｃ２４−ハロアルキル、Ｃ１〜Ｃ２４−アルコキシ、Ｃ１〜Ｃ２４−ハロアルコキシおよびＣ６〜Ｃ２４−アリール−Ｃ１〜Ｃ１０−アルキレンのアルキレン部分は、Ｏ、ＳおよびＮＲｃのからなる群から選択される１または複数の基で中断されてもよく、
Ｒ１ａ、Ｒ６ａ、Ｒ７ａ、Ｒ８ａ、Ｒ９ａは、互いに独立してＣ１〜Ｃ２４−アルキル、Ｃ１〜Ｃ２４−フルオロアルキル、Ｃ１〜Ｃ２４−アルコキシ、フッ素、塩素、臭素およびシアノからなる群から選択され、
Ｒａ、Ｒｂは、Ｒｃは、互いに独立して、水素、Ｃ１〜Ｃ２０−アルキル、Ｃ３〜Ｃ２４−シクロアルキル、ヘテロシクロアルキル、ヘタリールおよびＣ６〜Ｃ２４−アリール、からなる群から選択される、シアノアリール置換ベンゾ（チオ）キサンテン化合物；
（Ｂ１８）式（ＸＶＩＩＩａ）、（ＸＶＩＩＩｂ）、（ＸＶＩＩＩｃ）
【化１９】
2022500707.tif 000116
の化合物またはそれらの混合物から選択される、シアノ置換ＢＯＤＩＰＹ（ホウ素−ジピロメテン）染料であって、式中、
Ｒ１、Ｒ２、Ｒ３、Ｒ５、Ｒ６およびＲ７は、式（ＸＶＩＩＩＡ）、（ＸＶＩＩＩＢ）および（ＸＶＩＩＩｃ）内に存在する場合、互いに独立して、水素、Ｃ１〜Ｃ２０−アルキルまたはＣ６〜Ｃ１４−アリール、Ｃ１〜Ｃ１０−アルキレンから選択され、Ｃ６〜Ｃ１４−アリール−Ｃ１〜Ｃ１０−アルキレンのアリール部分、は、非置換であるか、またはｋの同一のまたは異なる置換基Ｒ９で置換されており、
式（ＸＶＩＩＩａ）、（ＸＶＩＩＩｂ）および（ＸＶＩＩＩｃ）中のＲ４ａ、Ｒ４ｂは、互いに独立して、フッ素、塩素、シアノまたはＯＲ１０から選択され、
式（ＸＶＩＩＩａ）のＲ８ａは、Ｃ１〜Ｃ２０−アルキルであり、
式（ＸＶＩＩＩｂ）のＲ８ｂは、Ｃ１〜Ｃ２０−アルキルであり、
式（ＸＶＩＩＩｃ）のＲ８ｃは、Ｃ１〜Ｃ２０−アルキル、Ｃ６〜Ｃ１０−アリールまたはＣ６〜Ｃ１０−アリール−Ｃ１〜Ｃ１０−アルキレンであって、上述の２つのラジカル内のアリール部分は、非置換またはｋの同一のまたは異なる置換基Ｒ９で置換され、
式中、
ｋは、１、２、３、４、５、または６の整数であり、
Ｒ９は、Ｃ１〜Ｃ１０−アルキル、Ｃ１〜Ｃ１０−アルコキシ、ＣＮ、ハロゲン、フェニルまたはフェノキシであり、
Ｒ１０は、Ｃ１〜Ｃ１０−アルキルまたはヒドロキシ−Ｃ１〜Ｃ１０−アルキルである、シアノ置換ＢＯＤＩＰＹ（ホウ素−ジピロメテン）染料；からなる群から選択される少なくとも１つの有機蛍光着色剤Ｂと、を含む、受信機。
【請求項２】
前記発光集光器の前記ポリマーマトリックスが、ポリスチレン、ポリカーボネート、ポリメチルメタクリレート、ポリビニルピロリドン、ポリメタクリレート、ポリビニルアセテート、ポリ塩化ビニル、ポリブテン、シリコーン、ポリアクリレート、エポキシ樹脂、ポリビニルアルコール、ポリ（エチレンビニルアルコール）−コポリマー（ＥＶＡ、ＥＶＯＨ）、ポリアクリロニトリル、ポリ塩化ビニル（ＰＶＤＣ）、ポリスチレンアクリロニトリル（ＳＡＮ）、ポリブチレンテレフタレート（ＰＢＴ）、ポリエチレンテレフタレート（ＰＥＴ）、ポリビニルブチレート（ＰＶＢ）、ポリ塩化ビニル（ＰＶＣ）、ポリアミド、ポリオキシメチレン、ポリスチレン、ポリエーテルイミド、２，５−フランジカルボキシレートポリエステル、ＵＶ硬化性または熱硬化性レジストおよびそれらの混合物、からなる群から選択される、請求項１に記載の受信機。
【請求項３】
前記発光集光器の前記有機蛍光着色剤Ｂが前記ポリマーマトリックスに分子的に溶解されている、請求項１または２に記載の受信機。
【請求項４】
前記発光集光器の前記有機蛍光着色剤Ｂの濃度が、マトリックスポリマーの量に基づいて、０．０００１〜５重量％、より好ましくは０．００１〜０．５重量％の範囲にある、請求項１〜３のいずれか一項に記載の受信機。
【請求項５】
前記発光集光器の前記波長シフト材料が、湾曲したおよび／もしくは可撓性であり得るシートの形態で存在し得るか、または１つ以上のファイバから構成され得る、請求項１〜４のいずれか一項に記載の受信機。
【請求項６】
（Ｂ１）は式（Ｉ−Ａ）
【化２０】
2022500707.tif 000117
の化合物であって、式中、
Ｒ３およびＲ４は、それぞれ独立して、水素、フェニル、１もしくは２つのシアノ基を有するフェニルまたはＣ１〜Ｃ１０−アルキルから選択される１、２または３つの置換基を有するフェニルであり、
Ｒ７、Ｒ８、Ｒ９、およびＲ１０は、それぞれ独立して、１もしくは２つのシアノ基を有するフェニルまたはＣ１〜Ｃ１０−アルキルから選択される１、２もしくは３つの置換基を有するフェニルであり；
（Ｂ２）は式（ＩＩ−Ａ）
【化２１】
2022500707.tif 000118
の化合物およびそれらの混合物から選択され、
式中、
Ｒ２３およびＲ２４は、それぞれ独立して、シアノ、フェニル、４−シアノフェニルまたはＣ１〜Ｃ１０−アルキル、特にシアノ、フェニルまたは４−シアノフェニルから選択される１、２もしくは３つの置換基を有するフェニルであり、
Ｒ２７、Ｒ２８、Ｒ２９およびＲ２１０は、それぞれ独立して、水素、シアノ、フェニル、４−シアノフェニルまたはＣ１〜Ｃ１０−アルキル、特に水素、シアノ、フェニルまたは４−シアノフェニルから選択される１、２もしくは３つの置換基を有するフェニルであり；
（Ｂ３）は、式（ＩＩＩ−ａ）、（ＩＩＩ−ｂ）、（ＩＩＩ−ｃ）および（ＩＩＩＩ−ｄ）
【化２２】
2022500707.tif 000119
の化合物からなる群から選択される、個別のおよびそれらの混合物であり；
（Ｂ４）は、式（ＩＶ）の化合物であり、ここでＸ４０、またはＸ４０はＳであり；
（Ｂ５）は式（Ｖ）のベンゾチオキサンテン化合物であり、式中、Ｘ５はＯまたはＳであり、Ｒ５１はＣ１〜Ｃ２４−アルキルであり、Ｒ５２〜Ｒ５９は水素であり；
（Ｂ６）は、式（ＶＩＡ）および（ＶＩＢ）のベンゾイミダゾキサンテンイソキノリン化合物であり；
（Ｂ７）は、式（ＶＩＩ−５）、（ＶＩＩ−６）、（ＶＩＩ−７）、（ＶＩＩ−８）、（ＶＩＩ−５６）、（ＶＩＩ−５７）、（ＶＩＩ−５８）および（ＶＩＩ−５９）
【化２３】
2022500707.tif 000120
の化合物から選択される化合物およびそれらの混合物であり；
（Ｂ８）は、化合物（ＶＩＩＩ−１）
【化２４】
2022500707.tif 000121
から選択され、式中、
ｘ８は、１、２、または３であり、
ｙ８は、１、２、または３であり、
Ｒ１８１は、Ｃ１〜Ｃ４０アルキルであり、
Ｒ１８２は、Ｃ１〜Ｃ４−アルキルであり；
（Ｂ９）は、式（Ｘ）の４−アミノ置換ナフタルイミド化合物であって、Ｒ１０１は、直鎖または分岐Ｃ１〜Ｃ１０−アルキル、１つ以上の酸素によって中断されているＣ２〜Ｃ１０−アルキルである、またはＣ３〜Ｃ８−シクロアルキルであり、Ｒ１０２は、水素または直鎖もしくは分岐Ｃ１〜Ｃ１０−アルキルであり；
（Ｂ１０）は、７−（ジエチルアミノ）−３−（６−メチルベンゾ［ｄ］オキサゾール−２−イル）−２Ｈ−クロメン−２−オンであり；
（Ｂ１１）は、式（ＸＩＡ）または（ＸＩＢ）の化合物であり、ここでＲ１１１は、直鎖Ｃ１〜Ｃ１０−アルキルまたは分岐Ｃ３〜Ｃ１０−アルキルであり；
（Ｂ１２）は、式（ＸＩＩＡ）または（ＸＩＩＢ）の化合物であり、ここでＲ１２１は、直鎖Ｃ１〜Ｃ１０−アルキルまたは分岐Ｃ３〜Ｃ１０−アルキルであり；
（Ｂ１３）は、式（ＸＩＩＩ）の化合物であり、式中、Ｒ１３１およびＲ１３２は、それぞれ独立して、Ｃ１〜Ｃ１０−アルキル、２，６−ジ（Ｃ１〜Ｃ１０−アルキル）アリールおよび２，４−ジ（Ｃ１〜Ｃ１０−アルキル）アリールから選択され、Ｒ１３３は、非置換であるか、またはフッ素、塩素、Ｃ１〜Ｃ１０−アルキルおよびフェニルから選択される１または２つの同一のまたは異なる置換基により置換されたフェノキシであり、ｐ１３は、２、３または４、特に２または４であり；
（Ｂ１４）は、式（ＸＩＶ）の化合物であり、ここでＲ１４１およびＲ１４２は、互いに独立して、非置換であるか、または１、２または３つのＣ１〜Ｃ６−アルキルで置換されたフェニルから選択され、Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７、およびＲ１４１８は、それぞれ水素であり；
（Ｂ１５）は、式（ＸＶ−１）
【化２５】
2022500707.tif 000122
の化合物であり；
（Ｂ１６）は、化合物（ＸＶＩ−１）
【化２６】
2022500707.tif 000123
から選択され、式中、
ｘ１６１は、１、２、または３であり、
ｙ１６２は、１、２、または３であり、
Ｒ１６１は、Ｃ１−Ｃ４−アルキルであり、
Ｒ１６２は、Ｃ１−Ｃ４−アルキルである、化合物
と、
化合物（ＸＶＩ−２）
【化２７】
2022500707.tif 000124
であって、式中、
ｘ１６１は、１、２、または３であり、
ｙ１６２は、１、２、または３であり、
Ｒ１６１は、Ｃ１−Ｃ４０アルキルであり、
Ｒ１６２は、Ｃ１−Ｃ４−アルキルである、化合物と、から選択され；
（Ｂ１７）は、以下の化合物から選択され、
【化２８】
2022500707.tif 000125
（Ｂ１８）は、以下の化合物
【化２９】
2022500707.tif 000126
【表１】
2022500707.tif 000127
【化３０】
2022500707.tif 000128
【表２】
2022500707.tif 000129
【化３１】
2022500707.tif 000130
【表３】
2022500707.tif 000131
から選択される、請求項１〜５のいずれか一項に記載の受信機。
【請求項７】
前記有機蛍光着色剤（Ｂ）が、以下の化合物およびそれらの混合物から選択される、請求項１〜６のいずれか一項に記載の受信機：
【化３２−１】
2022500707.tif 000132
【化３２−２】
2022500707.tif 000133
【化３２−３】
2022500707.tif 000134
【化３２−４】
2022500707.tif 000135
【化３２−５】
2022500707.tif 000136
【請求項８】
前記有機蛍光色素Ｂの発光寿命τ０が０．１ｎｓ〜１０ｎｓ、好ましくは０．２ｎｓ〜７ｎｓである、請求項１〜７のいずれか一項に記載の受信機。
【請求項９】
前記発光集光器の前記検出器がフォトダイオードまたはフォトダイオードのアレイである、請求項１〜８のいずれか一項に記載の受信機。
【請求項１０】
−  少なくとも１つの送信機（Ｔ）、および
−  少なくとも１つの受信機（Ｒ）を含み、
請求項１、６または７のいずれか一項に記載のＢ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂが前記受信機に存在する、光データ通信システム。
【請求項１１】
（ｉ）入力（Ａ）、
（ｉｉ）送信機（Ｔ）、
（ｉｉｉ）光路（Ｃ）、
（ｉｖ）受信機（Ｒ）、および
（ｖ）出力（Ｅ）、を含み、
請求項１、６または７のいずれか一項に記載のＢ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂが前記受信機に存在する、請求項１０に記載の光データ通信システム。
【請求項１２】
自由空間光データ通信システムである、請求項１０または１１に記載の光データ通信システム。
【請求項１３】
光データ通信システムのための受信機における、請求項１、６、または７のいずれか一項に定義される少なくとも１つの化合物の使用。
【発明の詳細な説明】
【技術分野】
【０００１】
本発明は、発光集光器（発光検出器, luminescent collector）を含む受信機（receiver）、当該受信機を含む光データ通信システム、および光データ通信システムの受信機における高速光検出器としての発光集光器の使用に関する。
【背景技術】
【０００２】
光データ通信、特に可視光通信（ＶＬＣ）、自由空間光通信（ＦＳＯ）、Ｌｉ−Ｆｉ（Ｌｉｇｈｔ  Ｆｉｄｅｌｉｔｙ）などの光無線通信（ＯＷＣ）は、急速に成長している技術分野であり、これに既存のワイヤレステクノロジーに代わる代わるまたは補完する高速で安全な無線通信の実装を目指している。モノのインターネットのような新技術（産業の基礎とされる、４．０、ＩＰ４．０（登録商標）など）、ウェアラブル（すなわちインプラントやアクセサリーなどの身体の上に着用することができるマイクロコントローラとスマート電子機器）および移動体通信における一般的な増加をデータストリームの急速な増加と新しい通信チャネルの必要性につながる。光データ通信システムでは、一般に、電気信号は送信機で光信号に変換される。光学光源は通常、発光ダイオード（ＬＥＤ）またはレーザーダイオード（ＬＤ）のいずれかである。次に、変調された光フィールドは、受信機に到達する前に自由空間経路を伝搬しうる。受信機では、光信号が電気信号に逆変換される。
【０００３】
Ｌｉ−Ｆｉは、高速無線通信用に強度が変化するＬＥＤ照明を使用した照明を介したデータ送信のために確立された用語である。Ｌｉ−Ｆｉは、オフィス、街灯、家庭でのＬＥＤ照明の普及とともに、既存の照明インフラストラクチャに追加の利点をもたらす。
【０００４】
ＯＷＣシステムの受信側では、半導体フォトダイオードが高周波の光検出器として一般的に使用されている。ただし、これらのダイオードの応答時間は、接合容量とキャリア通過時間によって制限され、検出器のサイズに比例しる。Ｔ．Ｇ．Ｔｉｅｃｋｅ  ｅｔ  ａｌ．、Ｏｐｔｉｃａ、Ｖｏｌ．３、Ｎｏ．７、Ｊｕｌｙ  ２０１６、７８７−７９２では、高速応答時間を維持しながら、光受信機の有効面積と視野を拡大する方法が提示されている。これは、波長シフト色素（発光集光器）をドープした光導波路を使用することによって実現される。通信信号で変調された入射光は、光の入射角とは無関係に色素分子によって吸収され、その後、異なる波長で再放射される。放出された光の一部はファイバによって集められ、小面積の半導体フォトダイオードに導かれる。発光集光器とフォトダイオードを組み合わせたシステムを発光検出器（ＬＤ）と呼ばれる。ただし、Ｔ．Ｇ．Ｔｉｅｃｋｅ  ｅｔ  ａｌ．では、特定の波長シフト色素については言及されていない。
【０００５】
米国特許出願第ＵＳ２０１７／０３４６５５６Ａ号は、入力光信号を受信するように構成された波長シフト要素を含む装置を開示し、波長シフト要素は、受信した入力光信号の少なくとも一部を吸収し、受信された入力光信号の吸収された部分から放出光信号を生成するように構成された波長シフト材料と、複数のプラズモン構造要素を含むプラズモン格子であって、プラズモン格子は、放出光信号の少なくとも一部を受信し、放出された光信号の受信された部分を光検出器に差し向けるように構成されるプラズモン格子と、放出光信号の差し向けられた部分を受信するように構成され、放出光信号の差し向けられた部分に対応する電流を生成する光検出器と、を備える。波長シフト材料の例として、無機材料のカドミウム／セレニド／硫化カドミウム（ＣｄＳｅ／ＣｄＳ）量子ドットおよびセレン化鉛／硫化鉛（ＰｄＳｅ／ＰｄＳ）量子ドットが挙げられる。
【０００６】
ＷＯ２０１７／０８９５４０Ａ１は、検出器、検出器システム、および少なくとも１つの対象の位置を決定するための方法に関する。
【０００７】
ただし、波長シフト材料としての従来の蛍光体のフォトルミネッセンス寿命（蛍光／リン光寿命または励起状態寿命）は長すぎて（１０ナノ秒超から最大数マイクロ秒超のオーダーの範囲）、高速のデータ転送をサポートできない。
【０００８】
したがって、良好な発光効率を維持しながら、発光性、特に数ナノ秒のオーダーの、好ましくはさらに短い蛍光寿命を有する蛍光体に対する大きな需要がある。
【先行技術文献】
【特許文献】
【０００９】
【特許文献１】米国特許出願第ＵＳ２０１７／０３４６５５６Ａ号明細書
【特許文献２】ＷＯ２０１７／０８９５４０Ａ１
【非特許文献】
【００１０】
【非特許文献１】Ｔ．Ｇ．Ｔｉｅｃｋｅ  ｅｔ  ａｌ．，Ｏｐｔｉｃａ、Ｖｏｌ．３、Ｎｏ．７，Ｊｕｌｙ  ２０１６、７８７−７９２
【発明の概要】
【発明が解決しようとする課題】
【００１１】
したがって、本発明の目的は、光データ通信システムの受信機において高速光検出器として使用するための発光集光器（発光検出器, luminescent collector）を提供し、当該発光集光器を含む受信機（レシーバー, receiver）を提供し、受信機を含む光データ通信システムを提供することである。
【課題を解決するための手段】
【００１２】
前述の目的は、（Ｂ１）ナフトイルベンゾイミダゾール化合物、（Ｂ２）シアン化ナフトイルベンゾイミダゾール化合物、（Ｂ３）式（ＩＩＩ）のシアン化ペリレン化合物、（Ｂ４）式（ＩＶ）のシアン化化合物、（Ｂ５）式（Ｖ）のベンゾ（チオ）キサンテン化合物、（Ｂ６）式（ＶＩＡ）または（ＶＩＢ）のベンゾイミダゾキサンテンイソキノリン化合物、（Ｂ７）式（ＶＩＩ）の少なくとも１つの構造単位を含む蛍光化合物、（Ｂ８）式（ＶＩＩＩ）または（ＩＸ）のペリレン化合物、（Ｂ９）式（Ｘ）のナフタレンモノイミド化合物、（Ｂ１０）７−（ジエチルアミノ）−３−（５−メチルベン［ｄ］オキサゾール−２−イル）−２Ｈ−クロメン−２−オン、（Ｂ１１）式（ＸＩＡ）または（ＸＩＢ）のペリレン化合物、（Ｂ１２）式（ＸＩＩＡ）または（ＸＩＩＢ）のシアン化ペリレン化合物、（Ｂ１３）式（ＸＩＩＩ）のペリレンビスイミド化合物、（Ｂ１４）式（ＸＩＶ）のペリレン化合物、（Ｂ１５）式（ＸＶ）の化合物、（Ｂ１６）式（ＸＶＩ）のテリレンビスイミド化合物、（Ｂ１７）シアノアリール置換ベンゾ（チオ）キサンテン化合物および（Ｂ１８）シアノ置換ＢＯＤＩＰＹ（ホウ素−ジピロメテン）染料からなる群から選択される少なくとも１つの有機蛍光着色剤Ｂを含む光データ通信システム用の受信機において、高速光検出器として使用するための発光集光器（発光検出器）を含む受信機によって解決されることが見出された。
【００１３】
目的は、本発明による受信機を含む光データ通信システムによって、および光データ通信システムの受信機の光検出器としての発光集光器（発光検出器）中での化合物（Ｂ１）から（Ｂ１８）からなる群から選択される少なくとも１つの有機蛍光着色剤Ｂの使用によってさらに解決される。
【００１４】
本発明は、発光集光器（luminescent collector）を含む受信機（receiver）であって、発光集光器が
ｉ）少なくとも１つの波長シフト材料と、
ｉｉ）少なくとも１つの検出器（detector）と、を含み、
ここで、波長シフト材料は、
ｉａ）高分子マトリックス材料、および
ｉｂ）
【００１５】
（Ｂ１）  式（Ｉ）
【化１】
2022500707.tif 000002
のナフトイルベンゾイミダゾール化合物であって、式中、
Ｒ１、Ｒ２、Ｒ３、Ｒ４、Ｒ５、Ｒ６、Ｒ７、Ｒ８、Ｒ９およびＲ１０基の少なくとも１つは、互いに独立して１、２または３つのシアノ基および０、１、２、３または４つの置換基ＲＡｒを有するアリールであり、残りのＲ１、Ｒ２、Ｒ３、Ｒ４、Ｒ５、Ｒ６、Ｒ７、Ｒ８、Ｒ９およびＲ１０基は、互いに独立して水素および非置換または１、２、３、４もしくは５つの置換基ＲＡｒを有するアリールから選択され、
ここで、
ＲＡｒは、互いに独立して、かつ各出現において独立して、ハロゲン、
Ｃ１〜Ｃ３０−アルキル、Ｃ２〜Ｃ３０−アルケニル、Ｃ２〜Ｃ３０−アルキニル（後者の３つのラジカルは非置換であるか、１つ以上のＲａ基を有する）、
Ｃ３〜Ｃ８−シクロアルキル、３〜８員のヘテロシクリル（後者の２つのラジカルは非置換であるか、１または複数のＲｂ基を有する）、
アリールおよびヘテロアリール（後者の２つのラジカルが非置換であるか、１つ以上のＲｃ基を有する）から選択され、
ここで、
Ｒａは、互いに独立して、かつ各出現において独立して、シアノ、ハロゲン、Ｃ３〜Ｃ８−シクロアルキル、３〜８員のヘテロシクリル、アリールおよびヘテロアリールから選択され、ここで、Ｃ３〜Ｃ８−シクロアルキル、３〜８員のヘテロシクリルは非置換であるか１つ以上のＲｂ１基を有し、アリールおよびヘテロアリールは非置換であるか１つ以上のＲｃ１基を有し、
Ｒｂは、互いに独立して、かつ各出現において独立して、シアノ、ハロゲン、Ｃ１〜Ｃ１８−アルキル、Ｃ３〜Ｃ８−シクロアルキル、３〜８員のヘテロシクリル、アリールおよびヘテロアリールから選択され、ここで、Ｃ３〜Ｃ８−シクロアルキル、３〜８員のヘテロシクリルは非置換であるか、１つ以上のＲｂ１基を有し、アリールおよびヘテロアリールは非置換であるか、または１つ以上のＲｃ１基を有し、
Ｒｃは、互いに独立して、かつ各出現において独立して、シアノ、ハロゲン、Ｃ１〜Ｃ１８−アルキル、Ｃ３〜Ｃ８−シクロアルキル、３〜８員のヘテロシクリル、アリールおよびヘテロアリールから選択され、ここで、Ｃ３〜Ｃ８−シクロアルキル、３〜８員のヘテロシクリルは非置換であるか、１つ以上のＲｂ１基を有し、アリールおよびヘテロアリールは非置換であるか、１つ以上のＲｃ１基を有し、
ＲＢ１は、互いに独立して、かつ各出現において独立して、ハロゲン、Ｃ１〜Ｃ１８−アルキルおよびＣ１〜Ｃ１８−ハロアルキルから選択され、
Ｒｃ１は、互いに独立して、かつ各出現において独立して、ハロゲン、Ｃ１〜Ｃ１８−アルキルおよびＣ１〜Ｃ１８−ハロアルキルから選択される、
ナフトイルベンゾイミダゾール化合物およびそれらの混合物；
【００１６】
（Ｂ２）  式（ＩＩ）
【化２】
2022500707.tif 000003
のシアン化ナフトイルベンゾイミダゾール化合物であって、式中、
Ｒ２１、Ｒ２２、Ｒ２３、Ｒ２４、Ｒ２５、Ｒ２６、Ｒ２７、Ｒ２８、Ｒ２９およびＲ２１０は、それぞれ独立して、水素、シアノまたは非置換であるか、１つ以上の同一のまたは異なる置換基Ｒ２Ａｒを有するアリールであり、
ここで、
各Ｒ２Ａｒは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２Ｒ２Ａｒ３、
−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、
−ＣＯＯＲ２Ａｒ２、−ＳＯ３Ｒ２Ａｒ２、
Ｃ１〜Ｃ３０−アルキル、Ｃ２〜Ｃ３０−アルケニル、Ｃ２〜Ｃ３０−アルキニル（後者の３つのラジカルは非置換であるか、１つ以上のＲ２ａ基を有する）、
Ｃ３〜Ｃ８−シクロアルキル、３〜８員のヘテロシクリル、（後者の２つのラジカルは非置換であるか、１つ以上のＲ２ｂ基を有する）、
アリール、Ｕ−アリール、ヘテロアリールおよびＵ−ヘテロアリール（後者の４つのラジカルは非置換であるか、１つ以上のＲ２ｂ基を有する）、から独立して選択され、
ここで、
各Ｒ２ａは、シアノ、ヒドロキシル、オキソ、メルカプト、ハロゲン、Ｃ１〜Ｃ２０−アルコキシ、Ｃ１〜Ｃ２０−アルキルチオ、ニトロ、
−ＮＲ２Ａｒ２ＲＡｒ３、−ＮＲ２Ａｒ２ＣＯＲ２Ａｒ３、−ＣＯＮＲ２Ａｒ２ＲＡｒ３、−ＳＯ２ＮＲ２Ａｒ２ＲＡｒ３、
−ＣＯＯＲ２Ａｒ２、−ＳＯ３Ｒ２Ａｒ２、Ｃ３〜Ｃ８−シクロアルキル、３〜８員のヘテロシクリル、アリールおよびヘテロアリールから独立して選択され、ここで、シクロアルキル、ヘテロシクリル、アリールおよびヘテロアリールラジカルは非置換であるか、１つ以上のＲ２ｂ基を有し、
各Ｒ２ｂは、シアノ、ヒドロキシル、オキソ、メルカプト、ハロゲン、Ｃ１〜Ｃ２０−アルコキシ、Ｃ１〜Ｃ２０−アルキルチオ、ニトロ、
−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、
−ＣＯＯＲ２Ａｒ２、−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ３〜Ｃ８−シクロアルキル、３〜８員のヘテロシクリル、アリールおよびヘテロアリールから独立して選択され、ここで後者の４つのラジカルは非置換であるか、１つ以上のＲ２ｂ１基を有し、
各Ｒ２ｂ１は、シアノ、ヒドロキシル、メルカプト、オキソ、ニトロ、ハロゲン、−ＮＲ２Ａｒ２Ｒ２Ａｒ３、−ＮＲ２Ａｒ２ＣＯＲ２Ａｒ３、
−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、
−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ１〜Ｃ１２−アルコキシ、およびＣ１〜Ｃ１２−アルキルチオから独立して選択され、
Ｕは−Ｏ−、−Ｓ−、−ＮＲ２Ａｒ１−、−ＣＯ−、−ＳＯ−または−ＳＯ２−部分であり、
Ｒ２Ａｒ１、Ｒ２Ａｒ２、Ｒ２Ａｒ３はそれぞれ独立して水素、Ｃ１〜Ｃ１８−アルキル、３〜８員のシクロアルキル、３〜８員のヘテロシクリル、アリールまたはヘテロアリールであり、ここでアルキルは非置換または１つ以上のＲ２ａ基を有し、ここで３〜８員のシクロアルキル、３〜８員のヘテロシクリル、アリールおよびヘテロアリールは、非置換であるか、または１つ以上のＲ２ｂ基を有するシアン化ナフトイルベンゾイミダゾール化合物を有し
（ただし、式ＩＩの化合物が少なくとも１つのシアノ基を含む）、
およびそれらの混合物；
【００１７】
（Ｂ３）  式（ＩＩＩ）
【化３】
2022500707.tif 000004
のシアン化ペリレン化合物であって、
Ｚ３置換基の１つは、シアノであり、他のＺ３の置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリールであり、ここで
Ｃ１〜Ｃ１８−アルキル、Ｃ２〜Ｃ１８−アルケニル、Ｃ２〜Ｃ１８−アルキニルは非置換であるか、１つ以上の同一のまたは異なるＺ３ａ置換基を有し、
Ｃ３〜Ｃ１２−シクロアルキルは、非置換であるか１つ以上の同一のまたは異なるＺ３ｂ置換基を有し、
Ｃ６〜Ｃ１４−アリールは、非置換であるか、または１つ以上の同一のまたは異なるＺ３Ａｒ置換基を有し、
Ｚ３＊置換基の１つは、シアノであり、他のＺ３＊置換基がＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリールであり、ここで
Ｃ１〜Ｃ１８−アルキル、Ｃ２〜Ｃ１８−アルケニル、Ｃ２〜Ｃ１８−アルキニルは非置換であるか、１つ以上の同一のまたは異なるＺ３ａ置換基を有し、
Ｃ３〜Ｃ１２−シクロアルキルは、非置換であるか、１つ以上の同一のまたは異なるＺ３ｂ置換基を有し、
Ｃ６〜Ｃ１４−アリールは、非置換であるか、または１つ以上の同一のまたは異なるＺ３Ａｒ置換基を有し、
Ｒ３１、Ｒ３２、Ｒ３３、Ｒ３４、Ｒ３５、Ｒ３６、Ｒ３７、およびＲ３８は、それぞれ独立して、水素、シアノ、臭素、および塩素から選択され
（ただし、Ｒ３１、Ｒ３２、Ｒ３３、Ｒ３４、Ｒ３５、Ｒ３６、Ｒ３７またはＲ３８置換基の１、２、３、４、５、６、７または８つはシアノである）、
ここで、
Ｒ３９が水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり、
Ｃ１〜Ｃ１０−アルキル、Ｃ２〜Ｃ１０−アルケニル、Ｃ２〜Ｃ１０−アルキニルは非置換であるか、１つ以上の同一のまたは異なるＲ３ａ置換基を有し、
Ｃ３〜Ｃ１２−シクロアルキルは、非置換であるか、１つ以上の同一のまたは異なるＲ３ｂ置換基を有し、
Ｃ６〜Ｃ１４−アリールは、非置換であるか、または１つ以上の同一のまたは異なるＲ３Ａｒの置換基を有し、
Ｒ３１０およびＲ３１１は、それぞれ独立して水素，Ｃ１〜Ｃ１０−アルキル、Ｃ２〜Ｃ１０−アルケニル、Ｃ２〜Ｃ１０−アルキニル，Ｃ３〜Ｃ１２−シクロアルキルまたはＣ６〜Ｃ１４−アリールであり、ここで、
Ｃ１〜Ｃ１０−アルキル、Ｃ２〜Ｃ１０−アルケニル、Ｃ２〜Ｃ１０−アルキニルは非置換であるか、１つ以上の同一のまたは異なるＲ３ａ置換基を有し、
Ｃ３〜Ｃ１２−シクロアルキルは、非置換であるか１つ以上の同一のまたは異なるＲ３ｂ置換基を有し、
Ｃ６〜Ｃ１４−アリールは、非置換であるか、または１つ以上の同一のまたは異なるＲ３Ａｒ置換基を有し、
各Ｚ３ａは、独立してハロゲン、ヒドロキシル、ＮＲ３１０ａＲ３１１ａ、Ｃ１〜Ｃ１０−アルコキシ、Ｃ１〜Ｃ１０−ハロアルコキシ、Ｃ１〜Ｃ１０−アルキルチオ、Ｃ３〜Ｃ１２−シクロアルキル、Ｃ６〜Ｃ１４−アリール、Ｃ（＝Ｏ）Ｒ３９ａ、Ｃ（＝Ｏ）ＯＲ３９ａまたはＣ（Ｏ）ＮＲ３１０ａＲ３１１ａであり、ここで
Ｃ３〜Ｃ１２−シクロアルキルは、非置換であるか、１つ以上の同一のまたは異なるＲ３ｂ置換基を有し、
Ｃ６〜Ｃ１４−アリールは、非置換であるか、または１つ以上の同一のまたは異なるＲ３Ａｒ置換基を有し、
各Ｚ３ｂおよび各Ｚ３Ａｒは、独立して、ハロゲン、ヒドロキシル、ＮＲ３１０ＡＲ３１１Ａ、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ（＝Ｏ）Ｒ３９ａ；Ｃ（＝Ｏ）ＯＲ３９ａまたはＣ（Ｏ）ＮＲ３１０ａＲ３１１ａであり、
各Ｒ３ａは独立して、ハロゲン、ヒドロキシル、Ｃ１〜Ｃ１０アルコキシ、Ｃ３〜Ｃ１２−シクロアルキルまたはＣ６〜Ｃ１４−アリールであり、
各Ｒ３ｂは、独立してハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０アルキニル、Ｃ３〜Ｃ１２−シクロアルキルまたはＣ６〜Ｃ１４アリールであり、
各Ｒ３Ａｒは、独立してハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０アルキニル、Ｃ３〜Ｃ１２−シクロアルキルまたはＣ６〜Ｃ１４アリールであり、
Ｒ３９ａは、水素、Ｃ１〜Ｃ１０−アルキル、Ｃ２〜Ｃ１０−アルケニル、Ｃ２〜Ｃ１０アルキニル、Ｃ３−Ｃ１２−シクロアルキルまたはＣ６〜Ｃ１４アリールであり、
Ｒ３１０ａ、Ｒ３１１ａは、それぞれ独立して、水素、Ｃ１〜Ｃ１０−アルキル、Ｃ２〜Ｃ１０−アルケニル、Ｃ２〜Ｃ１０アルキニル、Ｃ３〜Ｃ１２−シクロアルキルまたはＣ６〜Ｃ１４−アリールである、シアン化ペリレン化合物、
およびそれらの混合物；
【００１８】
（Ｂ４）  式（ＩＶ）
【化４】
2022500707.tif 000005
のシアン化合物であって、式中、
ｍ４は０、１、２、３、または４であり、
各Ｒ４１は、互いに独立して、臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンから選択され、ここで最後に述べた６つのラジカル中のシクロアルキル、ヘテロシクロアルキル、ヘテロアリール、アリール、アリールオキシの環は、非置換であるか、１、２、３、４または５つの同一のまたは異なるラジカルＲ４１ａで置換されており、ここでＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲ４ｃから選択される１つ以上の基によって中断されてもよく、
ラジカルＲ４２、Ｒ４３、Ｒ４４およびＲ４５のうちの少なくとも１つはＣＮであり、残りのラジカルは、互いに独立して、水素、塩素および臭素から選択され、
Ｘ４０は、Ｏ、Ｓ、ＳＯまたはＳＯ２であり、
Ａは、一般式（Ａ．１）、（Ａ．２）、（Ａ．３）、および（Ａ．４）
のジラジカルから選択されるジラジカルであり、
【００１９】
【化５】
2022500707.tif 000006
式中、
＊はいずれの場合も、分子の残りの部分への付着点を示し、
ｎ４は０、１、２、３、または４であり、
ｏ４は０、１、２、または３であり、
ｐ４は０、１、２、または３であり、
Ｒ４６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリールまたはＣ６〜Ｃ２４−アリール、Ｃ１〜Ｃ１０−アルキレンであって、最後に述べた３つのラジカル中のシクロアルキル、アリール、およびアリール−アルキレンの環は、非置換であるか、１、２、３、４、または５つの同一のまたは異なるラジカルＲ４６ａで置換されており、Ｃ１〜Ｃ２４アルキル、Ｃ１〜Ｃ２４−ハロアルキルおよびＣ６〜Ｃ２４−アリール−Ｃ１〜Ｃ１０−アルキレンのアルキレン部分は、１つ以上のヘテロ原子またはＯ、Ｓから選択されるヘテロ原子基およびＮＲ４ｃによって中断されてもよく、
各Ｒ４７は、互いに独立に臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンから選択され、６つの最後に述べたラジカル中のシクロアルキル、ヘテロシクロアルキル、ヘテロアリール、アリールおよびアリール−アルキレンの環は非置換であるか、または１、２、３、４または５つの同一または異なる基Ｒ４７ａで置換され、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分はＯ、ＳおよびＮＲ４ｃから選択される１つ以上の基で中断されてもよく、
各Ｒ４８は、臭素、塩素、シアノ、ＮＲ４ＡＲ４Ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンから互いに独立にから選択され、最後に述べた６つのラジカル内のシクロアルキル、ヘテロシクロアルキル、ヘテロアリール、アリールおよびアリール−アルキレンの環は、非置換または１、２、３、４のまたは５つの同一または異なる基Ｒ４８ａで置換され、ここでＣ１〜Ｃ２４−アルキル、１〜Ｃ２４−ハロアルキル、Ｃ１〜Ｃ２４−アルコキシ、Ｃ１〜Ｃ２４−ハロアルコキシ、および、Ｃ６〜Ｃ２４−アリール−Ｃ１〜Ｃ１０−アルキレンのアルキレン部分はＯ、ＳおよびＮＲ４ｃから選択される１つ以上の基によって中断されてもよく、
各Ｒ４９は、臭素、塩素、シアノ、ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンから互いに独立にから選択され、最後に述べた６つのラジカル中のシクロアルキル、ヘテロシクロアルキル、ヘテロアリール、アリールおよびアリール−アルキレンの環は、非置換または１、２、３、４または５つの同一のまたは異なるラジカルＲ４９ａで置換され、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分はＯ、ＳおよびＮＲ４ｃから選択される１つ以上の基によって中断されてもよく、
Ｒ４１ａ、Ｒ４６ａ、Ｒ４７ａ、Ｒ４８ａ、Ｒ４９ａは、Ｃ１〜Ｃ２４−アルキル、Ｃ１〜Ｃ２４−フルオロアルキル、Ｃ１〜Ｃ２４−アルコキシ、フッ素、塩素および臭素から互いに独立して選択され、
Ｒ４ａとＲ４ｂと、Ｒ４ｃは、互いに独立して、水素、Ｃ１〜Ｃ２０−アルキル、Ｃ３〜Ｃ２４−シクロアルキル、ヘテロシクロアルキル、ヘテロアリールおよびＣ６〜Ｃ２４アリールから選択される、シアン化合物、
およびそれらの混合物；
【００２０】
（Ｂ５）  式（Ｖ）
【化６】
2022500707.tif 000007
のベンゾ（チオ）キサンテン化合物であって、式中、
Ｘ５は酸素または硫黄であり、
Ｒ５１は、非置換であるか、１つ以上のＲ５１ａ基によって置換されているＣ１−Ｃ２４−アルキルであるか、またはＲ５１は、非置換であるか、またはハロゲン、Ｒ５１１、ＯＲ５５２、ＮＨＲ５５２およびＮＲ５５２Ｒ５５７から選択される１、２、３、４、または５つの置換基を有するフェニルであり、
Ｒ５１ａは、互いに独立して、かつ各出現において独立して、シアノ、ハロゲン、Ｃ３〜Ｃ８−シクロアルキル、３から８員のヘテロシクリル、アリールおよびヘテロアリールから選択され、ここで、Ｃ３〜Ｃ８−シクロアルキル、３から８員のヘテロシクリル、アリールおよびヘテロアリールは、非置換であるか、またはハロゲン、Ｃ１〜Ｃ１８−アルキルおよびＣ１〜Ｃ１８−ハロアルキルから選択される１つ以上の置換基を有し、
Ｒ５２、Ｒ５３、Ｒ５４、Ｒ５５、Ｒ５６、Ｒ５７、Ｒ５８およびＲ５９は、互いに独立して水素、ハロゲン、Ｒ５５３、ＯＲ５５３、ＮＨＲ５５３およびＮＲ５５３Ｒ５５４から選択され、
式中、
Ｒ５１１はＣ１〜Ｃ２０−アルキル、Ｃ６〜Ｃ２４−アリールおよびヘテロアリールから選択され、
Ｒ５５２およびＲ５５７は、互いに独立して、Ｃ１〜Ｃ１８−アルキル、Ｃ６〜Ｃ２４−アリールおよびヘテロアリールから選択され、
Ｒ５５３およびＲ５５４は、互いに独立して、Ｃ１〜Ｃ１８−アルキル、Ｃ６〜Ｃ２４−アリールおよびヘテロアリールから選択される、ベンゾ（チオ）キサンテン化合物、
およびそれらの混合物；
【００２１】
（Ｂ６）  式（ＶＩＡ）または（ＶＩＢ）
【化７】
2022500707.tif 000008
のベンゾイミダゾキサンテンイソキノリン化合物であって、式中、
Ｘ６は、酸素または硫黄であり、
Ｒ６１、Ｒ６２、Ｒ６３、Ｒ６４、Ｒ６５、Ｒ６６、Ｒ６７、Ｒ６８、Ｒ６９、Ｒ６１０、Ｒ６１１、およびＲ６１２は、互いに独立して、水素、ハロゲン、Ｒ６６１、または６６１、ＮＨＲ６６１およびＮＲ６６１Ｒ６６２、から選択され、
式中、
各Ｒ６６１は、Ｃ１〜Ｃ１８−アルキル、Ｃ６〜Ｃ２４−アリールおよびヘテロアリールから選択され、および
各Ｒ６６２は、Ｃ１〜Ｃ１８−アルキル、Ｃ６〜Ｃ２４−アリールおよびヘテロアリールから選択される、ベンゾイミダゾキサンテンイソキノリン化合物、
ならびにそれらの混合物；
【００２２】
（Ｂ７）  式（ＶＩＩ）
【化８】
2022500707.tif 000009
の少なくとも１つの構造単位を含む蛍光化合物であって、ここで、示されているベンゾイミダゾール構造の６員環の１つ以上のＣＨ基は窒素で置き換えてもよく、ここで記号はそれぞれ
ｎ７は、式（ＶＩＩ）の各構造単位の０から（１０−ｐ７）までの数値であり；ここで、ｐ７は、示されるベンゾイミダゾール構造の６員環で窒素に置き換えられたＣＨ単位の数であり；
Ｘ７は、化学結合、Ｏ、Ｓ、ＳＯ、ＳＯ２、ＮＲ７１であるように定義され、および
Ｒは脂肪族ラジカル、脂環式ラジカル、アリール、ヘテロアリールであり、それぞれが置換基を有してもよく、
式（ＶＩＩ）の構造単位の他の芳香族環にそれぞれが融合している芳香族環またはヘテロ芳香族環または環系は、
Ｘ７が化学結合でない場合、Ｆ、Ｃｌ、Ｂｒ、ＣＮ、Ｈであり、
ここで、２つのＲラジカルを結合して、１つの環状ラジカルを生じ得、
ここで、Ｘ７とＲは、ｎ７＞１の場合、同じでも異なってもよく、
Ｒ７１は、それぞれ独立して、Ｃ１〜Ｃ１８−アルキルまたはシクロアルキルであって、その炭素鎖は１つ以上の−Ｏ−、−Ｓ−、−ＣＯ−、−ＳＯ−および／または−ＳＯ２部分を含むことができ、一置換または多置換され得、
アリールまたはヘテロアリールは一置換または多置換され得る、蛍光化合物、
およびそれらの混合物；
【００２３】
（Ｂ８）  式（ＶＩＩＩ）または（ＩＸ）
【化９】
2022500707.tif 000010
のペリレン化合物であって、ここで、
Ｒ８１、Ｒ８２は、それぞれ独立して、１つ以上の酸素、Ｃ３−Ｃ８−シクロアルキル、Ｃ６〜Ｃ１０−アリール、ヘテロアリール、Ｃ６〜Ｃ１０−アリール−Ｃ１〜Ｃ１０−アルキレン（３つの後者のラジカル中の芳香環は、非置換であるかまたはＣ１〜Ｃ１０−アルキルによって一置換または多置換されている）で中断される、Ｃ１〜Ｃ３０−アルキル、Ｃ２−Ｃ３０−アルキルであり、
Ｒ９２は、Ｃ１〜Ｃ３０−アルキル、Ｃ３〜Ｃ８−シクロアルキル、アリール、ヘテロアリール、アリール−Ｃ１〜Ｃ１０−アルキレンであり、ここで後者の３つのラジカル中の芳香族環は非置換であるか、または一置換もしくは多置換Ｃ１〜Ｃ１０−アルキルである、ペリレン化合物：
【００２４】
（Ｂ９）  式（Ｘ）
【化１０】
2022500707.tif 000011
のナフタレンモノイミド化合物であって、式中、
各Ｒ１０１は、互いに独立して、１つ以上の酸素、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（後者の３つのラジカル中の芳香環は、非置換であるかまたは一置換または多置換された、Ｃ１〜Ｃ１０−アルキルである）によって中断される、水素、Ｃ１〜Ｃ３０−アルキル、Ｃ２〜Ｃ３０−アルキルであり、
Ｒ１０２は、水素または１もしくは複数の酸素、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（後者の３つのラジカル中の芳香族環は非置換であるか、またはＣ１〜Ｃ１０−アルキルによって一置換または多置換される）、によって中断された、Ｃ１〜Ｃ３０−アルキル、Ｃ２〜Ｃ３０−アルキルである、ナフタレンモノイミド化合物；
【００２５】
（Ｂ１０）  ７−（ジエチルアミノ）−３−（６−メチルベンゾ［ｄ］オキサゾール−２−イル）−２Ｈ−クロメン−２−オン；
【００２６】
（Ｂ１１）  式（ＸＩＡ）または（ＸＩＢ）
【化１１】
2022500707.tif 000012
のペリレン化合物であって、式中、
各Ｒ１１１は、互いに独立して、ハロゲンまたは直鎖もしくは分岐Ｃ１〜Ｃ１８アルキルによって一置換または多置換される、またはハロゲンまたは直鎖もしくは分岐Ｃ１〜Ｃ１８アルキルによって一置換または多置換されるフェニルまたはナフチルである、Ｃ１〜Ｃ１８アルキル、Ｃ４〜Ｃ８シクロアルキルである、ペリレン化合物、
およびそれらの混合物；
【００２７】
（Ｂ１２）  式（ＸＩＩＡ）または（ＸＩＩＢ）
【化１２】
2022500707.tif 000013
のシアン化ペリレン化合物であって、式中、
各Ｒ１２１は、互いに独立して、ハロゲンまたは直鎖もしくは分岐Ｃ１〜Ｃ１８アルキルによって一置換または多置換される、またはハロゲンまたは直鎖もしくは分岐Ｃ１〜Ｃ１８アルキルによって一置換または多置換されるフェニルまたはナフチルであるＣ１〜Ｃ１８アルキル、Ｃ４〜Ｃ８シクロアルキルであるシアン化ペリレン化合物
およびそれらの混合物；
【００２８】
（Ｂ１３）  式（ＸＩＩＩ）
【化１３】
2022500707.tif 000014
のペリレンビスイミド化合物であって、
ｐ１３は１、２、３、または４であり；
Ｒ１３１およびＲ１３２は、互いに独立して、非置換、またはＣ６〜Ｃ１０−アリール［これはまた非置換または１、２または３つのＣ１〜Ｃ１０−アルキル、Ｃ２〜Ｃ２０−アルキル（これは１個以上の酸素原子で中断されている）、Ｃ３〜Ｃ８−シクロアルキル（非置換であるか、１、２、または３つのＣ１〜Ｃ１０−アルキルで置換されている）、Ｃ６〜Ｃ１０−アリール（非置換であるか、または１、２または３つのＣ１〜Ｃ１０−アルキルで置換されている）により置換されている］、により置換されているＣ１〜Ｃ１０−アルキルであり；
各Ｒ１３３は、互いに独立して、フッ素、塩素、１つ以上の酸素原子で中断されるＣ１〜Ｃ１６−アルキル、Ｃ２〜Ｃ１６−アルキル、非置換またはフッ素、塩素により一置換または多置換されるＣ１〜Ｃ１６アルコキシ、Ｃ６〜Ｃ１０−アリールオキシ、１つ以上の酸素で中断されるＣ１〜Ｃ１６−アルキル、Ｃ２〜Ｃ１６−アルキル、非置換またはＣ１〜Ｃ６−アルキル、Ｃ１〜Ｃ６−アルコキシ−Ｃ１〜Ｃ６−アルキルおよびＣ１〜Ｃ６−アルコキシから選択される１、２または３つのラジカルによって置換されるＣ１〜Ｃ１６−アルコキシまたはＣ６〜Ｃ１０−アリールであり、
ここで、Ｒ１３３ラジカルは＊で示された位置にある、ペリレンビスイミド化合物、
およびそれらの混合物；
【００２９】
（Ｂ１４）  式（ＸＩＶ）
【化１４】
2022500707.tif 000015
のペリレン化合物であって、式中、
Ｒ１４１とＲ１４２は、互いに独立して、水素、
各場合において、非置換または置換Ｃ１〜Ｃ３０−アルキル、ポリアルキレンオキシ、Ｃ１〜Ｃ３０−アルコキシ、Ｃ１〜Ｃ３０アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４アリールオキシから選択され、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７、Ｒ１４１８は、互いに独立して、水素、ハロゲン、シアノ、ヒドロキシル、メルカプト、ニトロ、−ＮＥ１４１Ｅ１４２、−ＮＲＡｒ１４１ＣＯＲＡ１４２、
−ＣＯＮＲＡｒ１４１ＲＡｒ１４２、−ＳＯ２ＮＲＡ１４１ＲＡ１４２、−ＣＯＯＲＡｒ１４１、−ＳＯ３ＲＡｒ１４２、
各場合において非置換または置換Ｃ１〜Ｃ３０−アルキル、ポリアルキレンオキシ、Ｃ１〜Ｃ３０−アルコキシ、Ｃ１〜Ｃ３０アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４アリールオキシおよびＣ６〜Ｃ２４−アリールチオから選択され、
ここで、Ｒ１４３およびＲ１４４、Ｒ１４４およびＲ１４５、Ｒ１４５およびＲ１４６、Ｒ１４６およびＲ１４７、Ｒ１４７およびＲ１４８、Ｒ１４８およびＲ１４９、Ｒ１４９およびＲ１４１０、Ｒ１４１１およびＲ１４１２、Ｒ１４１２およびＲ１４１３、Ｒ１４１３およびＲ１４１４、Ｒ１４１４およびＲ１４１５、Ｒ１４１５およびＲ１４１６、Ｒ１４１６およびＲ１４１７ならびに／またはＲ１４１７およびＲ１４１８は、それらが結合されるビフェニリル部分の炭素原子と共にさらなる融合芳香族または非芳香族環系を形成し得（式中、融合環系が非置換または置換されている）、
ここで、
Ｅ１４１およびＥ１４２は、互いに独立して、水素、非置換または置換Ｃ１〜Ｃ１８−アルキル、非置換または置換Ｃ２〜Ｃ１８−アルケニル、非置換または置換Ｃ２〜Ｃ１８−アルキニル、非置換または置換Ｃ３〜Ｃ２０−シクロアルキルまたは非置換もしくは置換Ｃ６〜Ｃ１０−アリールであり；
ＲＡｒ１４１およびＲＡｒ１４２は、それぞれ互いに独立して、水素、非置換または置換Ｃ１〜Ｃ１８−アルキル、非置換または置換Ｃ３〜Ｃ２０−シクロアルキル、非置換または置換ヘテロシクリル、非置換または置換Ｃ６〜Ｃ２０−アリールまたは非置換または置換ヘテロアリールである、ペリレン化合物、
およびそれらの混合物；
【００３０】
（Ｂ１５）  式（ＸＶ）
【化１５】
2022500707.tif 000016
の化合物；
【００３１】
（Ｂ１６）  式（ＸＶＩ）
【化１６】
2022500707.tif 000017
のテリレンビスイミド化合物であって、式中、
ｐ１６は０、１、２、３、または４であり、
Ｒ１６１およびＲ１６２は、互いに独立して、非置換、またはＣ６〜Ｃ１０−アリール（これは、次いで、非置換であるか、１、２または３つのＣ１〜Ｃ１０−アルキルで置換されている）で置換されているＣ１〜Ｃ１０−アルキル、
１１つ以上の酸素で中断されたＣ２〜Ｃ２０−アルキル、
非置換であるか、１、２、または３つのＣ１〜Ｃ１０−アルキルで置換されている、Ｃ３〜Ｃ８−シクロアルキル、または
非置換であるか、または１、２または３つのＣ１〜Ｃ１０−アルキルで置換されたＣ６〜Ｃ１０−アリールであり、
Ｒ１６３が存在する場合、互いに独立して、フッ素、塩素、１つ以上の酸素によって中断されるＣ１〜Ｃ１６−アルキル、Ｃ２〜Ｃ１６−アルキル、非置換またはフッ素、塩素で一置換または多置換されるＣ１〜Ｃ１６−アルコキシ、Ｃ６〜Ｃ１６−アリールオキシ、１つ以上の酸素によって中断されるＣ１〜Ｃ１６−アルキル、Ｃ２〜Ｃ１６−アルキル、非置換またはＣ１〜Ｃ６−アルキル、Ｃ１〜Ｃ６−アルコキシ−Ｃ１〜Ｃ６−アルキルおよびＣ１−Ｃ６−アルコキシから選択される１、２または３つのラジカルにより置換されるＣ１〜Ｃ１６−アルコキシまたはＣ６〜Ｃ１０アリールであり、
ここで、Ｒ１６３ラジカルは＊で示された位置にある、テリレンビスイミド化合物、
およびそれらの混合物；
【００３２】
（Ｂ１７）  式（ＸＶＩＩ）
【化１７】
2022500707.tif 000018
のシアノアリール置換ベンゾ（チオ）キサンテン化合物であって、式中、
ｍは０、１、２、３、または４であり、
各Ｒ１は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシＣ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０からなる群から選択され、６つの最後に述べたラジカル中のシクロアルキル、ヘテロシクロアルキル、ヘテロアリール、アリール、アリールオキシおよびアリール−アルキレンの環は非置換であるか、または１、２、３、４または５つの同一のまたは異なるラジカルＲ１ａで置換され、ここでＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分はＯ、ＳおよびＮＲｃのからなる群から選択される１１つ以上の基によって中断されてもよく、
Ｒ２、Ｒ３、Ｒ４およびＲ５は、水素、塩素、臭素および１、２または３つのシアノ基を有するＣ６〜Ｃ２４−アリールからなる群から選択され
（ただし、前記ラジカルＲ１、Ｒ２、Ｒ３、Ｒ４およびＲ５のうちの少なくとも１つは、１、２、または３つのシアノ基を有するＣ６〜Ｃ２４−アリールである）、
ＸはＯ、Ｓ、ＳＯまたはＳＯ２であり、
Ａは、一般式（Ａ．１）、（Ａ．２）、（Ａ．３）、および（Ａ．４）
【００３３】
【化１８】
2022500707.tif 000019
のジラジカルからなる群から選択されるジラジカルであり、式中、
＊いずれの場合も、分子の残りの部分への付着点を示しており、
ｎは０、１、２、３、または４であり、
ｏは０、１、２、または３であり、
ｐが、０、１、２、または３であり、
Ｒ６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリール、Ｃ６〜Ｃ２４−アリール−Ｃ１〜Ｃ１０−アルキレンであり、最後に述べた３つのラジカルの中のシクロアルキル、アリール、およびアリール−アルキレンの環は非置換であるか、１、２、３、４、または５つの同一のまたは異なるラジカルＲ６ａで置換されており、Ｃ１〜Ｃ２４アルキル、Ｃ１〜Ｃ２４−ハロアルキル、およびＣ６〜Ｃ２４−アリール−Ｃ１〜Ｃ１０−アルキレンのアルキレン部分は、１１つ以上のヘテロ原子またはＯ、ＳおよびＮＲｃからなる群から選択されるヘテロ原子基によって中断されてもよく、
各Ｒ７は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンからなる群から選択され、ここで、最後に述べた６つのラジカル中のシクロアルキル、ヘテロシクロアルキル、ヘテロアリール、アリール、およびアリール−アルキレンの環は、非置換であるか、１、２、３、４、または５つの同一のまたは異なるラジカルＲ７ａで置換されており、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１つ以上の基により中断されてもよく、
各Ｒ８は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４アリールオキシ、Ｃ６〜Ｃ２４−アリール−Ｃ１〜Ｃ１０−アルキレンからなる群から選択され、６つの最後に述べたラジカルの中のシクロアルキル、ヘテロシクロアルキル、ヘテロアリール、アリールおよびアリール−アルキレンの環は、非置換または１、２、３、４または５つの同一のまたは異なる基Ｒ８ａに置換され、ここでＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分はＯ、ＳおよびＮＲｃのからなる群から選択される１つ以上の基によって中断されてもよく、
各Ｒ９は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３−Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール、Ｃ１〜Ｃ１０−アルキレンからなる群から選択され、最後に述べた６つのラジカル中のシクロアルキル、ヘテロシクロアルキル、ヘテロアリール、アリールおよびアリール−アルキレンの環は、非置換または、１、２、３、４または５つの同一または異なる基Ｒ９ａで置換され、ここでＣ１−Ｃ２４アルキル、Ｃ１〜Ｃ２４−ハロアルキル、Ｃ１〜Ｃ２４−アルコキシ、Ｃ１〜Ｃ２４−ハロアルコキシおよびＣ６〜Ｃ２４−アリール−Ｃ１〜Ｃ１０−アルキレンのアルキレン部分は、Ｏ、ＳおよびＮＲｃのからなる群から選択される１または複数の基で中断されてもよく、
Ｒ１ａ、Ｒ６ａ、Ｒ７ａ、Ｒ８ａ、Ｒ９ａは、互いに独立してＣ１〜Ｃ２４−アルキル、Ｃ１〜Ｃ２４−フルオロアルキル、Ｃ１〜Ｃ２４−アルコキシ、フッ素、塩素、臭素およびシアノからなる群から選択され、
Ｒａ、Ｒｂは、Ｒｃは、互いに独立して、水素、Ｃ１〜Ｃ２０−アルキル、Ｃ３〜Ｃ２４−シクロアルキル、ヘテロシクロアルキル、ヘタリールおよびＣ６〜Ｃ２４−アリール、からなる群から選択される、シアノアリール置換ベンゾ（チオ）キサンテン化合物；
【００３４】
（Ｂ１８）  式（ＸＶＩＩＩａ）、（ＸＶＩＩＩｂ）、（ＸＶＩＩＩｃ）
【化１９】
2022500707.tif 000020
の化合物またはそれらの混合物から選択されるシアノ置換ＢＯＤＩＰＹ（ホウ素−ジピロメテン）染料であって、式中、
Ｒ１、Ｒ２、Ｒ３、Ｒ５、Ｒ６およびＲ７は、式（ＸＶＩＩＩＡ）、（ＸＶＩＩＩＢ）および（ＸＶＩＩＩｃ）内に存在する場合、互いに独立して、水素、Ｃ１〜Ｃ２０−アルキルまたはＣ６〜Ｃ１４−アリール、Ｃ１〜Ｃ１０−アルキレンから選択され、Ｃ６〜Ｃ１４−アリール−Ｃ１〜Ｃ１０−アルキレンのアリール部分、は、非置換であるか、またはｋの同一のまたは異なる置換基Ｒ９で置換されており、
式（ＸＶＩＩＩａ）、（ＸＶＩＩＩｂ）および（ＸＶＩＩＩｃ）中のＲ４ａ、Ｒ４ｂは、互いに独立して、フッ素、塩素、シアノまたはＯＲ１０から選択され、
式（ＸＶＩＩＩａ）のＲ８ａは、Ｃ１〜Ｃ２０−アルキルであり、
式（ＸＶＩＩＩｂ）のＲ８ｂは、Ｃ１〜Ｃ２０−アルキルであり、
式（ＸＶＩＩＩｃ）のＲ８ｃは、Ｃ１〜Ｃ２０−アルキル、Ｃ６〜Ｃ１０−アリールまたはＣ６〜Ｃ１０−アリール−Ｃ１〜Ｃ１０−アルキレンであって、上述の２つのラジカル内のアリール部分が非置換またはｋの同一のまたは異なる置換基Ｒ９で置換され、
式中、
ｋは、１、２、３、４、５、または６の整数であり、
Ｒ９は、Ｃ１〜Ｃ１０−アルキル、Ｃ１〜Ｃ１０−アルコキシ、ＣＮ、ハロゲン、フェニルまたはフェノキシであり、
Ｒ１０はＣ１〜Ｃ１０−アルキルまたはヒドロキシ−Ｃ１〜Ｃ１０−アルキルである、シアノ置換ＢＯＤＩＰＹ（ホウ素−ジピロメテン）染料；からなる群から選択される少なくとも１つの有機蛍光着色剤Ｂ、を含む受信機に関する。
【００３５】
本発明はさらに、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂを含む受信器に関する
【００３６】
本発明はさらに、
−少なくとも１つの送信機（トランスミッター, transmitter）（Ｔ）、および
−少なくとも１つの受信機（レシーバー, receiver）（Ｒ）を含み、
Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂが受信機に存在する光データ通信システムに関する。
【００３７】
本発明はさらに、光データ通信システム用の受信機の発光集光器におけるＢ１，Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される有機蛍光着色剤Ｂの使用に関する。
【発明を実施するための形態】
【００３８】
本発明による光データ通信システムは、送信機（Ｔ）によって放出される変調された電磁放射の少なくとも一部を検出するための受信機（Ｒ）を含む。本発明による受信機（Ｒ）は、発光集光器を含む。発光集光器では、光信号が収集され、電流に変換される。
【００３９】
受信機の検出器として一般的に使用されるフォトダイオードの応答時間は、接合容量およびキャリア通過時間によって制限され、検出器のサイズに比例し、視野を拡大するために、本発明では、波長シフト材料と検出器、好ましくはフォトダイオード（ＰＤまたはＰＤのアレイ）の組み合わせシステムである発光集光器が、受信器（Ｒ）に採用されている。
【００４０】
＜発光集光器＞
したがって、本発明は、
ｉ）少なくとも１つの波長シフト材料と、
ｉａ）高分子マトリックス材料、および
ｉｂ）Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂ；
および
ｉｉ）少なくとも１つの検出器と、を含む発光集光器に関する。
【００４１】
＜波長シフト材料＞
従来の光学系の代わりに波長シフト材料を使用して変調された電磁放射を収集するか、従来の光学系と一緒に変調された電磁放射を収集する。波長シフト材料は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂでドープされた光導波路（すなわち、好適なポリマーマトリックス材料が以下に記載されるポリマーマトリックス材料）である。
【００４２】
本発明による発光集光器は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８から選択される少なくとも１つの有機蛍光着色剤Ｂおよび検出器、好ましくはフォトダイオードを含む波長シフト材料の組み合わせシステムである。
【００４３】
通信信号（すなわち、変調された電磁放射、好ましくは送信機（Ｔ）によって放出される）で変調された入射光は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７、およびＢ１８からなる群から選択される少なくとも１つの有機蛍光着色剤Ｂによって光の入射角に関係なく吸収され、その後、異なる波長で再放射される。放出された光の少なくとも一部、理想的な場合には放出された光のすべてが、例えばファイバまたはシートによって収集され、内部反射によって検出器、好ましくはフォトダイオード、より好ましくは小面積のフォトダイオードに導かれる。
【００４４】
波長シフト材料は、ポリマーマトリックスに存在するＢ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂを含む。通常、有機蛍光着色剤Ｂは、ポリマーマトリックスに分子的に溶解している。適切なポリマーマトリックス材料は、以下に記載されている。
【００４５】
波長シフト材料のポリマーマトリックス材料中のＢ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される有機蛍光着色剤Ｂの濃度は、受信器の厚さとポリマーの種類の関数として設定される。薄いポリマー層が使用される場合、有機蛍光着色剤Ｂの濃度は、一般に、厚いポリマー層の場合よりも高い。
【００４６】
好ましくは、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される有機蛍光着色剤Ｂの濃度（２つ以上の有機蛍光着色剤Ｂの場合、有機蛍光着色剤Ｂの合計の濃度）は、使用されるマトリックスポリマーの量に基づいて、０．０００１から５重量％、より好ましくは０．００１から０．５重量％の範囲にある。
【００４７】
Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される有機蛍光着色剤Ｂは、粒子の形態で適用することができ、通常、ポリマーマトリックスに分子的に溶解される。さらなる実施形態において、有機蛍光着色剤Ｂは、溶解形態の有機蛍光着色剤Ｂを含む容器（例えばガラス）に含まれる液体に溶解される。
【００４８】
波長シフト材料は、湾曲しているおよび／または可撓性であり得るシートの形態で存在し得るか、または１つ以上の繊維から構成され得る。
【００４９】
＜高分子マトリックス材料＞
前述のように、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される有機蛍光着色剤Ｂは、ポリマーマトリックス中に存在する。
【００５０】
本発明による、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂのポリマーマトリックスは、好ましくは、ポリスチレン、ポリカーボネート、ポリメチルメタクリレート、ポリビニルピロリドン、ポリメタクリレート、ポリ酢酸ビニル、ポリ塩化ビニル、ポリブテン、シリコーン、ポリアクリレート、エポキシ樹脂、ポリビニルアルコール、ポリ（エチレンビニルアルコール）−コポリマー（ＥＶＡ、ＥＶＯＨ）、ポリアクリロニトリル、ポリ塩化ビニリデン（ＰＶＤＣ）、ポリスチレンアクリロニトリル（ＳＡＮ）、ポリブチレンテレフタレート（ＰＢＴ）、ポリエチレンテレフタレート（ＰＥＴ）、ポリビニルブチレート（ＰＶＢ）、ポリ塩化ビニル（ＰＶＣ）、ポリアミド、ポリオキシメチレン、ポリイミド、ポリエーテルイミド、２，５−フランジカルボキシレートポリエステル、エポキシ、アクリルまたはシリコーンなどのＵＶ硬化性または熱硬化性レジスト、およびそれらの混合物からなる群から選択される。
【００５１】
好ましくは、ポリマーマトリックス材料は、ポリスチレン、ポリメチルメタクリレート、ポリカーボネート、ポリエチレンテレフタレート、およびそれらの混合物から選択される少なくとも１つのポリマーを含む。
【００５２】
ポリスチレンは、ここではとりわけ、スチレンおよび／またはスチレンの誘導体の重合から生じるすべてのホモまたはコポリマーを意味すると理解される。スチレンの誘導体は、例えば、αメチルスチレン、例えば、オルト−、メタ−、パラ−メチルスチレン、パラ−ブチルスチレン、特にパラ−ｔｅｒｔ−ブチルスチレンなどのアルキルスチレン、パラ−メトキシスチレン、パラ−ブトキシスチレンなどパラ−ｔｅｒｔブトキシスチレンなどのアルコキシスチレンである。一般に、適切なポリスチレンの数平均分子量Ｍｎは１００００〜１００００００ｇ／ｍｏｌ（ＧＰＣにより決定）、好ましくは２００００〜７５００００ｇ／ｍｏｌ、より好ましくは３００００〜５０００００ｇ／ｍｏｌである。
【００５３】
本発明の１つの好ましい実施形態では、ポリマーマトリックスは、スチレンまたはスチレン誘導体のホモポリマーを含むか、またはスチレンまたはスチレン誘導体のホモポリマーである。より具体的には、ポリマーマトリックスはポリスチレンからなる。
【００５４】
本発明のさらに好ましい実施形態では、ポリマーマトリックスは、スチレンコポリマーを含むか、またはスチレンコポリマーであり、これは、本出願の文脈において同様にポリスチレンと見なされる。
【００５５】
スチレンコポリマーは、さらなる構成成分として、例えば、ブタジエン、アクリロニトリル、無水マレイン酸、ビニルカルバゾール、またはモノマーとしてアクリル酸、メタクリル酸またはイタコン酸のエステルを含み得る。適切なスチレンコポリマーは、一般に、少なくとも２０重量％のスチレン、好ましくは少なくとも４０重量％、より好ましくは少なくとも６０重量％のスチレンを含む。別の実施形態において、それらは、少なくとも９０重量％のスチレンを含む。
【００５６】
好ましいスチレンコポリマーは、スチレン−アクリロニトリルコポリマー（ＳＡＮ）およびアクリロニトリル−ブタジエン−スチレンコポリマー（ＡＢＳ）、スチレン−１，１’−ジフェニルエテンコポリマー、アクリルエステル−スチレン−アクリロニトリルコポリマー（ＡＳＡ）、メチルメタクリレート−アクリロニトリル−ブタジエン−スチレンコポリマー（ＭＡＢＳ）である。さらに好ましいポリマーは、αメチルスチレン−アクリロニトリルコポリマー（ＡＭＳＡＮ）である。スチレンホモポリマーまたはコポリマーは、例えば、フリーラジカル重合、カチオン重合、アニオン重合によって、または有機金属触媒（例えば、チーグラー・ナッタ触媒）の影響下で調製することができる。これは、アイソタクチック、シンジオタクチック、またはアタクチックポリスチレンまたはコポリマーを導く可能性がある。それらは、好ましくは、フリーラジカル重合によって調製される。重合は、懸濁重合、乳化重合、溶液重合または塊状重合として実施することができる。適切なポリスチレンの調製は、例えば、Ｏｓｃａｒ  Ｎｕｙｋｅｎ，Ｐｏｌｙｓｔｙｒｅｎｅｓ  ａｎｄ  Ｏｔｈｅｒ  Ａｒｏｍａｔｉｃ  Ｐｏｌｙｖｉｎｙｌ  Ｃｏｍｐｏｕｎｄｓ，Ｋｒｉｃｈｅｌｄｏｒｆ，Ｎｕｙｋｅｎ，Ｓｗｉｆｔ，Ｎｅｗ  Ｙｏｒｋ  ２００５，ｐ．７３〜１５０、およびそこで引用されている参考文献、ならびにＥｌｉａｓ，Ｍａｃｒｏｍｏｌｅｃｕｌｅｓ，Ｗｅｉｎｈｅｉｍ  ２００７，ｐ．２６９〜２７５に記載されている。
【００５７】
別の好ましい実施形態では、ポリマーマトリックスは、ポリエチレンテレフタレートを含むか、またはポリエチレンテレフタレートである。ポリエチレンテレフタレートは、エチレングリコールとテレフタル酸の縮合によって得られる。
【００５８】
さらに好ましい実施形態では、ポリマーマトリックスは、ポリカーボネートを含むか、またはポリカーボネートである。ポリカーボネートは、芳香族または脂肪族ジヒドロキシル化合物を含む炭酸のポリエステルである。好ましいジヒドロキシル化合物は、例えば、メチレンジフェニレンジヒドロキシル化合物、例えば、ビスフェノールＡである。ポリカーボネートを調製する１つの手段は、界面重合における適切なジヒドロキシル化合物とホスゲンとの反応である。別の手段は、縮合重合における炭酸ジフェニルなどの炭酸のジエステルとの反応である。適切なポリカーボネートの調製は、例えば、Ｅｌｉａｓ，Ｍａｃｒｏｍｏｌｅｃｕｌｅｓ，Ｗｅｉｎｈｅｉｍ  ２００７，ｐ．３４３−３４７に記載されている。
【００５９】
さらに好ましい実施形態では、ポリマーマトリックスは、（ｉ）脂肪族Ｃ２−Ｃ２０−ジオールと脂環式Ｃ３−Ｃ２０−ジオールから選択される少なくとも１つのジオールと、（ｉｉ）２，５−フランジカルボン酸および／またはそのエステル形成誘導体、および（ｉｉｉ）任意選択で、１，２−シクロヘキサンジカルボン酸、１，４−シクロヘキサンジカルボン酸、３，４−フランジカルボン酸、テレフタル酸および２，５−ナフタル酸および／またはそれらのエステル形成誘導体とから選択される少なくとも１つのさらなるジカルボン酸と、を反応させることによって得られる少なくとも１つの２，５−フランジカルボキシレートポリエステル（Ａ）を含む。
【００６０】
適切な脂肪族Ｃ２−Ｃ２０−ジオールは好ましくは直鎖または分岐Ｃ２−Ｃ１５−アルカンジオールであり、特にエタン−１，２−ジオール（エチレングリコール）、プロパン−１，２−ジオール、プロパン−１，３−ジオール（プロピレングリコール）、ブタン−１，３−ジオール、ブタン−１，４−ジオール（ブチレングリコール）、２−メチル−１，３−プロパンジオール、ペンタン−１，５−ジオール、２，２−ジメチル−１，３−プロパンジオール（ネオペンチルグリコール）、ヘキサン−１，６−ジオール、ヘプタン−１，７−ジオール、オクタン−１，８−ジオール、ノナン−１，９−ジオール、デカン−１，１０−ジオールなどの直鎖または分岐Ｃ２−Ｃ１０−アルカンジオールである。適切な脂環式Ｃ３−Ｃ２０−ジオールは好ましくは１，２−シクロペンタンジオール、１，３−シクロペンタンジオール、１，２−シクロヘキサンジオール、１，４−シクロヘキサンジオール、１，２−シクロヘプタンジオールまたは１，４−シクロヘプタンジオールなどのＣ３−Ｃ１０−シクロアルキルレンジオールである。その他の適切な脂環式Ｃ３−Ｃ２０−ジオールには、１，３−シクロヘキサンジメタノールおよび１，４−シクロヘキサンジメタノール、もしくは２，２，４，４−テトラメチル−１，３−シクロブタンジオール、またはそれらの組み合わせが含まれる。特に好ましいジオールはＣ２−Ｃ６−アルカンジオール、特にエタン−１，２−ジオール、プロパン−１，２−ジオール、プロパン−１，３−ジオール、ブタン−１，３−ジオール、ブタン−１，４−ジオール、ペンタン−１，５−ジオール、２，２−ジメチル−１，３−プロパンジオールおよびそれらの混合物である。より特に好ましいのは、エタン−１，２−ジオールおよびプロパン−１，３−ジオールである。特に好ましいのはエタン−１，２−ジオールである。
【００６１】
より特に好ましいのはまた、生物学的に誘導された（「生物由来の」）Ｃ２−Ｃ１０−アルカンジオール、特に−エタン−１，２−ジオールおよびプロパン−１，３−ジオールなどのＣ２−Ｃ６−アルカンジオールでもある。バイオベースのエタン−１，２−ジオールは、リグノセルロース系バイオマス源から、そこに含まれる炭水化物の変換によって得ることができる。バイオマス由来のＣ２−Ｃ１０−アルカンジオールの調製方法は、当技術分野で知られており、例えば、米国特許出願公開第ＵＳ２０１１／０３０６８０４号からである。
【００６２】
好ましくは、ジオール成分（ｉ）は、好ましいと述べられている１つのジオール、特にエタン−１，２−ジオールのみから構成される。ジオール成分（ｉ）はまた、２つ、３つ、または４つ以上の異なるジオールを含み得る。２つ、３つ、または３つ以上の異なるジオールが使用される場合、好ましいものとして上記のものが優先される。この場合、成分（ｉ）の総重量に基づいて、好ましくはエタン−１，２−ジオールが主成分である。
【００６３】
２，５−フランジカルボン酸のエステル形成誘導体は特にＣ１−Ｃ１０−２，５−フランジカルボン酸のジアルキルエステルである。特に好ましいジエステルはフランジカルボン酸のＣ１−Ｃ６−２，５−ジアルキルエステル、特にジメチルエステルとジエチルエステルである。成分（ｉｉ）はまた、２，５−フランジカルボン酸の２つ、３つ、または４つ以上の異なるジエステルを含み得る。２，５−フランジカルボン酸は、バイオベースの糖から製造できる。Ｃｏ、Ｍｎおよび／またはＣｅを含む触媒を用いた５−ヒドロキシメチルフルフラールなどの２，５−二置換フランの空気酸化を使用して２，５−フランジカルボン酸を調製するための経路は、最近、ＷＯ２０１０／１３２７４０、ＷＯ２０１１／０４３６６０、ＷＯ２０１１／０４３６６１、ＵＳ２０１１／０２８２０２０、ＵＳ２０１４／０３３６３４９およびＷＯ２０１５／１３７８０４で報告された。
【００６４】
２，５−フランジカルボン酸のジアルキルエステルを調製するための経路は、例えば、ＷＯ２０１１／０４３６６１にも記載されている。
【００６５】
好ましくは、成分（ｉｉ）は、２，５−フランジカルボン酸または２，５−フランジカルボン酸のジエステルのみから構成される。
【００６６】
好ましくは、２，５−フランジカルボキシレートポリエステル（Ａ）は、ポリ（エチレン−２，５−フランジカルボキシレート）、ポリ（プロピレン−２，５−フランジカルボキシレート）、ポリ（エチレン−ｃｏ−プロピレン−２，５−フランジカルボキシレート）、ポリ（ブチレン−２，５−フランジカルボキシレート）、ポリ（ペンチレン−２，５−フランジカルボキシレート）、ポリ（ネオペンチレン−２，５−フランジカルボキシレート）およびそれらの混合物から選択される。
【００６７】
特に、周波数変換器と組み合わせて使用するためのポリマーマトリックス材料は、ポリ（エチレン−２，５−フランジカルボキシレート）、ポリ（トリメチレン−２，５−フランジカルボキシレート）およびポリ（ブチレン−２、５−フランジカルボキシレート）からなる群から選択される。より好ましくは、周波数変換器と組み合わせて使用するためのポリマーマトリックス材料は、ポリ（エチレン−２，５−フランジカルボキシレート）である。
【００６８】
さらに特定の実施形態では、周波数変換器と組み合わせて使用するためのポリマーマトリックス材料は、上で定義された異なる２，５−フランジカルボン酸ポリエステル（Ａ）の混合物（ブレンド）、例えば、ポリ（エチレン−２，５−フランジカルボキシレート）およびポリ（プロピレン−２，５−フランジカルボキシレート）のブレンドを含む。
【００６９】
ポリ（プロピレン−２，５−フランジカルボキシレート）は、ポリ（トリメチレン−２，５−フランジカルボキシレート）とも呼ばれ、ポリ（ブチレン−２，５−フランジカルボキシレート）はポリ（テトラメチレン−２，５−フラン−ジカルボキシレート）とも呼ばれ、ポリ（ペンチレン−２，５−フランジカルボキシレート）はポリ（ペンタメチレン−２，５−フラン−ジカルボキシレート）とも呼ばれる。
【００７０】
同様に適切なのは、上で定義された少なくとも１つのジオール成分（ｉ）、上で定義された成分（ｉｉ）、およびから１，２−シクロヘキサン−ジカルボン酸、１，４−シクロヘキサンジカルボン酸、３，４−フランジカルボン酸、テレフタル酸および２，６−ナフタル酸および／またはそれらのエステル形成誘導体から選択される少なくとも１つのさらなるジ酸またはジエステル成分（ｉｉｉ）を反応させることによって得られる２，５−フランジカルボン酸ポリエステル（Ａ）である。１，２−シクロヘキサンジカルボン酸、１，３−シクロヘキサンジカルボン酸、３，４−フランジカルボン酸、テレフタル酸および２，５−ナフタル酸のエステル形成誘導体は特にＣ１−Ｃ１０−ジアルキルエステルである。特に好ましいエステルはＣ１−Ｃ６−ジアルキルエステル、特にジメチルエステルとジエチルエステルである。成分（ｉｉ）と成分（ｉｉｉ）の組み合わせを使用する場合、成分（ｉｉ）は通常、成分（ｉｉ）と（ｉｉｉ）の総重量に基づく主要成分である。例としては、ポリ（エチレン−２，５−フランジカルボキシレート−ｃｏ−１，２−シクロヘキサンジカルボキシレート）、ポリ（エチレン−２，５−フランジカルボキシレート−ｃｏ−１，４−シクロヘキサンジカルボキシレート）、ポリ（エチレン−２，５−フランジカルボキシレート−ｃｏ−テレフタレート）、ポリ（エチレン−２，５−フランジカルボキシレート−ｃｏ−２，５−ナフタレート）またはポリ（エチレン−２，５−フランジカルボキシレート−ｃｏ−３，４−フランジカルボキシレート）、好ましくはポリ（エチレン−２、５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレート）が挙げられる。
【００７１】
２，５−フランジカルボン酸ポリエステル（Ａ）は、米国特許第２，５５１，７３１号に記載されているように調製することができる。
【００７２】
好ましい実施形態では、酸素を排除して重合されたポリマーが使用される。好ましくは、重合中のモノマーは、合計で１０００ｐｐｍ以下、より好ましくは１００ｐｐｍ以下、特に好ましくは１０ｐｐｍ以下の酸素を含む。
【００７３】
さらに適切なポリマーマトリックス材料は、エポキシ、アクリレート、またはシリコーンのようなＵＶ硬化性または熱硬化性のレジストでもある。
【００７４】
本発明の一実施形態では、適切なポリマーは、光学的に透明なポリマーである。別の実施形態では、適切なポリマーは不透明なポリマーである。
【００７５】
本出願の意味において、光学的に透明とは、完全に光学的に透明であるか半透明であることを意味する。したがって、光学的に透明とは、入射光の少なくとも３０％、好ましくは３０％から１００％、より好ましくは少なくとも５０％、さらにより好ましくは５０％から１００％、最も好ましくは少なくとも８０％、さらにはより好ましくは８０％から１００％がポリマーを通って入ることである。
【００７６】
少なくとも３０％、好ましくは３０％〜１００％、より好ましくは少なくとも５０％、さらにより好ましくは５０％〜１００％、最も好ましくは少なくとも８０％、さらに最も好ましくは８０％〜１００の透明度（光透過率）は、好ましくは、ＥＮ４１０に基づく光透過ＴＬ（３８０〜７８０ｎｍ）として決定される。
【００７７】
不透明なポリマーは、光波の伝達を許容しない。言い換えれば、不透明なポリマーを通して見ることはできない。不透明度は、ポリマーの表面から離れたところでの光波の反射が原因で発生する。
【００７８】
適切なマトリックスポリマーは、さらなる構成要素として、難燃剤、酸化防止剤、光安定剤、ＵＶ吸収剤、フリーラジカルスカベンジャー、帯電防止剤などの添加剤を含み得る。この種の安定剤は当業者に知られている。
【００７９】
適切な抗酸化剤またはフリーラジカルスカベンジャーは、例えば、フェノール、特にブチルヒドロキシアニソール（ＢＨＡ）またはブチルヒドロキシトルエン（ＢＨＴ）などの立体障害のあるフェノール、または立体障害のあるアミン（ＨＡＬＳ）である。この種の安定剤は、Ｉｒｇａｎｏｘ（登録商標）の商品名でＢＡＳＦにより、例えば、販売されている。いくつかの場合では、抗酸化剤およびフリーラジカルスカベンジャーは、例えばＩｒｇａｆｏｓ（登録商標）の商品名で、例えば、ＢＡＳＦにより販売されているホスファイトまたはホスホナイトのような二次安定剤によって補完することができる。
【００８０】
適切なＵＶ吸収剤は、例えば、２−（２−ヒドロキシフェニル）−２Ｈ−ベンゾトリアゾール（ＢＴＺ）などのベンゾトリアゾール、（２−ヒドロキシフェニル）−ｓ−トリアジン（ＨＰＴ）などのトリアジン、ヒドロキシベンゾフェノン（ＢＰ）またはオキサラニリドである。この種のＵＶ吸収剤は、例えば、Ｕｖｉｎｕｌ（登録商標）の商品名でＢＡＳＦにより販売されている。
【００８１】
本発明の好ましい実施形態では、適切なマトリックスポリマーは、抗酸化剤またはフリーラジカルスカベンジャーを含まない。
【００８２】
＜顔料／散乱体＞
一実施形態では、波長シフト材料は、少なくとも１つの散乱体をさらに含む。好ましくは、波長シフト材料は、散乱体としての少なくとも１つの無機白色顔料と共にさらに使用される。
【００８３】
適切な散乱体は、無機白色顔料、例えば、ＤＩＮ１３３２０よる平均粒子サイズが０．０１〜１０μｍ、好ましくは０．１〜１μｍ、より好ましくは０．１５〜０．４μｍである、二酸化チタン、硫酸バリウム、リトポン、酸化亜鉛、硫化亜鉛、炭酸カルシウムであり、特にＴｉＯ２に基づく散乱体である。
【００８４】
散乱体は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂを含む染料を含む組成物に含まれ、各場合においてポリマーマトリックスに基づいて少なくとも１つのポリマーマトリックスおよび少なくとも１つの散乱体は、典型的には０．０１から１０重量％、好ましくは０．０５から５重量％、より好ましくは０．１から２重量％の量である。
【００８５】
適切な光散乱有機剤の例には、ポリ（アクリレート）；ポリ（メタクリル酸アルキル）、例えばポリ（メタクリル酸メチル）（ＰＭＭＡ）；ポリ（テトラフルオロエチレン）（ＰＴＦＥ）；シリコーンベースの散乱剤、例えば加水分解されたポリ（アルキルトリアルコキシシラン）、およびそれらの混合物に基づくものが含まれる。これらの光散乱剤のサイズ（平均直径−重量平均）は、通常、０．５から５０μｍ、好ましくは１から１０μｍの範囲である。
【００８６】
有用な散乱剤は、例えば、ＰＭＭＡベースの散乱剤とシリコーンベースの散乱剤との混合物である。また、ＥＰ−Ａ  ６３４  ４４５に記載されているように、コア／シェル形態のアクリル酸ビニルをＴｉＯ２との組み合わせ基づくポリマー粒子を含む光散乱組成物も適切である。好ましくは、少なくとも１つの散乱剤は、ポリ（メチルメタクリレート）−ベースの散乱剤、シリコーンベースの散乱剤、またはＴｉＯ２である。
【００８７】
波長シフト材料は、任意選択で、裏打ち層などのさらなる構成要素を含み得る。
【００８８】
裏打ち層は、波長シフト材料に機械的安定性を与えるのに役立ち得る。裏打ち層の材料の種類は、それが透明であり、所望の機械的強度を有する限り、重要ではない。裏打ち層に適した材料は、例えば、ガラス、またはポリカーボネート、ポリスチレン、ポリメタクリレート、またはポリメチルメタクリレートなどの透明な硬質有機ポリマーである。
【００８９】
裏打ち層は、一般に、０．１ｍｍから１０ｍｍ、好ましくは０．２ｍｍから５ｍｍ、より好ましくは０．３ｍｍから２ｍｍの厚さを有する。
【００９０】
本発明の一実施形態では、波長シフト材料は、ＷＯ２０１２／１５２８１２に開示されているように、酸素および／または水に対する少なくとも１つのバリア層を有する。バリア層に適したバリア材料の例は、例えば、ガラス、石英、金属酸化物、ＳｉＯ２、Ｍ２Ｏ３およびＳｉＯ２層の交互の層で構成される多層システム、窒化チタン、ＳｉＯ２／金属酸化物多層材料、ポリビニルアルコール、ポリアクリロニトリル、ポリ塩化ビニル（ＰＶＤＣ）、液晶ポリマー（ＬＣＰ）、ポリスチレン−アクリロニトリル（ＳＡＮ）、ポリブチレンテレフタレート（ＰＢＴ）、ポリブチレンナフタレート（ＰＢＮ）、ポリエチレンテレフタレート（ＰＥＴ）、ポリエチレンナフタレート（ＰＥＮ）、ポリビニルブチレート（ＰＢＴ）、ポリ塩化ビニル（ＰＶＣ）、ポリアミド、ポリオキシメチレン、ポリイミド、ポリエーテルイミド、エポキシ樹脂、エチレン−ビニルアセテート（ＥＶＡ）に由来するポリマー、およびエチレン−ビニルアルコール（ＥＶＯＨ）に由来するポリマーである。
【００９１】
バリア層に好ましい材料は、ガラスまたはＡｌＯ３およびＳｉＯ２の交互層で構成される多層システムである。
【００９２】
好ましくは、適切なバリア層は、酸素に対する透過性が低い。
【００９３】
より好ましくは、適切なバリア層は、酸素および水に対する透過性が低い。
【００９４】
波長シフト材料の調製は、一般に当業者に知られている。特に、波長シフト材料は、押出、繊維延伸、印刷、コーティングまたは成形によって形成される。
【００９５】
＜有機蛍光着色剤Ｂ１〜Ｂ１８＞
発光集光器は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７、Ｂ１８およびそれらの混合物からなる群から選択される少なくとも１つの着色剤Ｂを含む。
【００９６】
好ましくは、発光集光器は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８、からなる群から選択される１つまたは２つの有機蛍光着色剤Ｂを含み、より好ましくは、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される１つの着色剤Ｂを含む。
【００９７】
＜有機蛍光着色剤（Ｂ１）＞
式（Ｉ）のナフトイルベンゾイミダゾール化合物は、ＥＰ１７１５１９３１．７から知られている。式（Ｉ）の化合物は通常、黄色の蛍光化合物である。
【００９８】
光受信機での使用に関しては、式（Ｉ−Ａ）の化合物に対応する式（Ｉ）の化合物が好ましい。
【化２０】
2022500707.tif 000021
式中、
Ｒ３およびＲ４は、それぞれ独立して、水素、フェニル、１もしくは２つのシアノ基を有するフェニルまたはＣ１〜Ｃ１０−アルキルから選択される１、２もしくは３つの置換基を有するフェニルであり、
Ｒ７、Ｒ８、Ｒ９およびＲ１０は、それぞれ独立して、水素、フェニル、１もしくは２つのシアノ基を有するフェニル、またはＣ１〜Ｃ１０−アルキルから選択される１、２もしくは３つの置換基を有するフェニルである。
【００９９】
式（Ｉ−Ａ）の化合物の中で、Ｒ８およびＲ１０が同じ意味を有する化合物が優先される。同様に、好ましくはＲ７およびＲ９が同じ意味を有するに化合物が優先される。特に、Ｒ８とＲ１０は同じ意味を有し、Ｒ７とＲ９は同じ意味を有する。具体的には、Ｒ７およびＲ９は、同じ意味を有し、水素である。
【０１００】
本発明の特定の好ましい実施形態は、式（Ｉ−Ａ）の化合物に関し、
式中、Ｒ３およびＲ４は、それぞれ独立して、水素、フェニル、１または２つのシアノ基を有するフェニル、１、２または３つのＣ１〜Ｃ１０−アルキル置換基を有するフェニル、特に、水素、フェニル、１つのシアノ基を有するフェニルから選択され、
Ｒ７は、水素であり、
Ｒ８は、フェニル、１のまたは２つのシアノ基を有するフェニル、１、２または３つのＣ１−Ｃ１０−アルキル置換基を有するフェニルであり、
Ｒ９は、水素であり、そして
Ｒ１０は、フェニル、１または２つのシアノ基を有するフェニルまたは１、２または３つのＣ１〜Ｃ１０−アルキル置換基を有するフェニルである。
【０１０１】
特に、Ｒ８は、４−シアノフェニルである。特に、Ｒ１０は、４−シアノフェニルである。
【０１０２】
本発明のより特定の好ましい実施形態は、式（Ｉ−Ａ）の化合物に関し、
式中、Ｒ３はフェニル、１つのシアノ基を有するフェニル、またはＣ１〜Ｃ１０−アルキルから選択される１つの置換基を担持するフェニルであり；
Ｒ４は、水素であり、
Ｒ８およびＲ１０は、それぞれ１つのシアノ基を有するフェニルであり、
Ｒ７およびＲ９は、それぞれ水素である。
【０１０３】
特に、Ｒ３は、１つのシアノ基を有するフェニルである。
本発明のさらに特に好ましい実施形態は、式（Ｉ−Ａ）の化合物に関し、
式中、Ｒ３は水素であり、
Ｒ４は、フェニル、１つのシアノ基を有するフェニル、Ｃ１〜Ｃ１０−アルキルから選択される１つの置換基を担持するフェニル、特に１つシアノ基を有するフェニルであり、
Ｒ８およびＲ１０は、それぞれ１つのシアノ基を有するフェニルであり、
Ｒ７およびＲ９は、それぞれ水素である。
【０１０４】
式（Ｉ−Ａ）の好ましい化合物の例は、式（Ｉ−Ａ．１）（Ｉ−Ａ．２）（Ｉ−Ａ．３）および（Ｉ−Ａ．４）の化合物である。
【０１０５】
【化２１】
2022500707.tif 000022
【０１０６】
式Ｉの化合物およびそれらの混合物は、例えば、ＷＯ２０１２／１６８３９５、特に６４〜８１ページまたはＷＯ２０１５／０１９２７０の２１〜３０ページに記載されているように、標準的な方法と同様に調製することができる。
【０１０７】
＜有機蛍光着色剤（Ｂ２）＞
式（ＩＩ）のシアン化ナフトイルベンゾイミダゾール化合物は、ＷＯ２０１５／０１９２７０から知られている。式（ＩＩ）の化合物は通常、緑色、黄緑色、または黄色の蛍光色素である。本発明の光受信機での使用に関して、化合物（ＩＩ）は、好ましくは、式（ＩＩ−Ａ）の化合物
【化２２】
2022500707.tif 000023
およびそれらの混合物から選択され、
式中、
Ｒ２３およびＲ２４は、それぞれ独立して、シアノ、フェニル、４−シアノフェニルまたはＣ１−Ｃ１０−アルキルから選択されるから選択される１、２または３つの置換基を有するまたはフェニルであり、特にシアノ、フェニルまたは４−シアノフェニルであり、
Ｒ２７、Ｒ２８、Ｒ２９およびＲ２１０は、それぞれ独立して、水素、シアノ、フェニル、４−シアノフェニルまたはＣ１−Ｃ１０−アルキルから選択される１、２または３つの置換基を有するフェニルであり、特に水素、シアノ、フェニルまたは４−シアノフェニルである。
【０１０８】
より好ましい化合物は、ＷＯ２０１５／０１９２７０の１６ページ、第２段落〜２０ページ、第３段落に指定されている。本発明の光受信機での使用に関して、特に好ましいのは、式（ＩＩ−１）、（ＩＩ−２）、（ＩＩ−３）、（ＩＩ−４）、（ＩＩ−５）、（ＩＩ−６）、（ＩＩ−７）、（ＩＩ−８）、（ＩＩ−９）、（ＩＩ−１０）、（ＩＩ−１１）、（ＩＩ−１２）、（ＩＩ−１３）、（ＩＩ−１４）、（ＩＩ−１５）、（ＩＩ−１６）、（ＩＩ−１７）、（ＩＩ−１８）、（ＩＩ−１９）、（ＩＩ−２０）、（ＩＩ−２１）、（ＩＩ−２２）、（ＩＩ−２３）、（ＩＩ−２４）、（ＩＩ−２５）、（ＩＩ−２６）、（ＩＩ−２７）、（ＩＩ−２８）、（ＩＩ−２９）、（ＩＩ−３０）、（ＩＩ−３１）、（ＩＩ−３２）、（ＩＩ−３３）、（ＩＩ−３４）、（ＩＩ−３５）、（ＩＩ−３６）、（ＩＩ−３７）、（ＩＩ−３８）、（ＩＩ−３９）、（ＩＩ−４０）、（ＩＩ−４１）、（ＩＩ−４２）、（ＩＩ−４３）、（ＩＩ−４４）、（ＩＩ−４５）、（ＩＩ−４６）、（ＩＩ−４７）、（ＩＩ−４８）、（ＩＩ−４９）、および（ＩＩ−５０）の化合物ならびにそれらの混合物から選択される式（ＩＩ）の化合物である。
【０１０９】
【化２３−１】
2022500707.tif 000024
【０１１０】
【化２３−２】
2022500707.tif 000025
【０１１１】
【化２３−３】
2022500707.tif 000026
【０１１２】
【化２３−４】
2022500707.tif 000027
【０１１３】
より特に好ましいのは、化合物（ＩＩ−１１）、（ＩＩ−１２）、（ＩＩ−１３）および（ＩＩ−１４）ならびにそれらの混合物である。
【０１１４】
＜有機蛍光着色剤（Ｂ３）＞
式（ＩＩＩ）の化合物は、ＷＯ２０１５／１６９９３５から知られている。式（ＩＩＩ）の化合物は通常、黄色または黄緑色の蛍光色素である。本発明の光受信機での使用に関して、式（ＩＩＩ）の化合物は、以下の式（ＩＩＩ−ａ）および（ＩＩＩ−ｂ）の化合物ならびに式（ＩＩＩ−ｃ）および式（ＩＩＩＩ−ｄ）の化合物
【化２４】
2022500707.tif 000028
を個別におよびそれらの混合物として包含し、
ここでＲ３１、Ｒ３２、Ｒ３３、Ｒ３４、Ｒ３５、Ｒ３６、Ｒ３７、Ｒ３８、Ｚ３およびＺ３＊はそれぞれ上で定義したとおりである。
【０１１５】
特に、ＷＯ２０１５／１６９９３５の１２ページ、９行目から１３ページ、３１行目に指定されている化合物が優先される。本発明の光受信機での使用に関しては、式（ＩＩＩ−１）、（ＩＩＩ−２）、（ＩＩＩ−３）、（ＩＩＩ−４）、（ＩＩＩ−５）、（ＩＩＩ−６）、（ＩＩＩ−７）、（ＩＩＩ−８）、（ＩＩＩ−９）、（ＩＩＩ−１０）、（ＩＩＩ−１１）、（ＩＩＩ−１２）、（ＩＩＩ−１３）、（ＩＩＩ−１４）、（ＩＩＩ−１５）、（ＩＩＩ−１６）、（ＩＩＩ−１７）、（ＩＩＩ−１８）、（ＩＩＩ−１９）、（ＩＩＩ−２０）の化合物から選択される式（ＩＩＩ）の化合物
【０１１６】
【化２５−１】
2022500707.tif 000029
【０１１７】
【化２５−２】
2022500707.tif 000030
およびそれらの混合物が好ましく、
式中、
Ｚ３は、Ｃ１〜Ｃ６−アルキル、Ｃ１〜Ｃ６−アルコキシカルボニル、フェニル、および１、２または３つのＣ１〜Ｃ４−アルキル基を有するフェニルから選択され、そして
Ｚ３＊は、Ｃ１〜Ｃ６−アルキル、Ｃ１〜Ｃ６−アルコキシカルボニル、フェニル、および１、２または３つ、Ｃ１〜Ｃ４−アルキル基を有するフェニルから選択される。
【０１１８】
特別な実施形態では、Ｚ３＊は、Ｚ３と同じ意味を有する。
【０１１９】
これらの中で、式（１０．ａ）、（１０．ｂ）のペリレン化合物
【化２６】
2022500707.tif 000031
およびそれらの混合物が特に優先され、式中、
Ｒ２、Ｒ３、Ｒ６およびＲ７の中の３つの置換基は水素であり、そして
Ｒ２、Ｒ３、Ｒ６およびＲ７置換基の１つは、シアノである。
【０１２０】
＜有機蛍光着色剤（Ｂ４）＞
式（ＩＶ）のシアン化合物は、ＷＯ２０１６／１５１０６８の主題である。式（ＩＶ）の化合物は通常、黄色または黄緑色の蛍光色素である。本発明の光受信機での使用に関して、式（ＩＶ）の化合物は、好ましくは、Ｘ４０がＯである化合物が好ましい。また、式（ＩＶ）の化合物であり、Ｘ４０がＳである化合物が好ましい。ＷＯ２０１６／１５１０６８の２４ページの１０行目から３４ページの４行目に指定されている化合物が優先される。
【０１２１】
これらの中で、式（ＩＶ）の化合物が特に好ましく、ここで、Ａは式（Ａ．２）のラジカルである。Ａが式（Ａ．２）のラジカルである式（ＩＶ）の化合物は、式（ＩＶ−Ａ．２）の化合物とも呼ばれる。
【化２７】
2022500707.tif 000032
式中、
ｍ４、Ｘ４０、Ｒ４１、Ｒ４２、Ｒ４３、Ｒ４４、Ｒ４５、およびＲ４６は上で定義されたとおりである。
【０１２２】
式（Ｉ−Ａ．２）の化合物において、Ｒ４６は、好ましくは、水素、直鎖Ｃ１−Ｃ２４−アルキル、分岐Ｃ３−Ｃ２４−アルキル、Ｃ６−Ｃ１０−アリールおよびＣ６−Ｃ１０アリール−Ｃ１−Ｃ１０−アルキレンから選択され、最後に述べた二つの部分におけるアリール環は、非置換または１、２、３、４または５つの同一または異なる基Ｒ４６Ａで置換されている。特に、Ｒ４６は、直鎖Ｃ１−Ｃ２４−アルキル、式（Ｂ．１）のラジカルおよび式（Ｂ．２）のラジカルから選択され、
【化２８】
2022500707.tif 000033
式中、
＃は窒素原子への結合部位であり、
式（Ｂ．１）におけるＲｄおよびＲｅは、互いに独立してＲｄおよびＲｅラジカルの炭素数の和が２から２３までの整数であるＣ１−Ｃ２３−アルキルから選択され、
式（Ｂ．２）におけるＲｆ、ＲｇおよびＲｈは、Ｃ１〜Ｃ２０−アルキルから独立して選択され、Ｒｆ、ＲｇおよびＲｈラジカルの炭素原子の合計は、３から２３までの整数である。
【０１２３】
式（Ｂ．１）の好ましいラジカルは、１−メチルエチル、１−メチルプロピル、１−メチルブチル、１−メチルペンチル、１−メチルヘキシル、１−メチルヘプチル、１−メチルオクチル、１−エチルプロピル、１−エチルブチル、１−エチルペンチル、１−エチルヘキシル、１−エチルヘプチル、１−エチルオクチル、１−プロピルブチル、１−プロピルペンチル、１−プロピルヘキシル、１−プロピルヘプチル、１−プロピルオクチル、１−ブチルペンチル、１−ブチルヘキシル、１−ブチルヘプチル、１−ブチルオクチル、１−ペンチルヘキシル、１−ペンチルヘプチル、１−ペンチルオクチル、１−ヘキシルヘプチル、１−ヘキシルオクチル、１−ヘプチロクチルである。
【０１２４】
式（Ｂ．２）の特に好ましいラジカルは、ｔｅｒｔ．−ブチルである。
【０１２５】
同様に、特に、Ｒ４６は、式（Ｃ．１）のラジカル、式（Ｃ．２）のラジカル、または式（Ｃ．３）のラジカルであり、
【化２９】
2022500707.tif 000034
ここで、
＃は窒素原子への結合側を表し、
存在する場合、ＢはＣ１−Ｃ１０−アルキレン基であり、−Ｏ−および−Ｓ−から選択される１つ以上の非隣接基によって中断される可能性があり、
ｙが、０または１であり、
Ｒｉは、互いに独立してＣ１〜Ｃ２４−アルキル、Ｃ１〜Ｃ２４−フルオロアルキル、フッ素、塩素または臭素から選択され、
Ｒｋは、互いに独立してＣ１〜Ｃ２４−アルキルから選択され、
式Ｃ．２およびＣ．３のｘは、１、２、３、４、または５つである。
【０１２６】
好ましくは、ｙは０であり、すなわち可変物Ｂは存在しない。
【０１２７】
その存在に関係なく、Ｒｉは、好ましくはＣ１〜Ｃ２４−アルキル、より好ましくは直鎖Ｃ１〜Ｃ１０−アルキルまたは分岐Ｃ３〜Ｃ１０−アルキル、特にイソプロピルから選択される。その存在に関係なく、Ｒｋは、好ましくはＣ１−Ｃ３０〜アルキル、より好ましくは直鎖Ｃ１〜Ｃ１０−アルキルまたは分岐Ｃ３〜Ｃ１０−アルキルから選択される。式Ｃ．２およびＣ．３の変数ｘは、好ましくは１、２または３である。
【０１２８】
実施形態の特別な基は式（ＩＶ−Ａ．２）の化合物に関し、式中、可変物ｍ４、Ｘ４０、Ｒ４１、Ｒ４２、Ｒ４３、Ｒ４４、およびＲ４５が互いに独立して、または特に組み合わせて以下の意味を有する：
Ｘ４０は、ＯまたはＳであり、
Ｒ４２とＲ４４はそれぞれシアノであり、
Ｒ４３およびＲ４５はそれぞれ水素であるか、またはＲ４３およびＲ４５の一方は臭素であり、Ｒ４３およびＲ４５の他方は水素であり、
Ｒ４１は、シアノ、臭素、および非置換であるか、またはＣ１−Ｃ４−アルキルから選択される１または２つのラジカルを有するフェニルから選択され、
Ｒ４６は、水素、Ｃ１〜Ｃ２４−直鎖アルキル、分岐Ｃ３〜Ｃ２４−アルキル、式（Ｃ．１）のラジカル、（式（Ｃ．２）のラジカル、（式Ｃ．３）のラジカルから選択され、
ｍ４が、０または１である。
【０１２９】
さらにより好ましくは、
Ｘ４０は、ＯまたはＳであり、
Ｒ４２とＲ４４は、それぞれシアノであり、
Ｒ４３とＲ４５は、それぞれ水素であり、
Ｒ４１は、シアノ、臭素、および非置換であるか、またはＣ１〜Ｃ４−アルキルから選択される１または２つのラジカルを有するフェニル、特にシアノから選択され、
Ｒ４６は、直鎖Ｃ１〜Ｃ２４−アルキル、分岐Ｃ３〜Ｃ２４−アルキル、式（Ｃ．１）のラジカル、式（Ｃ．２）のラジカル、および式（Ｃ．３）のラジカル；特に直鎖Ｃ１〜Ｃ２４−アルキル、分岐Ｃ３〜Ｃ２４−アルキル、またはＣ１〜Ｃ４−アルキルから選択される１または２つのラジカルを有するフェニルたとえば２，６−ジイソプロピルフェニルなどのから選択され、
ｍ４は、０または１である。
【０１３０】
式（ＩＶ−Ａ．２）の好ましい化合物の例を以下に示す：
【０１３１】
【化３０−１】
2022500707.tif 000035
【０１３２】
【化３０−２】
2022500707.tif 000036
【０１３３】
特に、有機蛍光着色剤（Ｂ４）は、化合物ＩＶ−Ａ．２−１、ＩＶ−Ａ．２−６およびＩＶ−Ａ．２−９から選択される。
【０１３４】
＜有機蛍光着色剤（Ｂ５）＞
式（Ｖ）のベンゾキサンテン化合物は、ＷＯ２０１４／１３１６２８から知られている。適切な化合物は、ＷＯ２０１４／１３１６２８の図２Ａ、図２Ｂ、および図２Ｃに示されている。それらは通常、黄色または黄緑色の蛍光色素である。式（Ｖ）のベンゾチオキサンテン化合物は、例えば、米国特許第３，３５７，９８５号から知られている。式（Ｖ）のベンゾチオキサンテン化合物が好ましく、ここで、Ｘ５はＯまたはＳであり、Ｒ５１はＣ１〜Ｃ２４−アルキルであり、Ｒ５２〜Ｒ５９は水素である。好ましくは、Ｒ５１は、Ｃ６〜Ｃ２０−アルキルである。
【０１３５】
＜有機蛍光着色剤（Ｂ６）＞
式（ＶＩＡ）および（ＶＩＢ）のベンジミダゾキサンテニソキノリン化合物は、ＷＯ２０１５／０６２９１６から知られている。適切な化合物は、ＷＯ２０１５／０６２９１６の３ページ、２４行目から８ページ、２４行目に、特に図３Ａ、図３Ｂ、図３Ｃに示されている。
【０１３６】
＜有機蛍光着色剤（Ｂ７）＞
式（ＶＩＩ）の構造単位を有する化合物は、ＷＯ２０１２／１６８３９５から知られている。一般的に、それらは黄色の蛍光色素である。本発明の光受信機での使用に関して、式（ＶＩＩ）の構造単位を有する化合物は、好ましくは、ＷＯ２０１２／１６８３９５の２８ページ、１４行目から３２ページ、５行目に指定された化合物である。
【０１３７】
本発明の光受信機での使用に関して、式（ＶＩＩ）の構造単位を有する化合物は、式（ＶＩＩ−１）、（ＶＩＩ−２）、（ＶＩＩ−３）、（ＶＩＩ−４）、（ＶＩＩ−５）、（ＶＩＩ−６）、（ＶＩＩ−７）、（ＶＩＩ−８）、（ＶＩＩ−９）、（ＶＩＩ−１０）、（ＶＩＩ−１１）、（ＶＩＩ−１２）、（ＶＩＩ−１３）、（ＶＩＩ−１４）、（ＶＩＩ−１５）、（ＶＩＩ−１６）、（ＶＩＩ−１７）、（ＶＩＩ−１８）、（ＶＩＩ−１９）、（ＶＩＩ−２０）、（ＶＩＩ−２１）、（ＶＩＩ−２２）、（ＶＩＩ−２３）、（ＶＩＩ−２４）、（ＶＩＩ−２５）、（ＶＩＩ−２６）、（ＶＩＩ−２７）、（ＶＩＩ−２８）、（ＶＩＩ−２９）、（ＶＩＩ−３０）、（ＶＩＩ−３１）、（ＶＩＩ−３２）、（ＶＩＩ−３３）、（ＶＩＩ−３４）、（ＶＩＩ−３５）、（ＶＩＩ−３６）、（ＶＩＩ−３７）、（ＶＩＩ−３８）、（ＶＩＩ−３９）、（ＶＩＩ−４０）、（ＶＩＩ−４１）、（ＶＩＩ−４２）、（ＶＩＩ−４３）、（ＶＩＩ−４４）、（ＶＩＩ−４５）、（ＶＩＩ−４６）、（ＶＩＩ−４７）、（ＶＩＩ−４８）、（ＶＩＩ−４９）、（ＶＩＩ−５０）、（ＶＩＩ−５１）、（ＶＩＩ−５２）、（ＶＩＩ−５３）、（ＶＩＩ−５４）、（ＶＩＩ−５５）の化合物、およびそれらの混合物
【０１３８】
【化３１−１】
2022500707.tif 000037
【０１３９】
【化３１−２】
2022500707.tif 000038
【０１４０】
【化３１−３】
2022500707.tif 000039
【０１４１】
【化３１−４】
2022500707.tif 000040
【０１４２】
【化３１−５】
2022500707.tif 000041
【０１４３】
【化３１−６】
2022500707.tif 000042
およびそれらの混合物からより好ましくは選択され、
ここで、ｎ７は０、１、２、３、４、５、６、７、８、９、または１０の番号であり、
Ｒ７１は、独立して、水素、Ｃ１〜Ｃ１８−アルキルまたはシクロアルキルであり、その炭素鎖は１１つ以上の−Ｏ−、−Ｓ−、−ＣＯ−、−ＳＯ−および／または−ＳＯ２−部分を含み得、それは一置換または多置換であり得；
アリールまたはヘテロアリールは、一置換または多置換され得る。
【０１４４】
式（ＶＩＩ−５）、（ＶＩＩ−６）、（ＶＩＩ−７）および（ＶＩＩ−８）の化合物およびそれらの混合物が特に好ましい。式（ＶＩＩ−５６）、（ＶＩＩ−５７）、（ＶＩＩ−５８）および（ＶＩＩ−５９）の化合物およびそれらの混合物も特に好ましい。
【０１４５】
＜有機蛍光着色剤（Ｂ８）＞
式（ＶＩＩＩ）および（ＩＸ）のペリレンイミド化合物は、当技術分野で周知であり、例えば、ＷＯ２００７／００６７１７または米国特許第６，４７２，０５０号からである。式（ＩＸ）の９−シアノ置換ペリレン−３，４−ジカルボン酸モノイミドもまた、ＷＯ２００４／０２９０２８から知られている。それらは通常橙色の蛍光色素である。
【０１４６】
好ましくは、式（ＶＩＩＩ）の化合物において、Ｒ８１およびＲ８２は、ハロゲンまたは直鎖または分岐Ｃ１〜Ｃ１８アルキル基によって一置換または多置換されてもよい、Ｃ１〜Ｃ１８アルキルまたはＣ４〜Ｃ８シクロアルキルラジカルであるか、またはハロゲン若しくは直鎖または分岐Ｃ１〜Ｃ１８アルキル基によって一置換または多置換されてもよいフェニルまたはナフチルである。
【０１４７】
好ましくは、Ｒ８１およびＲ８２は同じ意味を有する。
【０１４８】
一実施形態では、式（ＶＩＩＩ）のＲ８１およびＲ８２は、ＷＯ２００９／０３７２８３Ａ１の１６ページ、１９行目から２５ページ、８行目で指定されている、いわゆるアゲハチョウ置換を有する化合物を表す。好ましい実施形態では、Ｒ８１およびＲ８２は、互いに独立して、１−アルキルアルキル、例えば、１−エチルプロピル、１−プロピルブチル、１−ブチルペンチル、１−ペンチルヘキシルまたは１−ヘキシルヘプチルである。
【０１４９】
好ましい実施形態では、有機蛍光着色剤（Ｂ８）は、化合物（ＶＩＩＩ−１）
【化３２】
2022500707.tif 000043
から選択され、式中、
ｘ８は１、２、または３であり、
ｙ８は１、２、または３であり、
Ｒ１８１がＣ１〜Ｃ４アルキルであり、
Ｒ１８２は、Ｃ１〜Ｃ４−アルキルである。
【０１５０】
好ましくは、ｘ８は２である。好ましくは、ｙ８は２である。好ましくは、Ｒ１８１およびＲ１８２は、イソプロピルおよびｔｅｒｔ−ブチルから選択される。
【０１５１】
式（ＶＩＩＩ）の好ましい化合物は、Ｎ，Ｎ’−ビス（２，６−ジイソプロピルフェニル）−３，４，９，１０−ペリレンテトラカルボン酸ジイミドである。
【０１５２】
式（ＩＸ）の適切な９−シアノ置換ペリレン−３，４−ジカルボン酸モノイミドは、好ましくは、Ｒ９２が水素または直鎖または分岐Ｃ１〜Ｃ１８アルキルラジカルによって一置換または多置換されてもよい、直鎖または分岐Ｃ１〜Ｃ１８アルキルラジカル、Ｃ４〜Ｃ８シクロアルキルラジカルであり、またはハロゲンまたは直鎖または分岐Ｃ１〜Ｃ１８アルキルによって一置換または多置換されてもよいフェニルまたはナフチルである。
【０１５３】
一実施形態では、式ＩＸのＲ９２は、ＷＯ２００９／０３７２８３Ａ１の１６ページの１９行目から２５ページの８行目で指定されているような、いわゆるアゲハチョウ置換を有する化合物を表す。好ましい実施形態では、Ｒ９２は、１−アルキルアルキル、例えば、１−エチルプロピル、１−プロピルブチル、１−ブチルペンチル、１−ペンチルヘキシルまたは１−ヘキシルヘプチルである。
【０１５４】
好ましい実施形態では、Ｒ９２は、２，４−ジ（ｔｅｒｔ−ブチル）フェニル２，６−ジイソプロピルフェニルまたは２，６−ジ（ｔｅｒｔ−ブチル）フェニルである。特に、Ｒ９２は２，６−ジイソプロピルフェニルである。
【０１５５】
＜有機蛍光着色剤（Ｂ９）＞
式（Ｘ）の４−アミノ置換ナフタルイミド化合物は当技術分野で知られている。式（Ｘ）の適切な４−アミノ置換ナフタルイミド化合物は、好ましくは、Ｒ１０１が、直鎖または分岐Ｃ１〜Ｃ１０−アルキル、１つ以上の酸素によって中断されるＣ２〜Ｃ１０−アルキル、またはＣ３−Ｃ８−シクロアルキルである。Ｒ１０２は好ましくは水素である。式（Ｘ）の適切な化合物は、４−（ブチルアミノ）−Ｎ−ブチル−１，８−ナフタルイミドである。同様に好ましくは、Ｒ１０２は、直鎖または分岐Ｃ１〜Ｃ１０−アルキルである。式（Ｘ）の化合物は、２つのステップで合成することができる。最初のステップは、還流下での１，４−ジオキサンまたは２−メトキシエタノールなどの溶媒中での４−クロロ−１，８−ナフタル酸無水物とアミンとの縮合であり、対応する４−クロロ−１，８−ナフタルイミドを生成する。２番目のステップでは、塩素原子を脂肪族の第一級または第二級アミンでの置換を伴う。
【０１５６】
＜有機蛍光着色剤（Ｂ１０）＞
７−（ジエチルアミノ）−３−（６−メチルベンゾ［ｄ］オキサゾール−２−イル）−２Ｈ−クロメン−２−オンは、ディスパースイエローとしても知られている。
【０１５７】
＜有機蛍光着色剤（Ｂ１１）＞
式（ＸＩＡ）および（ＸＩＢ）の化合物は、米国特許第５，４７０，５０２号から知られている。それらは通常黄色の蛍光色素である。式（ＸＩＡ）および（ＸＩＢ）の化合物が好ましく、ここで、Ｒ１１１は、直鎖Ｃ１〜Ｃ１０−アルキルまたは分岐Ｃ３〜Ｃ１０−アルキルである。好ましい例は、ジイソブチル−３，９−ペリレンジカルボキシレート、ジイソブチル−３，１０−ペリレンジカルボキシレートおよびそれらの混合物である。特に好ましいのは、ジイソブチル−３，９−ペリレンジカルボキシレートとジイソブチル−３，１０−ペリレンジカルボキシレートの混合物である。
【０１５８】
＜有機蛍光着色剤（Ｂ１２）＞
式（ＸＩＩＡ）および（ＸＩＩＢ）の化合物は、米国特許第５，４７０，５０２号から知られている。それらは通常黄色の蛍光色素である。式（ＸＩＩＡ）および（ＸＩＩＢ）の化合物が好ましく、ここで、Ｒ１２１は、直鎖Ｃ１〜Ｃ１０−アルキルまたは分岐Ｃ３〜Ｃ１０−アルキルである。好ましい例は、ジイソブチル４，１０−ジシアノペリレン−３，９−ジカルボキシレートおよびジイソブチル４，９−ジシアノペリレン−３，１０−ジカルボキシレートならびにそれらの混合物である。特に好ましいのは、ジイソブチル４，１０−ジシアノペリレン−３，９−ジカルボキシレートおよびジイソブチル４，９−ジシアノペリレン−３，１０−ジカルボキシレートの混合物である。
【０１５９】
＜有機蛍光着色剤（Ｂ１３）＞
式（ＸＩＩＩ）の化合物の適切な例は、例えば、ＷＯ２００７／００６７１７、特に１ページ、５行目から２２ページ、６行目；米国特許第４，８４５，２２３号では特に２列、行５４から６列、行５４；ＷＯ２０１４では、特に３ページの２０行目から９ページの１１行目；ＥＰ３０７２８８７；およびＥＰ１６１９２６１７．５では、特に３５ページの３４行目から３７ページの２９行目に指定されているペリレン誘導体である。式（ＸＩＩＩ）の化合物は通常、橙色または赤色の蛍光着色剤である。式（ＸＩＩＩ）の化合物が好ましく、ここで、Ｒ１３１およびＲ１３２は、それぞれ、Ｃ１〜Ｃ１０−アルキル、２，６−ジ（Ｃ１〜Ｃ１０−アルキル）アリールおよび２，４−ジ（Ｃ１〜Ｃ１０−アルキル）アリールから独立して選択される。より好ましくは、Ｒ１３１およびＲ１３２は同一である。非常に具体的には、Ｒ１３１およびＲ１３２はそれぞれ２，６−ジイソプロピルフェニルまたは２，４−ジ−ｔｅｒｔ−ブチルフェニルである。Ｒ１３３は、好ましくはフェノキシであり、これは、非置換またはフッ素、塩素、Ｃ１〜Ｃ１０−アルキルおよびフェニルから選択される１つまたは２つの同一または異なる置換基によって置換されている。好ましくは、ｐ１３は２、３または４、特に２または４である。
【０１６０】
式（ＸＩＩＩ）の化合物は、例えば、ＷＯ２００７／００６７１７、米国特許第４，８４５，２２３号、ＥＰ３０７２８８７およびＷＯ２０１４／１２２５４９に記載されている方法と同様に調製することができる。
【０１６１】
適切な有機蛍光着色剤Ｂ１３は、例えば、Ｎ，Ｎ’−ビス（２，６−ジイソプロピルフェニル）−１，６，７，１２−テトラフェノキシペリレン−３，４：９，１０−テトラカルボキシイミド、Ｎ，Ｎ’−ビス（２，６−ジイソプロピルフェニル）−１，７−ジ（２，６−ジイソプロピルフェノキシ）ペリレン−３，４：９，１０−テトラカルボキシイミド、Ｎ，Ｎ’−ビス（２，６−ジイソプロピルフェニル）−１，６−ジ（２，６−ジイソプロピルフェノキシ）ペリレン−３，４：９，１０−テトラカルボキシイミド、Ｎ，Ｎ’−ビス（２，６−ジイソプロピルフェニル）−１，７−ジ（ｐ−ｔｅｒｔ−オクチルフェノキシ）ペリレン−３、４；９，１０−テトラカルボキシイミド、Ｎ，Ｎ’−ビス（２，６−ジイソプロピルフェニル）−１，７−ジフェノキシペリレン−３，４；９，１０−テトラカルボキシイミド、Ｎ，Ｎ’−ビス（２，６−ジイソプロピルフェニル））−１，７−ジ（２，６−ジフェニルフェノキシ）ペリレン−３，４；９，１０−テトラカルボキシイミド、Ｎ，Ｎ’−ビス（２，６−ジイソプロピルフェニル）−１，６−ジ（２，６−ジフェニルフェノキシ）ペリレン−３，４；９，１０−テトラカルボキシイミド、Ｎ，Ｎ’−ビス（２，６−ジイソプロピルフェニル）−１，６，７，１２−テトラ（２−フェニルフェノキシ）ペリレン−３，４：９、１０−テトラカルボキシイミド、Ｎ，Ｎ’−ビス（２，６−ジイソプロピルフェニル）−１，７−ジ（２，３−ジフルオロフェノキシ）ペリレン−３，４：９，１０−テトラカルボキシイミド、Ｎ，Ｎ’−ビス（２、６−ジイソプロピルフェニル）−１，６，７，１２−テトラ（２，３−ジフルオロフェノキシ）ペリレン−３，４：９，１０−テトラカルブオキシイミド、Ｎ，Ｎ’−ビス（２，６−ジイソプロピルフェニル）−１，６，７，１２−テトラ（３−フルオロフェノキシ）ペリレン−３，４：９，１０−テトラカルボキシイミド、Ｎ，Ｎ’−ビス（２、６−ジイソプロピルフェニル）−１，６，７，１２−テトラ（２，６−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，５−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，３−ジクロロフェノキシ）ペリレン−３，４：９，１０−テトラカルボキシイミド、Ｎ，Ｎ’−ビス（２，６−ジイソプロピルフェニル）−１，６，７，１２−テトラ（３−クロロフェノキシ）ペリレン−３、４：９，１０−テトラカルボキシイミド、Ｎ，Ｎ’−ビス（２，６−ジイソプロピルフェニル）−１，６，７，１２−テトラ（２，６−ジクロロフェノキシ）ペリレン−３，４：９，１０−テトラカルボキシイミド、Ｎ，Ｎ’−ビス（２，６−ジイソプロピルフェニル）−１，６，７，１２−テトラ（２，５−ジクロロフェノキシ）ペリレン−３，４：９，１０−テトラカルボキシイミドである。
【０１６２】
特に、有機蛍光着色剤（Ｂ１３）は、化合物（ＸＩＩＩ−１）、（ＸＩＩＩ−２）、（ＸＩＩＩ−３）および（ＸＩＩＩ−４）から選択される。
【０１６３】
【化３３】
2022500707.tif 000044
【０１６４】
＜有機蛍光着色剤（Ｂ１４）＞
式（ＸＩＶ）の化合物は、ＷＯ２０１７／１２１８３３の主題である。式（ＩＶ）の化合物は通常、橙色または赤色の蛍光着色剤である。式（ＸＩＶ）の化合物が優先され、ここで、Ｒ１４１およびＲ１４２は、互いに独立して、非置換であるか、１、２または３つのＣ１〜Ｃ６−アルキルで置換されたフェニルから選択され、およびＲ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７、Ｒ１４１８はそれぞれ水素である。上で定義された式（ＸＩＶ）の化合物は、好ましくは、
【化３４】
2022500707.tif 000045
である。
【０１６５】
式（ＸＩＶ）の化合物は、式（ＸＩＶａ）
【化３５】
2022500707.tif 000046
の適切な塩素化または臭素化ペリレンビスイミドを反応させることによって調製することができ、式中、
Ｈａｌは、いずれの場合も臭素またはいずれの場合も塩素であり、および
Ｒ１４１およびＲ１４２は上で定義されたとおりであり、
式（ＸＩＶｂ）の２，２’−ビフェノール化合物、および適切な場合、式（ＸＩＶｃ）の２，２’−ビフェノール化合物を有し、
【化３６】
2022500707.tif 000047
式中、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７、Ｒ１４１８は上で定義したとおりである。
【０１６６】
式（ＸＩＶｃ）の２，２’−ビフェノールはまた、式（ＸＩＶｃ）の２，２’−ビフェノールについて定義された通りであり得る（式（ＸＩＶｂ）の２，２’−ビフェノールが１つだけがハロゲン置換反応に使用される場合）。
【０１６７】
＜有機蛍光着色剤（Ｂ１５）＞
式（ＸＶ）の化合物の適切な例は、例えば、ＷＯ２０１６／０２６８６３、特に６ページ、３２行目から１８ページ、２６行目に指定されている化合物である。特に好ましいのは、ＷＯ２０１６／０２６８６３の２４５５、２４５２、２５１７および２４４０の化合物である。式（ＸＶ）の化合物の適切な例はまた、ＥＰ３１０１０８７、特に、［００５９］〜［００７８］に指定されている化合物である。
【０１６８】
特に、有機蛍光着色剤（Ｂ１５）は、式（ＸＶ−１）の化合物である。
【化３７】
2022500707.tif 000048
【０１６９】
＜有機蛍光着色剤（Ｂ１６）＞
第１の好ましい実施形態において、有機蛍光着色剤（Ｂ１６）は、化合物（ＸＶＩ−１）
【化３８】
2022500707.tif 000049
から選択され、式中、
ｘ１６１は１、２、または３であり、
ｙ１６２は１、２、または３であり、
Ｒ１６１がＣ１〜Ｃ４アルキルであり、および
Ｒ１６２は、Ｃ１〜Ｃ４−アルキルである。
【０１７０】
好ましくは、ｘ１６１は２である。好ましくは、ｙ１６２は２である。好ましくは、Ｒ１６１およびＲ１６２は、イソプロピルおよびｔｅｒｔ−ブチルから選択される。
【０１７１】
さらに好ましい実施形態では、有機蛍光着色剤（Ｂ１６）は、化合物（ＸＶＩ−２）
【化３９】
2022500707.tif 000050
から選択され、式中、
ｘ１６１は１、２、または３であり、
ｙ１６２は１、２、または３であり、
Ｒ１６１がＣ１〜Ｃ４アルキルであり、および
Ｒ１６２は、Ｃ１〜Ｃ４−アルキルである。
【０１７２】
好ましくは、ｘ１６１は２である。好ましくは、ｙ１６２は２である。好ましくは、Ｒ１６１およびＲ１６２は、イソプロピルおよびｔｅｒｔ−ブチルから選択される。
【０１７３】
＜有機蛍光着色剤（Ｂ１７）＞
式（ＸＶＩＩ）のシアノアリール置換ベンゾ（チオ）キサンテン化合物は、「シアノアリール置換ベンゾ（チオ）キサンテン化合物」という表題で、２０１７年１２月１９日に出願されたＥＰ１７２０８５９７．９に開示されている。
【０１７４】
可変物Ｘが酸素である、式（ＸＶＩＩ）の好ましい化合物。
【０１７５】
本発明による好ましい化合物は、式Ｉの化合物であり、式中、Ｒ２、Ｒ３、Ｒ４およびＲ５は、水素および１、２または３つのシアノ基を有するＣ６〜Ｃ１０−アリールからなる基からなる群から選択される。
【０１７６】
より好ましくは、Ｒ２およびＲ４は、１、２、または３つのシアノ基を有するＣ６−Ｃ１０−アリールからなる群から選択される。特に好ましいＲ２およびＲ４は、それぞれ１、２、または３つのシアノ基、特に１または２つのシアノ基を有するフェニルである。特に好ましいＲ３およびＲ５は、それぞれ水素である。
【０１７７】
本発明の一実施形態によれば、式Ｉの化合物中の可変物Ａは、式Ａ．１のジラジカルである。
【０１７８】
本発明の好ましい実施形態によれば、式Ｉの化合物中の可変物Ａは、式Ａ．２のジラジカルである。Ａ．２の文脈において、Ｒ６は、好ましくは、水素、直鎖Ｃ１〜Ｃ２４−アルキル、分岐Ｃ３〜Ｃ２４−アルキル、Ｃ６〜Ｃ１０−アリールおよびＣ６〜Ｃ１０−アリール−Ｃ１〜Ｃ１０−アルキレンを含む基からなる群から選択され、最後に述べた２つの部分のアリール環は、非置換または１、２、３、４または５つの同一または異なるラジカルＲ６ａで置換される。より好ましくは、Ｒ６は、直鎖Ｃ１〜Ｃ２４−アルキル、式（Ｂ．１）のラジカル、式（Ｂ．２）のラジカルおよびラジカル（Ｂ．３）からなる群から選択され、
【化４０】
2022500707.tif 000051
式中、
＃は窒素原子への結合部位を表し、
式（Ｂ．１）中のＲｄおよびＲｅは、互いに独立して、ＲｄおよびＲｅラジカルの炭素原子の合計が２から２３までの整数であるＣ１〜Ｃ２２−アルキルからなる群から選択され、
式（Ｂ．２）中のＲｆ、ＲｇおよびＲｈは、Ｃ１〜Ｃ２１−アルキルからなる群から独立して選択され、ここでＲｆ、ＲｇおよびＲｈの炭素原子の合計が３から２３までの整数であり、
式（Ｂ．３）中のＲＩおよびＲｋは、独立して、Ｃ１〜Ｃ２１−アルキルからなる群から選択され、ここでＲｉおよびＲｋラジカルの炭素原子の合計は２から２２の整数である。
【０１７９】
具体的には、Ｒ６は、直鎖Ｃ６〜Ｃ２４−アルキルである。本明細書において、Ｒ６の特定の例は、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ウニコシル、ｎ−ドコシルである。
【０１８０】
本発明の別の実施形態によれば、式Ｉの化合物中の可変物Ａは、式Ａ．３のジラジカルである。Ａ．３の文脈では、式Ａ．３のｎは、０、１、または２つであることが好ましい。Ｒ７は、存在する場合、好ましくは、シアノ、臭素、および非置換であるか、Ｃ１−Ｃ４−アルキルからなる群から選択される１または２つのラジカルを有するフェニルからなる群から選択される。
【０１８１】
本発明の別の実施形態によれば、式Ｉの化合物中の可変物Ａは、式Ａ．４のジラジカルである。Ａ．４の文脈では、式Ａ．４のｏおよびｐは好ましくは０であり、すなわち、Ｒ８およびＲ９は両方とも存在しない。同様に好ましくは、Ａ．４の文脈では、ｏとｐの合計は１、２、３、または４である。この文脈で、Ｒ８およびＲ９は、互いに独立して、好ましくは、シアノ、臭素、塩素、Ｃ１−Ｃ４−アルキル、Ｃ１−Ｃ４−アルコキシ、Ｃ１−Ｃ４−ハロアルキル、フェニルおよびフェニルオキシからなる群から選択され、ここで、最後に述べた２つのラジカルの中のフェニルは、非置換であるか、Ｃ１−Ｃ１０−アルキルからなる群から選択される１、２、または３つの置換基を有する。
【０１８２】
式（ＸＶＩＩ）の好ましい化合物の例は、以下に示されるものである。
【化４１】
2022500707.tif 000052
【０１８３】
＜有機蛍光着色剤（Ｂ１８）＞
式（ＸＶＩＩＩａ）、（ＸＶＩＩＩｂ）、（ＸＶＩＩＩｃ）またはそれらの混合物の化合物から選択されるシアノ置換ＢＯＤＩＰＹ（ホウ素−ジピロメテン）染料は（Ｂ１８）、２０１８年６月２２日に出願された、表題が「Ｐｈｏｔｏｓｔａｂｌｅ  ｇｒｅｅｎ  ｃｙａｎｏ−ｓｕｂｓｔｉｔｕｔｅｄ  ｂｏｒｏｎ−ｄｉｐｙｒｒｏｍｅｔｈｅｎｅ  ｄｙｅ  ｆｏｒ  ｄｉｓｐｌａｙ  ａｎｄ  ｉｌｌｕｍｉｎａｔｉｏｎ  ａｐｐｌｉｃａｔｉｏｎ」であるＥＰ１８１７９２８１．３に開示されている。
【０１８４】
式（ＸＶＩＩＩａ）、（ＸＶＩＩＩｂ）、（ＸＶＩＩＩｃ）の好ましい化合物を以下に例示する：
式（ＸＶＩＩＩａ）の好ましい化合物の例は、以下の表Ａにまとめられている：
【化４２】
2022500707.tif 000053
【０１８５】
【表１】
2022500707.tif 000054
【０１８６】
式（ＸＶＩＩＩｂ）の好ましい化合物の例は、以下の表Ｂにまとめられている：
【化４３】
2022500707.tif 000055
【０１８７】
【表２】
2022500707.tif 000056
【０１８８】
式Ｉ．ｂの化合物のうち、より好ましいのは、化合物ＸＶＩＩＩｂ−１、ＸＶＩＩＩｂ−６、ＸＶＩＩＩｂ−１１およびＸＶＩＩＩｂ−１６である。
【０１８９】
式（ＸＶＩＩＩｃ）の好ましい化合物の例は、以下の表Ｃにまとめられている：
【化４４】
2022500707.tif 000057
【０１９０】
【表３】
2022500707.tif 000058
【０１９１】
式ＩＸＶＩＩＩｃの化合物のうち、化合物ＸＶＩＩＩｃ−１、ＸＶＩＩＩｃ−６、ＸＶＩＩＩｃ−１１、ＸＶＩＩＩｃ−１６、ＸＶＩＩＩｃ−２１およびＸＶＩＩＩｃ−２６が好ましい。
【０１９２】
発光集光器は、例えば、１、２、３、４、５、６、７、８、９、１０または１１つ以上の、上で定義された複数の有機蛍光着色剤（Ｂ）を含み得る。好ましくは、発光集光器は、１つまたは２つの有機蛍光着色剤（Ｂ）、より好ましくは１つの有機蛍光着色剤（Ｂ）を含む。
【０１９３】
特に、有機蛍光着色剤（Ｂ）は、以下の化合物およびそれらの混合物から選択される：
【０１９４】
【化４５−１】
2022500707.tif 000059
【０１９５】
【化４５−２】
2022500707.tif 000060
【０１９６】
【化４５−３】
2022500707.tif 000061
【０１９７】
【化４５−４】
2022500707.tif 000062
【０１９８】
【化４５−５】
2022500707.tif 000063
【０１９９】
本出願の明細書で言及される残基は、当該残基が言及される特定の実施形態でさらに特定されない場合、一般に以下の好ましい意味を有する。
「ハロゲン」という表現は、それぞれの場合において、フッ素、臭素、塩素またはヨウ素、特に塩素、臭化物またはヨウ素を意味する。
【０２００】
本発明の文脈において、「それぞれの場合において非置換または置換アルキル、シクロアルキルおよびアリール」という表現は、非置換または置換アルキル、非置換または置換シクロアルキル、および非置換または置換アリールを表す。
【０２０１】
同様に、本発明の文脈において、それぞれの場合において表現「非置換または置換Ｃ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４−アリールオキシ」は、非置換もしくは置換Ｃ１〜Ｃ３０−アルキル、非置換もしくは置換ポリアルキレンオキシ、非置換もしくは置換Ｃ１〜Ｃ３０−アルコキシ、非置換もしくは置換Ｃ１〜Ｃ３０−アルキルチオ、非置換もしくは置換Ｃ３〜Ｃ２０−シクロアルキル、非置換もしくは置換Ｃ３〜Ｃ２０−シクロアルキルオキシ、非置換もしくは置換Ｃ６〜Ｃ２４−アリール、または非置換もしくは置換Ｃ６〜Ｃ２４−アリールオキシを表す。
【０２０２】
本発明の目的のために、「脂肪族ラジカル」という用語は、非環式飽和または不飽和、直鎖または分岐炭化水素ラジカルを指す。通常、脂肪族ラジカルは１〜１００個の炭素原子を有する。脂肪族ラジカルの例は、アルキル、アルケニルおよびアルキニルである。
【０２０３】
本発明の目的のために、「脂環式ラジカル」という用語は、通常３〜２０個の環炭素原子を有する環状の非芳香族飽和または不飽和炭化水素ラジカルを指す。例としては、シクロアルカン、シクロアルケン、およびシクロアルキンがある。脂環式ラジカルはまた、Ｎ、Ｏ、ＳおよびＳＯ２から選択されるヘテロ原子またはヘテロ原子基を含み得る。
【０２０４】
本明細書およびアルコキシ、アルキルチオ、アルキルスルフィニル、アルキルスルホニル、アルキルアミノ、ジアルキルアミノ、アルキルカルボニル、アルコキシカルボニルなどのアルキル部分で使用される「アルキル」という用語は、通常１〜１００（「Ｃ１〜Ｃ１００−アルキル」）、１〜３０（「Ｃ１〜Ｃ３０−アルキル」）、１〜１８（「Ｃ１〜Ｃ１８−アルキル」）、１〜１２（「Ｃ１〜Ｃ１２−アルキル」）、１〜８（「Ｃ１〜Ｃ８−アルキル」）または１〜６（「Ｃ１〜Ｃ６−アルキル」）の炭素原子）を有する飽和直鎖または分岐炭化水素ラジカルを指す。アルキルは、好ましくはＣ１〜Ｃ３０−アルキル、より好ましくはＣ１〜Ｃ２０−アルキルである。アルキル基の例は、特にメチル、エチル、ｎ−プロピル、イソプロピル、ｎ−ブチル、イソブチル、ｓｅｃ−ブチル、ｔｅｒｔ−ブチル、ｎ−ペンチル、１−メチルブチル、１−エチルプロピル、ネオペンチル、ｎ−ヘキシル、１−メチルペンチル、２−メチルペンチル、１−エチルブチル、２−エチルブチル、ｎ−ヘプチル、１−メチルヘキシル、２−メチルヘキシル、１−エチルペンチル、１−プロピルブチル、２−エチルペンチル、ｎ−オクチル、１−メチルヘプチル、２−メチルヘプチル、１−エチルヘキシル、２−エチルヘキシル、１−プロピルペンチル、２−プロピルペンチル、ｎ−ノニルなどである。
【０２０５】
置換アルキル基は、アルキル鎖の長さに応じて、１つ以上（例えば、１、２、３、４、５または６つを超える）置換基を有する。これらは、好ましくは互いに独立して、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡＲ１、ＮＥ１Ｅ２、−ＮＲＡＲ１ＣＯＲＡｒ２、−ＣＯＮＲＡＲ１ＲＡｒ２、−ＳＯ２ＮＲＡＲ１ＲＡｒ２および−ＳＯ３ＲＡｒ２から選択され、ここで、Ｅ１およびＥ２は水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、置換もしくは非置換Ｃ３〜Ｃ２０−シクロアルキル、置換もしくは非置換もしくはＣ６〜Ｃ１０−アリールであり、ＲＡｒ１およびＲＡｒ２は、互いに独立して、水素、非置換もしくは換Ｃ１〜Ｃ１８−アルキル，非置換もしくは置換Ｃ３〜Ｃ２０−シクロアルキル，非置換もしくは置換ヘテロシクリル，非置換もしくは置換Ｃ６〜Ｃ２０−アリールまたは非置換もしくは置換ヘテロアリールである。特に、置換アルキル基は、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、および−ＳＯ３ＲＡｒ２から選択される１つ以上、例えば１、２または３の置換基を有し、ここで、Ｅ１、Ｅ２は、互いに独立して水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、ＲＡｒ１およびＲＡｒ２は、それぞれ独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである。
【０２０６】
置換アルキル基の特別な実施形態は、１つの水素原子がアリールラジカル（「アラルキル」、以下、アリールアルキルまたはアリールアルキレンとも呼ばれる）、特にフェニルラジカルによって置き換えられているアルキル基である。次に、アリールラジカルは、非置換または置換されていてもよく、適切な置換基は、以下に記載されるアリールの置換基である。アリール−Ｃ１〜Ｃ４アルキルの特定の例としては、ベンジル、１−フェネチル、２−フェネチル、１−フェニルプロピル、２−フェニルプロピル、３−フェニル−１−プロピル、２−フェニル−２−プロピル、ナフチルメチル、ナフチルエチル等である。
【０２０７】
置換アルキル基のさらに特別な実施形態は、これらの基の水素原子のいくつかまたはすべてが上述のようにハロゲン原子によって置き換えられ得るアルキル基、例えばＣ１〜Ｃ４−ハロアルキルアルキル基である。
【０２０８】
本明細書で使用される「アルケニル」という用語は、通常２〜１００（「Ｃ２〜Ｃ１００−アルケニル」）、２〜１８（「Ｃ２〜Ｃ１８−アルケニル」）、２〜１０（「Ｃ２〜Ｃ１０−アルケニル”）、２〜８（「Ｃ２〜Ｃ８−アルケニル」）または２〜６（”Ｃ２〜Ｃ６−アルケニル」）の炭素原子および１つ以上、例えば２または３つの任意の位置での二重結合を有する直鎖または分岐炭化水素基を指す。置換アルケニル基は、アルケニル鎖の長さに応じて、１つ以上（例えば、１、２、３、４、５または６つ以上）の置換基を有する。これらは、好ましくは互いに独立して、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡＲ１、ＮＥ１Ｅ２、−ＮＲＡＲ１ＣＯＲＡｒ２、−ＣＯＮＲＡＲ１ＲＡｒ２、−ＳＯ２ＮＲＡＲ１ＲＡｒ２および−ＳＯ３ＲＡｒ２から選択され、ここで、Ｅ１およびＥ２は、水素、非置換もしくは置換Ｃ１〜Ｃ１８−アルキル、非置換もしくは置換Ｃ２〜Ｃ１８−アルケニル、置換もしくは非置換Ｃ３〜Ｃ２０−シクロアルキル、または非置換もしくは置換Ｃ６〜Ｃ１０−アリールであり、ＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである。特に、置換アルケニル基は、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、および−ＳＯ３ＲＡｒ２から選択される１つ以上、例えば１、２または３つの置換基を有し、ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、ＲＡｒ１およびＲＡｒ２は、それぞれ独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリール、または非置換もしくは置換ヘテロアリールである。
【０２０９】
本明細書で使用される「アルキニル」という用語（その炭素鎖が１つ以上の三重結合を含み得るアルキルとも呼ばれる）は、通常２〜１００（「Ｃ２〜Ｃ１００−アルキニル」）、２〜１８（「Ｃ２〜Ｃ１８−アルキニル」）、２〜１０（「Ｃ２〜Ｃ１０−アルキニル」）、２〜８（「Ｃ２〜Ｃ８−アルキニル」）、または２〜６（「Ｃ２〜Ｃ６−アルキニル」）の炭素原子および１つ以上の、例えば２または３つの、いずれかの位置の三重結合を有する直鎖または分岐炭化水素基を指す。アルキニル鎖の長さに応じて、置換アルキニル基は、１つ以上（例えば、１、２、３、４、５または５つ以上）の置換基を有する。これらは、好ましくは、互いに独立して、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、アルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、−ＳＯ３ＲＡｒ２から選択され、Ｅ１およびＥ２は水素、非置換もしくは置換Ｃ２〜Ｃ１８−アルケニル、非置換もしくは置換Ｃ１〜Ｃ１８−アルキル、非置換または置換されたＣ２〜Ｃ１８−アルキニル、非置換もしくは置換Ｃ３〜Ｃ２０−シクロアルキルまたは非置換もしくは置換Ｃ６〜Ｃ１０−アリールであり、ＲＡｒ１およびＲＡｒ２は、互いに独立して、水素、非置換または置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである。特に、置換アルキニル基は、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、および−ＳＯ３ＲＡｒ２から選択される１つ以上、例えば１、２または３つの置換基を有し、ここで、Ｅ１、Ｅ２は、互いに独立して水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、ＲＡｒ１およびＲＡｒ２は、それぞれ独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換されたＣ６〜Ｃ２０−アリールまたは非置換もしくは置換ヘテロアリールである。
【０２１０】
本明細書で使用される「アルコキシ」という用語は、酸素原子を介して結合したアルキル基を指し、すなわち、「アルコキシ」基は、−Ｏ−アルキルとして表すことができ、ここで、アルキルは上で定義された通りである。Ｃ１〜Ｃ２−アルコキシは、メトキシまたはエトキシである。Ｃ１〜Ｃ４−アルコキシは、例えば、メトキシ、エトキシ、ｎ−プロポキシ、
１−メチルエトキシ（イソプロポキシ）、ブトキシ、１−メチルプロポキシ（ｓｅｃ−ブトキシ）、２−メチルプロポキシ（イソブトキシ）または１，１−ジメチルエトキシ（ｔｅｒｔ−ブトキシ）である。
【０２１１】
したがって、本明細書で使用される「非置換または置換アルコキシ」という用語は、アルキルが非置換または上で定義されたように置換されている−Ｏ−アルキルを指す。
【０２１２】
本明細書で使用される「ポリオキシアルキレン」という用語は、酸素原子を介して分子の残りの部分に結合したアルキル基を指し、アルキルは１つ以上の隣接しない酸素原子によって中断され、アルキルは上で定義された通りである。
【０２１３】
したがって、本明細書で使用される「非置換または置換ポリアルキレンオキシ」という用語は、アルキルが１つ以上の非隣接酸素原子によって中断され、アルキルが非置換または上で定義されるように置換されている−Ｏ−アルキルを指す。
【０２１４】
本明細書で使用される「アルキルチオ」という用語は、硫黄原子を介して結合したアルキル基を指し、すなわち、「アルキルチオ」基は、−Ｓ−アルキルとして表すことができ、ここで、アルキルは上で定義された通りである。Ｃ１〜Ｃ２−アルキルチオは、メチルチオまたはエチルチオである。Ｃ１〜Ｃ４−アルキルチオは、例えば、メチルチオ、エチルチオ、ｎ−プロピルチオ、１−メチルエチルチオ（イソプロピルチオ）、ブチルチオ、１−メチルプロピルチオ（ｓｅｃ−ブチルチオ）、２−メチルプロピルチオ（イソブチルチオ）または１，１−ジメチルエチルチオ（ｔｅｒｔ−ブチルチオ）である。
【０２１５】
したがって、本明細書で使用される「非置換または置換アルキルチオ」という用語は、アルキルが非置換または上で定義されたように置換されている−Ｓ−アルキルを指す。
【０２１６】
本明細書で使用される「シクロアルキル」という用語は、通常３〜２４（Ｃ３〜Ｃ２４−シクロアルキル）、３〜２０（「Ｃ３〜Ｃ２０−シクロアルキル」）、好ましくは３〜８（「Ｃ３〜Ｃ８−シクロアルキル」）または３〜６個の炭素原子（「Ｃ３〜Ｃ６−シクロアルキル」）を有する単環式または二環式または多環式飽和炭化水素ラジカルを指す。３〜６個の炭素原子を有する単環式ラジカルの例には、シクロプロピル、シクロブチル、シクロペンチルおよびシクロヘキシルが含まれる。３〜８個の炭素原子を有する単環式ラジカルの例には、シクロプロピル、シクロブチル、シクロペンチル、シクロヘキシル、シクロヘプチルおよびシクロオクチルが含まれる。７〜１２個の炭素原子を有する二環式ラジカルの例には、ビシクロ［２．２．１］ヘプチル、ビシクロ［３．１．１］ヘプチル、ビシクロ［２．２．２］オクチル、ビシクロ［３．３．０］オクチル、ビシクロ［３．２．１］オクチル、ビシクロ［３．３．１］ノニル、ビシクロ［４．２．１］ノニル、ビシクロ［４．３．１］デシル、ビシクロ［３．３．２］デシル、ビシクロ［４．４．０］デシル、ビシクロ［４．２．２］デシル、ビシクロ［４．３．２］ウンデシル、ビシクロ［３．３．３］ウンデシル、ビシクロ［４．３．３］ドデシル、およびペルヒドロナフチルが含まれる。多環式環の例は、ペルヒドロアントラシル、ペルヒドロフルオレニル、ペルヒドロクリセニル、ペルヒドロピセニル、およびアダマンチルである。
【０２１７】
置換シクロアルキル基は、環サイズに応じて、１つ以上（例えば、１、２、３、４、５または６つ以上）の置換基を有し得る。これらは、好ましくは、互いに独立して非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１１ＲＡｒ２および−ＳＯ３ＲＡｒ２から選択され、ここでＥ１およびＥ２は水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、およびＲＡｒ１およびＲＡｒ２は、互いに独立して、水素、非置換または置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換または置換ヘテロアリールである。特に、置換シクロアルキル基は、非置換または置換アルキル、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、および−ＳＯ３ＲＡｒ２から選択される１つ以上、例えば１、２または３つの置換基を有し、ここでＥ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくはＣ６〜Ｃ１０−アリールであり、ＲＡｒ１およびＲＡｒ２は、それぞれ独立して、それぞれ水素、非置換もしくは置換Ｃ１〜Ｃ１８−アルキル、非置換または置換Ｃ３〜Ｃ２０−シクロアルキル、非置換もしくは置換ヘテロシクリル置換もしくは置換Ｃ６〜Ｃ２０−アリールまたは非置換もしくは置換ヘテロアリールである。
【０２１８】
本明細書で使用される「シクロアルキルオキシ」という用語は、酸素原子を介して結合したシクロアルキル基を指し、すなわち、「シクロアルキルオキシ」基は、シクロアルキルが上で定義された通りである−Ｏ−シクロアルキルとして表され得る。
【０２１９】
したがって、本明細書で使用される「非置換または置換シクロアルキルオキシ」という用語は、シクロアルキルが非置換であるか、または上で定義されるように置換されている−Ｏ−シクロアルキルを指す。
【０２２０】
本明細書で使用される「シクロアルキルチオ」という用語は、硫黄原子を介して結合したシクロアルキル基を指し、すなわち、「シクロアルキルチオ」基は、シクロアルキルが上で定義された通りである−Ｓ−シクロアルキルとして表され得る。
【０２２１】
したがって、本明細書で使用される「非置換または置換シクロアルキルチオ」という用語は、シクロアルキルが非置換であるか、または上で定義されるように置換されている−Ｓ−シクロアルキルを指す。
【０２２２】
「ヘテロシクロアルキル」という用語は、一般に５〜８つの環員、好ましくは５つまたは６つの環員を有し、環員として炭素原子に加えて、１、２、３または４つのヘテロ原子または環員としてＯ、Ｎ、ＮＲｃｃ、Ｓ、ＳＯおよびＳ（Ｏ）２から選択されるヘテロ原子を含み、Ｒｃｃは水素、Ｃ１〜Ｃ２０−アルキル、Ｃ３〜Ｃ２４−シクロアルキル、ヘテロシクロアルキル、Ｃ６〜Ｃ２４−アリール、またはヘテロアリールである。ヘテロシクロアルキル基の例は、特にピロリジニル、ピペリジニル、イミダゾリジニル、ピラゾリジニル、オキサゾリジニル、モルホリニル、チアゾリジニル、イソチアゾリジニル、イソキサゾリジニル、ピペラジニル、テトラヒドロチオフェニル、ジヒドロチエン−２−イル、テトラヒドロフランイル、ジヒドロフラン−２−イル、テトラヒドロピラニル、２−オキサゾリニル、３−オキサゾリニル、４−オキサゾリニルおよびジオキサニルである。
【０２２３】
置換ヘテロシクロアルキル基は、環サイズに応じて、１つ以上（例えば、１、２、３、４、５または５つ以上）の置換基を有し得る。これらは、好ましくは、互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、
−ＮＲＡＲ１ＣＯＲＡｒ２、−ＣＯＮＲＡＲ１ＲＡｒ２、−ＳＯ２ＮＲＡＲ１ＲＡｒ２−ＳＯ３ＲＡｒ２から選択され、ここでＥ１およびＥ２が水素、非置換もしくは置換Ｃ１−Ｃ１８−アルキル、非置換もしくは置換Ｃ２−Ｃ１８−アルケニル、非置換もしくは置換Ｃ２−Ｃ１８−アルキニル、非置換もしくは置換Ｃ３−Ｃ２０−シクロアルキルまたは非置換もしくは置換Ｃ６−Ｃ１０−アリールであり、ＲＡｒ１およびＲＡｒ２は、互いに独立して、水素、非置換もしくは置換、非置換もしくは置換Ｃ１−Ｃ１８−アルキル、非置換もしくは置換Ｃ３〜Ｃ２０−シクロアルキルオキシ、非置換もしくは置換ヘテロシクリル、非置換もしくは置換Ｃ６−Ｃ２０−アリールまたは非置換もしくは置換ヘテロアリールである。特に、置換ヘテロシクロアルキル基は、非置換または置換アルキル、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、および−ＳＯ３ＲＡｒ２、から選択される１つ以上、例えば１、２または３の置換基を有し、ここでＥ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくはＣ６〜Ｃ１０−アリールであり、ＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリール、または非置換もしくは置換ヘテロアリールである。
【０２２４】
本発明の目的のために、「アリール」という用語は、分子の残りの部分に結合している少なくとも１つの縮合フェニレン環を有するフェニルおよび二環式または多環式炭素環を指す。少なくとも１つのフェニレン環を有する二環式または多環式炭素環の例には、ナフチル、テトラヒドロナフチル、インダニル、インデニル、アントラセニル、フルオレンなどが含まれる。好ましくは、「アリール」という用語は、フェニルおよびナフチルを示す。
【０２２５】
置換アリールは、それらの環系の数およびサイズに応じて、１つ以上（例えば、１、２、３、４、５または６つ以上）の置換基を有し得る。これらは、好ましくは互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡＲ１ＲＡｒ２および−ＳＯ３ＲＡｒ２から選択され、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０シクロアルキルまたは非置換もしくは置換Ｃ６〜Ｃ１０−アリールであり、そしてＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである。特に、置換アリール基は、非置換または置換アルキル、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２−ＳＯ２ＮＲＡｒ１ＲＡｒ２、および−ＳＯ３ＲＡｒ２から選択される１つ以上、例えば１、２または３つの置換基を有し、
ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、ＲＡｒ１およびＲＡｒ２は、それぞれ独立して、水素、非置換もしくはＣ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである。
【０２２６】
置換アリールは、好ましくは、少なくとも１つのアルキル基（「アルカリル」、以下、アルキルアリールとも呼ばれる）によって置換されたアリールである。アルキル基は、芳香環系のサイズに応じて、１つ以上（例えば、１、２、３、４、５、６、７、８、９または９を超える）のアルキル置換基を有し得る。アルキル置換基は、非置換または置換されていてもよい。これに関して、非置換および置換アルキルに関する上記の記載が参照される。特別な実施形態は、アルキルが非置換であるアルカリル基に関する。アルキルは、好ましくは、１、２、３、４または５つ、好ましくは１、２または３つ、より好ましくは１または２つのアルキル置換基を有するフェニルである。１つ以上のアルキルラジカルを有するアリールは、例えば、２−、３−および４−メチルフェニル、２，４−、２，５−、３，５−および２，６−ジメチルフェニル、２，４，６−トリメチルフェニル、２−、３−および４−エチルフェニル、２，４−、２，５−、３，５−および２，６−ジエチルフェニル、２，４，６−トリエチルフェニル、２−、３−および４−ｎ−プロピルフェニル、２−、３−および４−イソプロピルフェニル、２，４−、２，５−、３，５−および２，６−ジ−ｎ−プロピルフェニル、２，４，６−トリプロピルフェニル、２−、３−および４−イソプロピルフェニル、２，４−、２，５−、３，５−および２，６−ジイソプロピルフェニル、２，４，６−トリイソプロピルフェニル、２−、３−および４−ブチルフェニル、２。４−、２，５−、３，５−および２，６−ジブチルフェニル、２，４，６−トリブチルフェニル、２−、３−および４−イソブチルフェニル、２，４−、２，５−、３，５−および２，６−ジイソブチルフェニル、２，４，６−トリイソブチルフェニル、２−、３−および４−ｓｅｃ−ブチルフェニル、２，４−、２，５−、３，５−および２，６−ｄｉ−ｓｅｃ−ブチルフェニル、２，４，６−トリ−ｓｅｃ−ブチルフェニル、２−、３−および４−ｔｅｒｔ−ブチルフェニル、２，４−、２，５−、３，５−および２，６−ジ−ｔｅｒｔ−ブチルフェニルならびに２，４，６−トリ−ｔｅｒｔ−ブチルフェニルである。
【０２２７】
Ｃ６〜Ｃ２４−アリールオキシ：上で定義したＣ６〜Ｃ２４−アリールであって、酸素原子（−Ｏ−）を介して骨格に結合する。フェノキシとナフチルオキシが優先される。
【０２２８】
したがって、本明細書で使用される「非置換または置換アリールオキシ」という用語は、アリールが非置換であるか、または上で定義されるように置換されている−Ｏ−アリールを指す。
【０２２９】
Ｃ６〜Ｃ２４−アリールチオ：上で定義されたＣ６〜Ｃ２４−アリールであって硫黄原子（−Ｓ−）を介して骨格に結合する。フェニルチオとナフチルチオが優先される。
【０２３０】
したがって、本明細書で使用される「非置換または置換アリールチオ」という用語は、アリールが非置換であるか、または上で定義されるように置換されている−Ｓ−アリールを指す。
【０２３１】
本発明の文脈において、「ヘタリール」（ヘテロアリールとも呼ばれる）という表現は、ヘテロ芳香族、単環式または多環式基を含む。環の炭素原子に加えて、これらは環のメンバーとして１、２、３、４または５個以上のヘテロ原子を有する。ヘテロ原子は、好ましくは、酸素、窒素、セレンおよび硫黄から選択される。ヘタリール基は、好ましくは５〜１８、例えば５、６、８、９、１０、１１、１２、１３または１４個の環原子を有する。
【０２３２】
単環式ヘタリール基は、好ましくは、２−フリル（フラン−２−イル）、３−フリル（フラン−３−イル）、２−チエニル（チオフェン−２−イル）、３−チエニル（チオフェン−３−イル）、１Ｈ−ピロール−２−イル、１Ｈ−ピロール−３−イル、ピロール−１−イル、イミダゾール−２−イル、イミダゾール−１−イル、イミダゾール−４−イル、ピラゾール−１−イル、ピラゾール−３−イル、ピラゾール−４−イル、ピラゾール−５−イル、３−イソキサゾリル、４−イソキサゾリル、５−イソキサゾリル、３−イソチアゾリル、４−イソチアゾリル、５−イソチアゾリル、２−オキサゾリル、４−オキサゾリル、５−オキサゾリル、２−チアゾリル、４−チアゾリル、５−チアゾリル、１，２，４−オキサジアゾール−３−イル、１，２，４−オキサジアゾール−５−イル、１，３、４−オキサジアゾール−２−イル、１，２，４−チアジアゾール−３−イル、１，２，４−チアジアゾール−５−イル、１，３，４−チアジアゾール−２−イル、４Ｈ−［１，２、４］−トリアゾール−３−イル、１，３，４−トリアゾール−２−イル、１，２，３−トリアゾール−１−イル、１，２，４−トリアゾール−１−イル、ピラジン−２−イル、ピリジン−３−イル、ピリジン−４−イル、３−ピリダジニル、４−ピリダジニル、２−ピリミジニル、４−ピリミジニル、５−ピリミジニル、２−ピラジニル、１，３，５−トリアジン−２−イルおよび１，２，４−トリアジン−３−イルなどの５員または６員のヘタリール基である。
【０２３３】
多環式ヘタリール基は、２、３、４、または４つ以上の縮合環を持っている。縮合環は、芳香族、飽和または部分的に不飽和であり得る。多環式ヘタリール基の例は、キノリニル、イソキノリニル、インドリル、イソインドリル、インドリジニル、ベンゾフラニル、イソベンゾフラニル、ベンゾチオフェニル、ベンゾオキサゾリル、ベンゾイソキサゾリル、ベンゾチアゾリル、ベンゾオキサジアゾリル、ベンゾチアジアゾリル、ベンゾオキサジニル、ベンゾピラゾリル、ベンゾイミダゾリル、ベンゾトリアゾリル、ベンゾトリアジニル、ベンゾセレノフェニル、チエノチオフェニル、チエノピリミジル、トリアゾロチアゾリル、ジベンゾピロリル（カルバゾリル）、ジベンゾフラニル、ジベンゾチオフェニル、ナフト［２，３−ｂ］チオフェニル、ナフタ［２，３−ｂ］フリル、ジヒドロインドリル、ジヒドロインドリジニル、ジヒドロイソインドリル、ジヒドロキノリニルおよびジヒドロイソキノリニルである。
【０２３４】
置換ヘタリール基は、それらの環系の数およびサイズに応じて、１つ以上（例えば、１、２、３、４、５または６つを超える）の置換基を有し得る。これらは、好ましくは互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡＲ１ＣＯＲＡｒ２、−ＣＯＮＲＡＲ１ＲＡｒ２、−ＳＯ２ＮＲＡＲ１ＲＡｒ２および−ＳＯ３ＲＡｒ２
から選択され、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、ＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである。特に、置換ヘタリール基は、非置換または置換アルキル、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２、および−ＳＯ３ＲＡｒ２から選択される１つ以上、例えば１、２または３つの置換基を有し、ここでＥ１、Ｅ２、ＲＡｒ１およびＲＡｒ２は上で定義されたとおりである。
【０２３５】
縮合環系は、脂環式、脂肪族複素環式、芳香族およびヘテロ芳香族環、ならびにそれらの組み合わせ、縮合によって結合されたヒドロ芳香族を含むことができる。縮合環系は、２つ、３つ、またはそれ以上（例えば、４、５、６、７、または８つ）の環を含む。縮合環系の環が結合する方法に応じて、オルト融合、すなわち各環が隣接する各環と少なくとも１つのエッジまたは２個の原子を共有する方法と、３つ以上の環に炭素原子が属する周辺融合とが区別される。好ましい縮合環系は、オルト縮合環系である。
【０２３６】
本発明の化合物の部分構造を示す式に＃または＊が現れる場合、それは残りの分子の付着結合を示す。
【０２３７】
有機蛍光着色剤Ｂ（Ｂ１〜Ｂ１８）は、発光寿命が短いという特徴がある。本発明よれば、発光寿命は（減衰時間、発光寿命τ０）測定された減衰時間（励起状態の寿命τＶ）と発光の量子収率の商であり、すなわち、発光寿命（蛍光寿命）τ０は、τ０＝τＶ／ＱＹによって計算される。ＱＹ、τ０およびτＶの測定条件は、実施例部分に示されている。
【０２３８】
好ましくは、有機蛍光着色剤Ｂ（Ｂ１〜Ｂ１８）の発光寿命τ０は０．１ｎｓ〜１０ｎｓ、より好ましくは０．２ｎｓ〜７ｎｓである。
【０２３９】
有機蛍光着色剤Ｂ（Ｂ１〜Ｂ１８）の特別な利点は、非常に短い発光寿命（減衰時間）および高い量子収率を有することである。このような短い発光寿命は、高速のデータ伝送をサポートする。
【０２４０】
＜検出器＞
検出器は、好ましくはフォトダイオード（ＰＤ）またはフォトダイオードのアレイ（ＰＤｓ）であり、より好ましくは小面積フォトダイオードである。適切な検出器は、光データ通信システムの受信機で通常使用される検出器であり、当業者に知られている。
【０２４１】
本発明による受信機に存在する発光集光器には、少なくとも１つの検出器、好ましくは１つまたは２つの検出器、より好ましくは１つの検出器が存在する。
【０２４２】
＜受信機＞
光データ通信システムは、送信機（Ｔ）によって放出された変調された電磁放射の少なくとも一部を検出するための受信機（Ｒ）を含む。本発明による受信機（Ｒ）は、発光集光器を含む。発光集光器では、光信号が収集され、電流に変換される。
【０２４３】
受信機（Ｒ）は通常、変調された電磁放射（光信号）によって照射されるように配置されている。
【０２４４】
したがって、本発明はさらに、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７、およびＢ１８からなる群から選択される少なくとも１つの有機蛍光着色剤Ｂを含む受信機に関する。
【０２４５】
適切な受信機の構造の例は、例えば、Ｔ．Ｇ．Ｔｉｅｃｋｅ  ｅｔ  ａｌ．，Ｏｐｔｉｃａ，Ｖｏｌ．３，Ｎｏ．７，Ｊｕｌｙ２０１６，７８７〜７９２およびＵＳ２０１７／０３４６５５６Ａに記載されている。Ｔｉｅｃｋｅらの検出器（本発明による発光集光器に対応する）は、特殊な蛍光繊維の球形の束を含む。ゴルフボールとテニスボールの間のサイズの束は、任意の方向からの光（青色レーザー）を吸収し、緑色の光として再放射することができる。緑色の光は、光をデータに戻す小さな受信機に送られる。
【０２４６】
適切な受信機のさらなる例は、米国特許第ＵＳ２０１７／０７５１９１Ａ１号、Ｃｏｌｌｉｎｓ  ｅｔ  ａｌ．、Ｏｐｔｉｃｓ  Ｌｅｔｔｅｒｓ、Ｖｏｌ．３９、Ｎｏ．７、Ａｐｒｉｌ  １、２０１４、１７５６〜１７５９、Ｍｕｌｙａｗａｎｅｔａｌ．、ＩＥＥＥ  Ｐｈｏｔｏｎｉｃｓ  Ｔｅｃｈｎｏｌｏｇｙ  ｅｔｔｅｒｓ、Ｖｏｌ．．２９、Ｎｏ．３、Ｆｅｂｒｕａｒｙ，２０１７およびＭａｎｏｕｓｉａｄｉｓ  ｅｔａｌ．、Ｏｐｔｉｃａ、Ｖｏｌ．３、Ｎｏ．７、Ｊｕｌｙ２０１６，７０２〜７０６に与えられる。
【０２４７】
本発明による受信機は、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂを含む波長シフト材料ならびに検出器、好ましくはフォトダイオードを含む発光集光器を含む。Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される有機蛍光着色剤Ｂは、送信機（Ｔ）から放出される変調された電磁放射、すなわち、第１の波長帯域の波長を有する光子を吸収し、第２の波長帯域の波長を有する１つ以上の光子を放出することが好ましい。
【０２４８】
電流信号は、任意選択で受信機に存在するトランスインピーダンス増幅器（ＴＩＡ）によって前もって電子的に増幅することができる。トランスインピーダンス増幅器（ＴＩＡ）は、好ましくは、検出器の出力に結合される。
【０２４９】
受信機（Ｒ）は、通常、検出器、好ましくはフォトダイオードがそれぞれ、任意選択で存在するＴＩＡに結合されたデータ分析器をさらに含む。データ分析器は、当技術分野で知られているように、検出された変調電磁放射からデータを抽出するように適合されている。データ分析器は、例えば、アナログ電流信号をデジタル信号に変換し、情報ビットを復調するためのアナログ−デジタル変換器（ＡＤＣ）を備えたデジタル信号プロセッサ（ＤＳＰ）を含み得る。出力（Ｅ）からの復調された情報ビット。出力（Ｅ）がデジタル信号の場合、信号のデジタル信号への変換は省略される。
【０２５０】
さらに、光スペクトルにおいて送信機（Ｔ）によって放出される変調された電磁放射を選択するために、検出器、好ましくはフォトダイオード（ＰＤまたはＰＤのアレイ）の前に光学フィルタを配置することができる。さらに、光学フィルタは周囲光からの干渉を大幅に低減しる。
【０２５１】
変調された電磁放射を収集し、それを通常は小さな検出器に集中させるために、当業者に知られている集光要素のような従来の光学系を、波長シフト材料に加えて使用することができる。いくつかの実施形態では、集光要素はレンズを含む。
【０２５２】
したがって、受信機は、第２の波長帯域の波長を有する光子を検出器に集光および／または他の方法で向ける集光要素をさらに備え得る。いくつかの実施形態では、集光要素はレンズを含む。いくつかの実施形態では、集光要素は、複合放物面集光器（ＣＰＣ）を含む。いくつかの実施形態では、集光要素は、第２の波長帯域の波長を有する光子を吸収し、第３の波長帯域の光子を放出するように構成されたさらなる波長シフト材料を含む。これらの実施形態では、検出器は、第３の波長帯域の波長を有する光子を検出するように構成される。最後に述べた実施形態では、波長シフト材料は、複数の異なる（重複しない）波長帯の波長を有する光子を吸収および放出するように構成され得る。例えば、波長シフト材料は、１つ以上の種類の染料を含み得る。本出願で開示される有機蛍光着色剤Ｂに加えて、適切な染料は、当業者に知られている。
【０２５３】
検出器の出力は、好ましくは、検出器によって生成された電流信号を電圧に変換するトランスインピーダンス増幅器（ＴＩＡ）（上記のように）に結合される。
【０２５４】
この点から、受信機は、当技術分野で知られている標準的な受信機トポロジーに似ている。
【０２５５】
本発明による光データ通信システムの１つ以上の構成要素の表面、特に受信機の１つ以上の構成要素および／または送信機の１つ以上の構成要素の表面は、コーティングおよび／または構造化することができる。適切な構造およびコーティングは、当業者に知られている。
【０２５６】
受信機の１つ以上の構成要素は、例えば、反射防止コーティングおよび／または離型、耐熱性、耐薬品性、耐食性、低摩擦性能、および耐候性などの特性を改善するためのコーティングで被覆され、例えば、コーティングはＳｉＯ２および／またはフルオロポリマー（フルオロコーティング）を含む。
【０２５７】
特に、光データ通信システム、特に受信機のファイバは、好ましい一実施形態では、クラッドで被覆されている。クラッドは、ファイバコア（「コーティング」）を囲む層であり、通常、ファイバ半径の１〜１０パーセントの厚さである。その屈折率ｎｃｌａｄはｎｃｏｒｅよりも低くなっている。繊維、特にプラスチック繊維のクラッドの典型的な材料は、ＰＭＭＡまたはフッ素化ポリマー（ＦＰ）（フルオロポリマー）である。適切なフルオロポリマーは、当業者に知られている。光ファイバは、それぞれが下層にあるクラッドよりも低い屈折率を有する１つのクラッドまたは複数のクラッドを有し得る。クラッドは、屈折率が減少する界面を提供し、光をファイバ内に閉じ込めて伝搬するために使用されるＴＩＲ（全反射）を繰り返すことができる。クラッドが１つしかないファイバはシングルクラッドファイバと呼ばれ、クラッドが追加されているファイバはマルチクラッドファイバと呼ばれる。
【０２５８】
＜光データ通信システム＞
本発明はさらに、
−少なくとも１つの送信機（Ｔ）、および
−少なくとも１つの受信機（Ｒ）含む光データ通信システムに関し、
ここで、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂが受信機に存在する。
【０２５９】
適切な受信機および適切な有機蛍光着色剤Ｂは上述されている。
【０２６０】
本発明による光データ通信システムにおいて、好ましくは、電気信号は、送信機において光信号に変換される。変調された光信号は次いで、伝搬されて受信機に到達する。受信機では、光信号が電気信号に変換される。
【０２６１】
好ましくは、本発明による光データ通信システムは、自由空間光データ通信システムである。当該自由空間光データ通信システムでは、変調された光信号は、受信機に到達する前に自由空間経路を通って伝搬する。
【０２６２】
本発明による光データ通信システム、好ましくは自由空間光データ通信システムは、屋内および屋外環境で有用である。屋内および屋外環境用の光データ通信システム、好ましくは自由空間光データ通信システムの一般的なセットアップは、当業者によって知られており、例えば、「Ｐｒｉｎｃｉｐｌｅｓ  ｏｆ  ＬＥＤ  ｌｉｇｈｔ  ｃｏｍｍｕｎｉｃａｔｉｏｎｓ」，Ｓ．Ｄｉｍｉｔｒｏｖ，Ｈ．Ｈａａｓ，Ｃａｍｂｒｉｄｇｅ  Ｕｎｉｖｅｒｓｉｔｙ  Ｐｒｅｓｓ  ２０１５、第２．１章から第２．４章に記述されている。
【０２６３】
好ましくは、本発明による光データ通信システムは
（ｉ）入力（Ａ）、
（ｉｉ）送信機（Ｔ）、
（ｉｉｉ）光路（Ｃ）、
（ｉｖ）受信機（Ｒ）、および
（ｖ）出力（Ｅ）を含み、
ここで、Ｂ１、Ｂ２、Ｂ３、Ｂ４、Ｂ５、Ｂ７、Ｂ８、Ｂ１１、Ｂ１２、Ｂ１３、Ｂ１４、Ｂ１５、Ｂ１６、Ｂ１７およびＢ１８からなる群から選択される少なくとも１つの有機蛍光着色剤Ｂが、光データ通信システムの受信機内に存在する。
【０２６４】
本発明による光データ通信システムの構成要素（Ａ）、（Ｔ）、（Ｃ）および（Ｅ）を以下に説明し、構成要素（Ｒ）は上述される。
【０２６５】
図１に、光データ通信システムの一般的な例が示される。図１では、
Ａは入力（Ａ）であり、
Ｂは送信機（Ｔ）であり、
Ｃは光路（Ｃ）であり、
Ｄは受信機（Ｒ）であり、
Ｅは出力（Ｅ）である。
【０２６６】
＜送信機（Ｔ）＞
送信機では、電気信号が光信号に変換される。一般に、本発明による、光データ通信システム、特に光無線通信システム（ＯＷＣ）システムにおいて有用な送信機は、当業者に知られている。たとえば、「Ｐｒｉｎｃｉｐｌｅｓ  ｏｆ  ＬＥＤ  ｌｉｇｈｔ  ｃｏｍｍｕｎｉｃａｔｉｏｎｓ」、Ｓ．Ｄｉｍｉｔｒｏｖ、Ｈ．Ｈａａｓ、Ｃａｍｂｒｉｄｇｅ  Ｕｎｉｖｅｒｓｉｔｙ  Ｐｒｅｓｓ  ２０１５、第２．１章から第２．４章を参照されたい。
【０２６７】
送信機は、一般に、デジタル情報ビット（入力（Ａ））の変調およびそれらのアナログ電流信号への変換に使用されるデジタル−アナログ変換器（ＤＡＣ）を有するデジタル信号プロセッサ（ＤＳＰ）を含む。電流は発光体、つまり光源（Ｌ）を駆動する。入力（Ａ）がすでにアナログ信号である場合、信号のアナログ信号への変換は省略される。
【０２６８】
＜光源（Ｌ）＞
光源（Ｌ）は、通常、１つ以上の発光ダイオード（ＬＥＤ）または１つ以上のレーザーダイオード（ＬＤ）のいずれかであり、好ましくは１つ以上のＬＥＤである。
【０２６９】
光源（Ｌ）は、好ましくは、単一波長の光を生成する。しかしながら、白色光を発生する光源（Ｌ）を使用することも可能である。単一波長の光または白色光を生成するための適切なＬＥＤおよびＬＤは、当業者に知られている。
【０２７０】
＜変調器（Ｍ）＞
さらに、送信機（Ｔ）は、好ましくは変調器（Ｍ）を含み、好ましくは、送信されるデータに応じて、放射源（Ｌ１）によって放出される第１の電磁放射を変調するように適合される。
【０２７１】
変調器（Ｍ）は入力（Ａ）に結合されている。入力（Ａ）は、送信されるデータを変調器（Ｍ）に転送し、変調器（Ｍ）は、そのようなデータを変調信号に変換する。
【０２７２】
例えば、放射源（Ｌ１）を形成する青色ＬＥＤは、送信されるデータに従って変調される第１の電磁放射として青色光を放出する。そのような変調された青色光は、周波数変換器（Ｌ２）によって、変調された第２の電磁放射を形成する変調された白色光に変換され得る。
【０２７３】
第２の電磁放射は、第１の電磁放射の変調に対応して変調される、すなわち、データ送信に使用される変調は、周波数変換器（Ｌ２）によって維持される。
【０２７４】
光キャリアの変調と復調は、通常、たとえば直接検出を使用した強度変調（ＩＭ／ＤＤ）によって実現される。所望の波形が光キャリアの瞬時電力に変調され、検出器は受信した瞬時電力に比例した電流を生成する。つまり、光波の強度のみが検出され、周波数または位相情報はない（たとえば、Ｈ．Ｅｌｇａｌａ  ｅｔ  ａｌ．，Ｉｎｄｏｏｒ  ｏｐｔｉｃａｌ  ｗｉｒｅｌｅｓｓ  ｃｏｍｍｕｎｉｃａｔｉｏｎ：Ｐｏｔｅｎｔｉａｌ  ａｎｄ  ｓｔａｔｅ−ｏｆ−ｔｈｅ−ａｒｔ，ＴＯＰＩＣＳ  ＩＮ  ＯＰＴＩＣＡＬ  ＣＯＭＭＵＮＩＣＡＴＩＯＮＳ，ＩＥＥＥ  Ｃｏｍｍｕｎｉｃａｔｉｏｎｓ  Ｍａｇａｚｉｎｅ  Ｏｃｔｏｂｅｒ  ２０１１の記事に述べられている）。
【０２７５】
適切な変調技術は、例えば、Ｈ．Ｅｌｇａｌａ  ｅｔ  ａｌ．，Ｉｎｄｏｏｒ  ｏｐｔｉｃａｌ  ｗｉｒｅｌｅｓｓ  ｃｏｍｍｕｎｉｃａｔｉｏｎ：Ｐｏｔｅｎｔｉａｌ  ａｎｄ  ｓｔａｔｅ−ｏｆ−ｔｈｅ−ａｒｔ，ＴＯＰＩＣＳ  ＩＮ  ＯＰＴＩＣＡＬ  ＣＯＭＭＵＮＩＣＡＴＩＯＮＳ，ＩＥＥＥ  Ｃｏｍｍｕｎｉｃａｔｉｏｎｓ  Ｍａｇａｚｉｎｅ  Ｏｃｔｏｂｅｒ  ２０１１の記事にも記載されている。
高い平均電力効率は、光パルスの時間依存特性を使用して情報を伝達するシングルキャリア（ＳＣ）パルス変調技術を採用することで実現できる。いくつかの手法の中で、オンオフキーイング（ＯＯＫ）とパルス位置変調（ＰＰＭ）の２つの方式が広く使用されている。ＯＯＫは最も古いフォーマットの１つであり、ハードウェアの実装と統合の点で最も単純である。また、複雑さと性能の間の適切な妥協点も示している。ＰＰＭでは、光パルスはシンボル時間ごとにＳスロットのうちの１つで送信される。占有スロット位置は、シンボルによって伝達されるビットの組み合わせを示す。ＰＰＭは、ＯＯＫと比較して信号帯域幅を拡張するが、より高い電力効率を提供する。さらに、ＰＰＭを使用すると、システムパフォーマンスにとって重要なスロットレベルとシンボルレベルの両方の同期が受信機で必要になるため、ＯＯＫよりもシステムが複雑になる。
【０２７６】
ＯＷ（光無線）リンク用のマルチサブキャリア変調ＭＳＭ技術も一般的に適している。ＯＦＤＭは、マルチサブキャリア変調（ＭＳＭ）の実用的な実現である。ＯＦＤＭは、直交サブキャリアを送信することで高いデータレートを実現できる並列データ送信方式である。ＯＦＤＭシステムは複雑なチャネルイコライザーを必要とせず、周波数領域チャネル推定を使用して時変チャネルを簡単に推定でき、アップリンク／ダウンリンク（ＵＬ／ＤＬ）の要求データレートとサービス品質（ＱｏＳ）に基づいて適応変調を適用できる（ＱｏＳ）。また、ＯＦＤＭを任意の多元接続方式と組み合わせることができるため、屋内ＯＷアプリケーションに最適な性能とすることができる。
【０２７７】
好ましくは、第１の電磁放射は変調される。このような変調は、放射源の制御によって実施することができる。別の実施形態によれば、第１の電磁放射線はまた、この放射が放射源によって放出された後に変調され得る。
【０２７８】
＜入力（Ａ）および出力（Ｅ）＞
入力（Ａ）および出力（Ｅ）は通常、電気デジタル信号またはアナログ信号の形式で転送される情報である。通常、転送される情報は、デジタル情報ビットの形式である。
【０２７９】
＜光路（Ｃ）＞
光路（Ｃ）は、一般に、当業者に知られている光通信に適した任意の光路であり得る。好ましくは、光路（Ｃ）は自由空間、すなわち光無線チャネルである。
【０２８０】
光路は、屋内および／または屋外環境にある。好ましくは、光路は屋内環境にある。
【０２８１】
屋外の光無線通信は、超長距離自由空間リンク、中距離／長距離リンク、および短距離リンクに分けることができる。超長距離自由空間リンクは、たとえば、衛星のコンステレーションをネットワーク化するために使用される。中距離／長距離リンクは、たとえば、建物間のネットワークやモバイルバックホールに使用される。短距離リンクは、たとえば車から車への通信に使用される。
【０２８２】
屋内光無線通信は、短距離リンクと超短距離リンクに分けることができる。短距離リンクは、たとえば、光ＷＬＡＮ、飛行機内通信、車からインフラストラクチャへの通信、屋内測位、およびワイヤレス自動化である。屋内光無線通信は、たとえば、携帯電話、デジタルカメラ、携帯情報端末、ラップトップなどのポータブル電子デバイスのＴＶ制御からＩｒＤＡ（Ｉｎｆｒａｒｅｄ  Ｄａｔａ  Ａｓｓｏｃｉａｔｉｏｎ）ポートに至るまで、家庭、オフィス、倉庫に適用される。超短距離リンクは、たとえば、チップ間相互接続やボディ内ネットワークである。
【０２８３】
より好ましくは、光路は、屋内環境における自由空間である。
【０２８４】
＜その他の任意選択の構成要素＞
さらに、本発明による光データ通信システムは、送信機（Ｔ）によって放出される変調された電磁放射をさらに形作るために、光学システムをさらに含み得る。例えば、光増幅器レンズ、コリメータ、および／または拡散器を使用して、変調された電磁放射を集中または拡大することができる。
【実施例】
【０２８５】
以下の図および例は、本発明を説明するためのものであり、限定として解釈されるべきではない。
【０２８６】
以下の有機蛍光着色剤（色素）１〜２５を実施例で試験した。
【０２８７】
色素１：
（グループＢ１３の着色剤）
Ｎ，Ｎ’−ビス（２，６−ジイソプロピルフェニル）−１，６，７，１２−テトラフェノキシペリレン−３，４：９，１０−テトラカルボキシイミド
色素１は、ＢＡＳＦ  ＳＥなどから購入できる。
【０２８８】
色素２：
（グループＢ１２の着色剤）
ジイソブチル４，１０−ジシアノペリレン−３，９−ジカルボキシレートとジイソブチル４，９−ジシアノペリレン−３，１０−ジカルボキシレートの混合物
【化４６】
2022500707.tif 000064
【０２８９】
色素２は、ＢＡＳＦ  ＳＥなどから購入できる。
【０２９０】
色素３：
（グループＢ８の着色剤）
【化４７】
2022500707.tif 000065
【０２９１】
色素３は、ＢＡＳＦ  ＳＥなどから購入できる。
色素４：
Ｎ，Ｎ’−ビス（２，６−ジイソプロピルフェニル）−３，４，９，１０−ペリレンテトラカルボン酸ジイミド
（グループＢ８の着色剤）
【化４８】
2022500707.tif 000066
【０２９２】
色素４は、ＢＡＳＦ  ＳＥなどから購入できる。
【０２９３】
色素５：
（グループＢ１３の着色剤）
【化４９】
2022500707.tif 000067
【０２９４】
色素５は、ＥＰ３０７２８８７に記載されている方法と同様に調製することができる。
【０２９５】
色素６：
（グループＢ１３の着色剤）
【化５０】
2022500707.tif 000068
【０２９６】
２．２ｇ（２．６ｍｍｏｌ）の１，６，７，１２−テトラクロロ−Ｎ，Ｎ’−２，６−ジイソプロピルフェニルペリレン−３，４，９，１０−テトラカルボン酸ジイミド、４．２５ｇ（３１．２ｍｍｏｌ）の２−イソプロピルフェノール、２．５２グラム（１８．２ｍｍｏｌ）Ｋ２ＣＯ３および１７０ｍＬのＮ−メチルピロリドンの混合物を１７時間９０℃に加熱した。その後、混合物を１０時間１１０℃に加熱した。さらに、２．１２ｇ（１５．６ｍｍｏｌ）の２−イソプロピルフェノールおよび１．２６ｇのＫ２ＣＯ３を加え、加熱を２３時間続けた。さらに、２．１２ｇ（１５．６ｍｍｏｌ）の２−イソプロピルフェノールおよび１．２６ｇのＫ２ＣＯ３を加え、加熱を６時間続けた。生成物を１Ｌの希ＨＣｌで沈殿させた。ジクロロメタンで抽出した後、７．５ｇの液体粗物質が得られ、これをトルエンジクロロメタンを使用するカラムクロマトグラフィーによってさらに精製した。０．２８ｇの純粋な表題化合物が単離された。
【０２９７】
Ｒｆ（石油エーテル／酢酸エチル８：１）＝０．３。
【０２９８】
λ最大発光：６１６ｎｍ（ポリカーボネート中）。
【０２９９】
色素７
（グループＢ１１の着色剤）
ジイソブチルペリレン−３，１０−ジカルボキシレートとジイソブチルペリレン−３，９−ジカルボキシレートとの混合物
【化５１】
2022500707.tif 000069
【０３００】
色素７は、ＢＡＳＦ  ＳＥなどから購入できる。
【０３０１】
色素８：
（グループＢ５の着色剤）
【化５２】
2022500707.tif 000070
【０３０２】
色素８は、ＷＯ２０１４／１３１６２８に記載されているように調製することができる。
【０３０３】
色素９：
（グループＢ７の着色剤）
【化５３】
2022500707.tif 000071
【０３０４】
色素９は、ＷＯ２０１２／１６８３９５の実施例１０に記載されているように調製することができる。
【０３０５】
色素１０：
（グループＢ３の着色剤）
化合物（１０．ａ）と（１０．ｂ）の混合物
【化５４】
2022500707.tif 000072
式中、
Ｒ２、Ｒ３、Ｒ６のＲ７の３つの置換基は水素であり、および
Ｒ２、Ｒ３、Ｒ６のＲ７置換基の１つは、シアノである。
【０３０６】
色素１０は、ＷＯ２０１５／１６９９３５の実施例３に記載されているように調製することができる。
【０３０７】
色素１１：
（グループＢ１の着色剤）
【化５５】
2022500707.tif 000073
１１．１
【化５６】
2022500707.tif 000074
の調製
【０３０８】
ＷＯ２０１２／１６８３９５の実施例６に記載されている手順に従って、表題化合物と対応する一臭化および二臭化および四臭化化合物の混合物が得られた。三臭化合物は約４０重量％を構成する。
【０３０９】
１１．２  表題化合物の調製
２．５ｇ（０．００５ｍｏｌ）ｇの実施例１１．１の三臭化化合物、４．４１ｇ（０．０３ｍｏｌ）の４−シアノフェニルボロン酸、５ｍＬの水に溶解した炭酸カリウム２．０７ｇ（０．０１５ｍｏｌ）および０．１７４ｇ（０．０００１５ｍｏｌ）テトラキストリフェニルホスフィンパラジウム（０）の混合物を９０℃で４時間加熱した。室温まで冷却した後、残留物を濾別し、メタノールおよび水で洗浄し、真空乾燥して、２．２９ｇの粗生成物を得た。化合物をカラムクロマトグラフィー（シリカゲル；トルエン／酢酸エチル２０：１）により精製して、０．９２ｇ（３２％）の黄色の固体を得た。
【０３１０】
Ｒｆ（トルエン／酢酸エチル１０：１）＝０．３。
【０３１１】
λ最大発光＝５０８ｎｍ（ポリカーボネート）。
【０３１２】
色素１２：
（グループＢ２の着色剤）
【化５７】
2022500707.tif 000075
の混合物
【０３１３】
色素１２は、ＷＯ２０１５／０１９２７０の実施例３に記載されているように調製することができる。
【０３１４】
色素１３：
（グループＢ４の着色剤）
【化５８】
2022500707.tif 000076
【０３１５】
色素１３は、ＷＯ２０１６／１５１０６８の実施例１に記載されているように調製することができる。
【０３１６】
色素１４：
（グループＢ１３の着色剤）
【化５９】
2022500707.tif 000077
【０３１７】
５ｇ（５．９ｍｍｏｌ）のＮ，Ｎ’−（２，６−ジイソプロピルフェニル）−１，６，７，１２、−テトラクロロ−ペリレンテトラカルボン酸ジイミド、４．２３ｇ（２４．９ｍｍｏｌ）のビフェニル−２−オール、１３８．２１ｇ（１６．９ｍｍｏｌ）の炭酸カリウムと３０ｍＬのＮ−メチル−２−ピロリドン（ＮＭＰ）の混合物を、室温で２４時間、次に１１５°Ｃで４８時間撹拌した。８０℃に冷却した後、反応混合物を１５分以内に１０ｍＬの酢酸と２０ｍＬの水の混合物に滴下し、２時間かけて室温に冷却し、次に濾過した。残留物をエタノール／水（１：１）の混合物３００ｍＬで洗浄し、次にエタノール／水／ＮＭＰ（４：４：１）の混合物６００ｍＬで洗浄した。残留物を３５ｍＬのエタノールと５ｍＬのＮＭＰの混合物に還流下で溶解し、次に室温に冷却し、分離して５．６ｇ（６２％）の赤色色素を得、これをシクロヘキサン／酢酸エチルを使用するクロマトグラフィーにより精製した。収量は２．０６ｇ（２３％）であった。Ｒｆ（シクロヘキサン／酢酸エチル１０：１）＝０．２９。
【０３１８】
色素１５：
（グループＢ１４の着色剤）
【化６０】
2022500707.tif 000078
【０３１９】
色素１５は、ＷＯ２０１７／１２１８３３Ａ１の例１に記載されているように調製できる。
【０３２０】
色素１６：
（グループＢ５の着色剤）
【化６１】
2022500707.tif 000079
【０３２１】
色素１６は、ＷＯ２０１４／１３１６２８に記載されている化合物と同様に調製することができる。
【０３２２】
色素１７：
（グループＢ４の着色剤）
【化６２】
2022500707.tif 000080
【０３２３】
色素１７は、ＷＯ２０１６／１５１０６８の実施例６に記載されているように調製することができる。
【０３２４】
色素１８：
（グループＢ４の着色剤）
【化６３】
2022500707.tif 000081
【０３２５】
色素１８は、ＷＯ２０１６／１５１０６８の実施例５に記載されているように調製することができる。
【０３２６】
色素１９：
（グループＢ１の着色剤）
化合物
【化６４】
2022500707.tif 000082
の混合物
【０３２７】
１９．１  ２，４ジブロモ−６−ニトロアニリン
１０ｇ（０．０７２モル）の２−ニトロアニリン、１００ｍＬの氷酢酸、１４．５ｍＬ（０．２９モル；４６．４ｇ）の臭素の混合物を約４５℃で加熱した。２時間後、さらに３．０ｍＬ（０．０６モル）の臭素を加え、反応混合物をさらに２時間撹拌した。過剰な臭素がアウトガスされた。反応混合物に水を加えた。沈殿物を吸い取り、水で洗浄し、乾燥させて、２１．０ｇ（９８％）の黄色の固体を得た。
【０３２８】
Ｒｆ（トルエン／酢酸エチル１０：１）＝０．８。
【０３２９】
１９．２  ４−［−アミノ−３−（４−シアノフェニル）−５−ニトロ−フェニル］ベンゾニトリル
３６７ｍＬのトルエン、１９．４５ｇ（０．０６６モル）の１９．１の化合物、２１．７２ｇ（０．２４２モル）の４−シアノフェニルボロン酸、５０ｍＬの水に溶解した３１．６ｇ（０．１１４モル）の炭酸カリウムを混合物、６．０２ｇ（０．００６６ｍｏｌ）のトリス（ジベンジリデンアセトン）ジパラジウムおよびトルエン中の２６ｍＬ（０．０２６４ｍｏｌ）のトリ−ｔｅｒｔ−ブチルホスフィン溶液の混合物を窒素下で８０〜９０℃で３時間加熱した。反応混合物を室温に冷却した。沈殿物を濾過し、水で洗浄し、乾燥して２１．６ｇ（９６％）の黄色の固体にした。
【０３３０】
Ｒｆ（トルエン／酢酸エチル１０：１）＝０．２９。
【０３３１】
１９．３  ４−［３，４−ジアミノ−５−（４−シアノフェニル）フェニル］ベンゾニトリル
１９．２ｇ（０．０５８４モル）の１９．２の化合物、４００ｍＬのエタノール、１００ｍＬのＮ−メチルピロリドンおよび４４．０ｇ（０．２３２８モル）の塩化亜鉛（ＩＩ）の混合物を８５℃で２時間加熱還流した。室温まで冷却して濾過した後、蒸留により濾液からエタノールを除去した。水とエタノールを加えることにより、表題化合物を沈殿させた。沈殿物を濾別し、熱水で洗浄し、真空乾燥して、２５．９ｇ（１４３％）の無機塩を含む黄色の化合物を得た。
【０３３２】
Ｒｆ（トルエン／酢酸エチル１０：１）＝０．１。
【０３３３】
１９．４
【化６５】
2022500707.tif 000083
の混合物
【０３３４】
２５０ｍＬのキノリン、８．８ｇ（０．０３２ｍｏｌ）の４−ブロモ−１，８−ナフタル酸無水物、１１．０ｇ（０．０３２ｍｏｌ；純度９０％）の１９．３からの混合物、６．０ｇ（０．０３２ｍｏｌ）の酢酸亜鉛の混合物を窒素下で１３０℃で２時間加熱した。室温まで冷却した後、２００ｍＬのメタノールを加えた。混合物を一晩撹拌し、続いて濾過した。残留物をメタノールおよび水で洗浄した。１１．４５ｇ（６５％）の黄色の沈殿物が得られた。
【０３３５】
Ｒｆ（トルエン／酢酸エチル１０：１）＝０．５。
【０３３６】
１９．５  表題化合物の混合物
１１．０ｇ（０．０２ｍｏｌ）の１９．４からの化合物の混合物、２．６８ｇ（０．０２ｍｏｌ）のフェニルボロン酸、５．５２ｇ（０．０４ｍｏｌ）の炭酸カリウム、水３０ｍＬ、トルエン２５０ｍＬ、および０．２３ｇ（０．０００２ｍｏｌ）のテトラキストリフェニルホスフィンパラジウムを９０℃で２時間加熱した。室温まで冷却した後、残留物を濾別し、メタノールおよび水で洗浄し、真空乾燥して、１０．５（９５％）の黄黒色残留物を得た。この残留物を還流下で加熱することにより４００ｍＬのトルエンに溶解し、２．０ｇの活性炭を加え、混合物を３０分間撹拌し、続いて熱濾過した。濾液を一晩冷却させ、沈殿物を濾別した。収量：パラジウムを含まない表題化合物２．３ｇ。
【０３３７】
Ｒｆ（トルエン／酢酸エチル１０：１）＝０．５。
【０３３８】
λ最大発光：５１９ｎｍ（ポリカーボネート）。
【０３３９】
色素２０：
（グループＢ５の着色剤）
【化６６】
2022500707.tif 000084
【０３４０】
色素２０は、ＷＯ２０１４／１３１６２８に記載されているように調製することができる。
【０３４１】
色素２１：
（グループＢ１５の着色剤）
【化６７】
2022500707.tif 000085
【０３４２】
色素２１は、ＷＯ２０１２／１６８３９５に記載されている方法と同様に調製することができる。
【０３４３】
色素２２：
（グループＢ７の着色剤）
【化６８】
2022500707.tif 000086
の混合物
【０３４４】
色素２２は、ＷＯ２０１２／１６８３９５に記載されているように調製することができる。
【０３４５】
色素２３：
（グループＢ１の着色剤）
【化６９】
2022500707.tif 000087
の混合物
【０３４６】
色素２３は、欧州特許出願１７１５１９３１．７に記載されているように調製することができる。
色素２４：
（グループＢ１６の着色剤）
【化７０】
2022500707.tif 000088
【０３４７】
色素２４は、ＷＯ２００７／００６７１７の実施例２に記載されているように調製することができる。
【０３４８】
色素２５：
（グループＢ１６の着色剤）
【化７１】
2022500707.tif 000089
【０３４９】
色素２５は、Ｃｈｅｍ．Ｅｕｒ．Ｊ１９９７、３、Ｓ．２１９−２２５に記載されているように調製できる。
【０３５０】
色素２６：
（グループＢ１７の着色剤）
【化７２】
2022500707.tif 000090
【０３５１】
色素２６は、ＥＰ１７２０８５９７．９に記載されているように調製できる。
【０３５２】
色素２７：
（グループＢ１８の着色剤）
【化７３】
2022500707.tif 000091
【０３５３】
色素２７は、ＥＰ１８１７９２８１．３に記載されているように調製できる。
【０３５４】
色素１〜２７（有機蛍光着色剤Ｂ）の性質
色素を含む分析サンプルの製造：
実施例に従って合成された有機蛍光着色剤（色素）を使用して、波長シフト材料を製造した。この目的のために、それらは、以下に記載されるように、ポリマーから構成されるマトリックスに組み込まれた。ポリマーは、ＰＭＭＡ（Ｐｌｅｘｉｇｌａｓ（登録商標）６Ｎ、Ｅｖｏｎｉｋ）、ポリスチレン（ＰＳ１６８Ｎ、ＢＡＳＦ）とＰＣ（Ｍａｃｒｏｌｏｎ（登録商標）２８０８、Ｂａｙｅｒ）を使用した。
【０３５５】
各場合使用されるポリマーの量に基づいて、約２．５ｇのポリマーおよび０．００８重量％〜０．０６重量％の色素を約５ｍＬの塩化メチレンに溶解し、それぞれの場合の量に基づいて、０．５重量％のＴｉＯ２（Ｋｒｏｎｏｓ  ２２２０）をその中に分散させた。得られた溶液／分散液を、アプリケーターフレーム（湿潤膜厚４００μｍ）を使用してガラス表面にコーティングした。溶媒が乾燥した後、フィルムをガラスから剥がし、真空乾燥キャビネット内で５０℃で一晩乾燥させた。厚さ８０〜８５μｍの各フィルムから直径１５ｍｍの円形フィルムを２枚打ち抜き、分析サンプルとした。
【０３５６】
量子収率の測定
分析サンプルの蛍光量子収率（ＱＹ）は、Ｃ９９２０−０２量子収率測定システム（Ｈａｍａｍａｔｓｕ製）を使用して測定した。これは、積分球（ウルブリヒト球）内で各サンプルを４４５〜４５５ｎｍの光で照射することによって行われた。サンプル無しのウルブリヒト球での参照測定と比較することにより、励起光の吸収されていない部分とサンプルによって放出された蛍光が、ＣＣＤ分光計によって決定される。吸収されなかった励起光のスペクトルの強度と放出された蛍光のスペクトルの強度を統合すると、それぞれ吸収度と蛍光強度が得られるため、各サンプルの蛍光量子収率を計算できる。
【０３５７】
励起状態の寿命τｖの決定と放射寿命τ０
調製された薄膜の励起状態の寿命（τＶ）を、１０ｋＨｚで動作する（８５μＷ、１０５μＷ／ｃｍ２）４５０ｎｍの励起波長を有するパルスダイオードレーザ（Ｐｉｃｏｑｕａｎｔ）を用いて薄膜を励起し、放射を時間相関単一光子計数（ＴＣＳＰＣ）で検出することによって測定する。この波長は、最大発光４５０ｎｍの青色ＬＥＤが使用される照明アプリケーションに近づけるために選択された。励起状態寿命（τＶ）を決定するために、減衰曲線の単一指数関数フィットを使用した。
【０３５８】
発光寿命τ０は、τ０＝τｖ／ＱＹによって計算される。ここでは放射減衰過程のみが考慮されているため、この値は異なる材料間で比較するために重要である。
【０３５９】
次の表は、結果をまとめたものである。励起は４５０ｎｍであり、減衰率は２番目の列に示されている最大発光で決定された。いくつかの材料は異なるマトリックスで測定し、いくつかのサンプルも散乱剤の影響を見るためにフィルムにＴｉＯ２を追加せずに測定した。
【０３６０】
【表４−１】
2022500707.tif 000092
【０３６１】
【表４−２】
2022500707.tif 000093
【０３６２】
さらに、色素２４および２５の場合、４５０ｎｍでの吸収が非常に少ないため、励起は６３５ｎｍで行われた。次の表は、結果をまとめたものである。
【０３６３】
【表５】
2022500707.tif 000094
【０３６４】
以下のデータは、１２０ｍＷ／ｃｍ２の青色光照明（４５０ｎｍ）で測定されたものである。実施例２４および２５は、４５０ｎｍでのそれらの吸収が無視できるので、１００ｍＷ／ｃｍ２の白色光で照射される。日単位のＴ８０は、蛍光の生成と吸収が初期値の８０％に減少する時間である。染料の濃度は、入ってくる青色光の約５０％を吸収するように選択される。
【０３６５】
【表６】
2022500707.tif 000095
【０３６６】
受信機（レシーバー）の例
波長シフト材料を製造するために、いくつかの濃度の色素９／色素２４をＰＭＭＡに押し出し、１０ｃｍ×１０ｃｍ×１ｍｍの導波路プレートを製造した。収集効率に対する光吸収の影響を調査するために、染料濃度を変化させた。導波管板の片面にフォトダイオードを取り付けた。
【０３６７】
【表７】
2022500707.tif 000096
【０３６８】
【表８】
2022500707.tif 000097
【図１】
2022500707.tif 000137
【国際調査報告】
2022500707.tif 000138
2022500707.tif 000139
2022500707.tif 000140
2022500707.tif 000141
2022500707.tif 000142
2022500707.tif 000143